(57)【要約】  情報伝送方法及びデバイスが提供される。情報伝送方法は：ネットワーク・デバイスにより送信されたダウンリンク制御情報を端末デバイスにより受信するステップであって、ダウンリンク制御情報はリソース割り当てフィールドを含み、リソース割り当てフィールドは割り当てられたリソース・ブロック又はサブキャリア・リソースを示すために使用され；リソース割り当てフィールドが、割り当てられたリソース・ブロックを示すために使用される場合、リソース割り当てフィールドは、    【数１０２】2021518081.tif 000117個の高次ビットとＭ＋Ｘ個の低次ビットとを含み、    【数１０３】2021518081.tif 000118個の高次ビットはナローバンドのインデックスを示し、Ｍ＋Ｘ個の低次ビットにおけるＭ個の高次ビットはナローバンドにおけるリソース割り当てを示し、リソース割り当てフィールドにより示されるリソース・ブロックの量は１以上であり；或いはリソース割り当てフィールドが、割り当てられたサブキャリア・リソースを示すために使用される場合、リソース割り当てフィールドは、    【数１０４】2021518081.tif 000119個の高次ビットとＬ個の低次ビットとを含み、Ｌ個の低次ビットはＫ個のリソース・ブロックにおけるサブキャリア・リソース割り当てを示し、リソース割り当てフィールドにより示されるサブキャリアの量は１２未満である、ステップ；及びダウンリンク制御情報に基づいて、割り当てられたリソースを端末デバイスにより決定し、割り当てられたリソースで情報を送信するステップを含む。本願の実施形態で提供される方法及びデバイスによれば、ネットワークのカバレッジ能力が改善され、方法及びデバイスはモノのインターネット、例えばＭＴＣ、ＩｏＴ、ＬＴＥ−Ｍ、及びＭ２Ｍに適用されることが可能である。
2021518081.tif 000002
【特許請求の範囲】
【請求項１】
情報伝送方法であって：
ネットワーク・デバイスにより送信されたダウンリンク制御情報を端末デバイスにより受信するステップであって、前記ダウンリンク制御情報はリソース割り当てフィールドを含み、前記リソース割り当てフィールドは割り当てられたリソース・ブロック又はサブキャリア・リソースを示すために使用され；
前記リソース割り当てフィールドが、前記割り当てられたリソース・ブロックを示すために使用される場合、前記リソース割り当てフィールドは、
【数８６】
2021518081.tif 000101
個の高次ビットとＭ＋Ｘ個の低次ビットとを含み、前記
【数８７】
2021518081.tif 000102
個の高次ビットはナローバンドのインデックスを示し、前記Ｍ＋Ｘ個の低次ビットにおけるＭ個の高次ビットは前記ナローバンドにおけるリソース割り当てを示し、前記リソース割り当てフィールドにより示されるリソース・ブロックの量は１以上であり、Ｍは正の整数であり、Ｘは０以上の整数であり、ＮＵＬＲＢはアップリンク帯域幅に含まれるリソース・ブロックの量を表し；或いは
前記リソース割り当てフィールドが、前記割り当てられたサブキャリア・リソースを示すために使用される場合、前記リソース割り当てフィールドは、
【数８８】
2021518081.tif 000103
個の高次ビットとＬ個の低次ビットとを含み、前記
【数８９】
2021518081.tif 000104
個の高次ビットはナローバンドのインデックスを示し、前記Ｌ個の低次ビットはＫ個のリソース・ブロックにおけるサブキャリア・リソース割り当てを示し、前記リソース割り当てフィールドにより示されるサブキャリアの量は１２未満であり、Ｌは正の整数であり、Ｋは正の整数である、ステップ；及び
前記ダウンリンク制御情報に基づいて、割り当てられたリソースを前記端末デバイスにより決定し、前記割り当てられたリソースで情報を送信するステップ；
を含む方法。
【請求項２】
前記端末デバイスは、カバレッジ・エンハンスメント・レベル０、カバレッジ・エンハンスメント・レベル１、又はカバレッジ・エンハンスメント・モードＡにあり；
前記ダウンリンク制御情報は第１フィールドを更に含み、前記第１フィールドのサイズは２ビットであり；
前記第１フィールドは、３つの異なる量のリソース・ユニットをそれぞれ示す３つのビット状態を有し、及び／又は前記第１フィールドは、前記リソース割り当てフィールドが、前記割り当てられたリソース・ブロックを示すために使用されることを示す１つのビット状態を有し；及び
前記第１フィールドがリソース・ユニットの量を示す場合、前記リソース割り当てフィールドは前記サブキャリア・リソース割り当てを示す、
請求項１に記載の方法。
【請求項３】
前記第１フィールドのビット状態００は、前記リソース割り当てフィールドが、前記割り当てられたリソース・ブロックを示すために使用されることを示し；或いは
前記第１フィールドのビット状態１１は、前記リソース割り当てフィールドが、前記割り当てられたリソース・ブロックを示すために使用されることを示す、
請求項２に記載の方法。
【請求項４】
Ｋ＝５、Ｍ＝５、Ｌ＝５であり、前記リソース割り当てフィールドにより示される前記サブキャリア・リソースは、３つのサブキャリア又は６つのサブキャリアであり；
Ｋ＝３、Ｍ＝５、Ｌ＝５であり、前記リソース割り当てフィールドにより示される前記サブキャリア・リソースは、２つのサブキャリア、３つのサブキャリア、又は６つのサブキャリアであり；或いは
Ｋ＝６、Ｍ＝５、Ｌ＝６であり、前記リソース割り当てフィールドにより示される前記サブキャリア・リソースは、２つのサブキャリア、３つのサブキャリア、又は６つのサブキャリアである、
請求項１〜３のうちの何れか１項に記載の方法。
【請求項５】
Ｋ＝５、Ｍ＝５、Ｌ＝５であり、前記リソース割り当てフィールドを使用することにより割り当てられる前記サブキャリア・リソースが３つのサブキャリアである場合、前記ダウンリンク制御情報は第２フィールドを更に含み、前記第２フィールドは、前記３つのサブキャリアを使用することにより前記情報を送信すること、又は前記３つのサブキャリア内の２つの連続するサブキャリアを使用することにより前記情報を送信することを、前記端末デバイスに指示し；
Ｋ＝５、Ｍ＝５、Ｌ＝５であり、前記リソース割り当てフィールドを使用することにより割り当てられる前記サブキャリア・リソースが３つのサブキャリアである場合、前記ダウンリンク制御情報は第３フィールドを更に含み、前記第３フィールドは、前記端末デバイスにより実行されるべき情報伝送のための変調方式を示し、前記変調方式がＰｉ／２ＢＰＳＫ変調である場合に、前記端末デバイスは前記３つのサブキャリア内の２つの連続するサブキャリアを使用することにより前記情報を送信し、或いは前記変調方式が直交位相シフト・キーイングＱＰＳＫ変調である場合に、前記端末デバイスは前記３つのサブキャリアを使用することにより前記情報を送信し、Ｐｉは回転角が９０度であることを示し；
Ｋ＝３、Ｍ＝５、Ｌ＝５であり、前記リソース割り当てフィールドを使用することにより割り当てられる前記サブキャリア・リソースが２つのサブキャリアである場合、前記２つのサブキャリアが属するリソース・ブロック内の前記２つのサブキャリアのサブキャリア・インデックスは、｛０，１｝＋Ｈ，｛３，４｝＋Ｈ，｛６，７｝＋Ｈ，又は｛９，１０｝＋Ｈであり、Ｈはセル識別子に基づいて決定される値であり、前記Ｈの値は０又は１であり；或いは
Ｋ＝６、Ｍ＝５、Ｌ＝６であり、前記リソース割り当てフィールドを使用することにより割り当てられる前記サブキャリア・リソースが２つのサブキャリアである場合、前記２つのサブキャリアが属するリソース・ブロック内の前記２つのサブキャリアのサブキャリア・インデックスは、｛０，１｝＋Ｈ，｛３，４｝＋Ｈ，｛６，７｝＋Ｈ，又は｛９，１０｝＋Ｈであり、Ｈはセル識別子に基づいて決定される値であり、前記Ｈの値は０又は１である、
請求項４に記載の方法。
【請求項６】
前記端末デバイスは、カバレッジ・エンハンスメント・レベル２、カバレッジ・エンハンスメント・レベル３、又はカバレッジ・エンハンスメント・モードＢにあり；
前記ダウンリンク制御情報は第４フィールドを更に含み、前記第４フィールドのサイズは１ビットであり；及び
前記第４フィールドのビット状態が０である場合、前記リソース割り当てフィールドは前記割り当てられたリソース・ブロックを示すために使用され；或いは
前記第４フィールドのビット状態が１である場合、前記リソース割り当てフィールドは前記割り当てられたサブキャリア・リソースを示すために使用される、
請求項１に記載の方法。
【請求項７】
Ｋ＝２、Ｍ＝３、Ｌ＝４であり、前記リソース割り当てフィールドを使用することにより割り当てられる前記サブキャリア・リソースは、３つのサブキャリア又は６つのサブキャリアであり；
Ｋ＝２、Ｍ＝３、Ｌ＝５であり、前記リソース割り当てフィールドを使用することにより割り当てられる前記サブキャリア・リソースは、３つのサブキャリア又は６つのサブキャリアであり、前記リソース割り当てフィールドはリソース・ユニットの量を示し；或いは
Ｋ＝３、Ｍ＝３、Ｌ＝５であり、前記リソース割り当てフィールドを使用することにより割り当てられる前記サブキャリア・リソースは、２つのサブキャリア、３つのサブキャリア、又は６つのサブキャリアである、
請求項６に記載の方法。
【請求項８】
Ｋ＝２、Ｍ＝３、及びＬ＝４である場合、又はＫ＝３、Ｍ＝３、及びＬ＝５である場合に、前記ダウンリンク制御情報は第５フィールドを更に含み、前記第５フィールドのサイズは１ビットであり、前記第５フィールドは前記リソース・ユニットの量を示す、請求項７に記載の方法。
【請求項９】
情報伝送方法であって：
リソース・ブロック又はサブキャリア・リソースを端末デバイスに割り当てることをネットワーク・デバイスにより決定するステップ；
ダウンリンク制御情報を前記ネットワーク・デバイスにより決定するステップであって、前記ダウンリンク制御情報はリソース割り当てフィールドを含み、前記リソース割り当てフィールドは前記割り当てられたリソース・ブロック又はサブキャリア・リソースを示すために使用され；
前記リソース割り当てフィールドが、前記割り当てられたリソース・ブロックを示すために使用される場合、前記リソース割り当てフィールドは、
【数９０】
2021518081.tif 000105
個の高次ビットとＭ＋Ｘ個の低次ビットとを含み、前記
【数９１】
2021518081.tif 000106
個の高次ビットはナローバンドのインデックスを示し、前記Ｍ＋Ｘ個の低次ビットにおけるＭ個の高次ビットは前記ナローバンドにおけるリソース割り当てを示し、前記リソース割り当てフィールドにより示されるリソース・ブロックの量は１以上であり、Ｍは正の整数であり、Ｘは０以上の整数であり、ＮＵＬＲＢはアップリンク帯域幅に含まれるリソース・ブロックの量を表し；或いは
前記リソース割り当てフィールドが、前記割り当てられたサブキャリア・リソースを示すために使用される場合、前記リソース割り当てフィールドは、
【数９２】
2021518081.tif 000107
個の高次ビットとＬ個の低次ビットとを含み、前記
【数９３】
2021518081.tif 000108
個の高次ビットはナローバンドのインデックスを示し、前記Ｌ個の低次ビットはＫ個のリソース・ブロックにおけるサブキャリア・リソース割り当てを示し、前記リソース割り当てフィールドにより示されるサブキャリアの量は１２未満であり、Ｌは正の整数であり、Ｋは正の整数である、ステップ；
前記ネットワーク・デバイスにより、前記ダウンリンク制御情報を前記端末デバイスへ送信するステップ；及び
前記端末デバイスにより送信された情報を、前記ダウンリンク制御情報に基づいて決定されるリソースで前記ネットワーク・デバイスにより受信するステップ；
を含む方法。
【請求項１０】
前記端末デバイスは、カバレッジ・エンハンスメント・レベル０、カバレッジ・エンハンスメント・レベル１、又はカバレッジ・エンハンスメント・モードＡにあり；
前記ダウンリンク制御情報は第１フィールドを更に含み、前記第１フィールドのサイズは２ビットであり；
前記第１フィールドは、３つの異なる量のリソース・ユニットをそれぞれ示す３つのビット状態を有し、及び／又は前記第１フィールドは、前記リソース割り当てフィールドが、前記割り当てられたリソース・ブロックを示すために使用されることを示す１つのビット状態を有し；及び
前記第１フィールドがリソース・ユニットの量を示す場合、前記リソース割り当てフィールドは前記サブキャリア・リソース割り当てを示す、
請求項９に記載の方法。
【請求項１１】
前記第１フィールドのビット状態００は、前記リソース割り当てフィールドが、前記割り当てられたリソース・ブロックを示すために使用されることを示し；或いは
前記第１フィールドのビット状態１１は、前記リソース割り当てフィールドが、前記割り当てられたリソース・ブロックを示すために使用されることを示す、
請求項１０に記載の方法。
【請求項１２】
Ｋ＝５、Ｍ＝５、Ｌ＝５であり、前記リソース割り当てフィールドにより示される前記サブキャリア・リソースは、３つのサブキャリア又は６つのサブキャリアであり；
Ｋ＝３、Ｍ＝５、Ｌ＝５であり、前記リソース割り当てフィールドにより示される前記サブキャリア・リソースは、２つのサブキャリア、３つのサブキャリア、又は６つのサブキャリアであり；或いは
Ｋ＝６、Ｍ＝５、Ｌ＝６であり、前記リソース割り当てフィールドにより示される前記サブキャリア・リソースは、２つのサブキャリア、３つのサブキャリア、又は６つのサブキャリアである、
請求項９〜１１のうちの何れか１項に記載の方法。
【請求項１３】
Ｋ＝５、Ｍ＝５、Ｌ＝５であり、前記リソース割り当てフィールドを使用することにより割り当てられる前記サブキャリア・リソースが３つのサブキャリアである場合、前記ダウンリンク制御情報は第２フィールドを更に含み、前記第２フィールドは、前記３つのサブキャリアを使用することにより前記情報を送信すること、又は前記３つのサブキャリア内の２つの連続するサブキャリアを使用することにより前記情報を送信することを、前記端末デバイスに指示し；
Ｋ＝５、Ｍ＝５、Ｌ＝５であり、前記リソース割り当てフィールドを使用することにより割り当てられる前記サブキャリア・リソースが３つのサブキャリアである場合、前記ダウンリンク制御情報は第３フィールドを更に含み、前記第３フィールドは、前記端末デバイスにより実行されるべき情報伝送のための変調方式を示し、前記変調方式がＰｉ／２ＢＰＳＫ変調である場合に、前記端末デバイスは前記３つのサブキャリア内の２つの連続するサブキャリアを使用することにより前記情報を送信し、或いは前記変調方式が直交位相シフト・キーイングＱＰＳＫ変調である場合に、前記端末デバイスは前記３つのサブキャリアを使用することにより前記情報を送信し、Ｐｉ／２は回転角が９０度であることを示し；
Ｋ＝３、Ｍ＝５、Ｌ＝５であり、前記リソース割り当てフィールドを使用することにより割り当てられる前記サブキャリア・リソースが２つのサブキャリアである場合、前記２つのサブキャリアが属するリソース・ブロック内の前記２つのサブキャリアのサブキャリア・インデックスは、｛０，１｝＋Ｈ，｛３，４｝＋Ｈ，｛６，７｝＋Ｈ，又は｛９，１０｝＋Ｈであり、Ｈはセル識別子に基づいて決定される値であり、前記Ｈの値は０又は１であり；或いは
Ｋ＝６、Ｍ＝５、Ｌ＝６であり、前記リソース割り当てフィールドを使用することにより割り当てられる前記サブキャリア・リソースが２つのサブキャリアである場合、前記２つのサブキャリアが属するリソース・ブロック内の前記２つのサブキャリアのサブキャリア・インデックスは、｛０，１｝＋Ｈ，｛３，４｝＋Ｈ，｛６，７｝＋Ｈ，又は｛９，１０｝＋Ｈであり、Ｈはセル識別子に基づいて決定される値であり、前記Ｈの値は０又は１である、
請求項１２に記載の方法。
【請求項１４】
前記端末デバイスは、カバレッジ・エンハンスメント・レベル２、カバレッジ・エンハンスメント・レベル３、又はカバレッジ・エンハンスメント・モードＢにあり；
前記ダウンリンク制御情報は第４フィールドを更に含み、前記第４フィールドのサイズは１ビットであり；及び
前記第４フィールドのビット状態が０である場合、前記リソース割り当てフィールドは前記割り当てられたリソース・ブロックを示すために使用され；或いは
前記第４フィールドのビット状態が１である場合、前記リソース割り当てフィールドは前記割り当てられたサブキャリア・リソースを示すために使用される、
請求項９に記載の方法。
【請求項１５】
Ｋ＝２、Ｍ＝３、Ｌ＝４であり、前記リソース割り当てフィールドを使用することにより割り当てられる前記サブキャリア・リソースは、３つのサブキャリア又は６つのサブキャリアであり；
Ｋ＝２、Ｍ＝３、Ｌ＝５であり、前記リソース割り当てフィールドを使用することにより割り当てられる前記サブキャリア・リソースは、３つのサブキャリア又は６つのサブキャリアであり、前記リソース割り当てフィールドはリソース・ユニットの量を示し；或いは
Ｋ＝３、Ｍ＝３、Ｌ＝５であり、前記リソース割り当てフィールドを使用することにより割り当てられる前記サブキャリア・リソースは、２つのサブキャリア、３つのサブキャリア、又は６つのサブキャリアである、
請求項１４に記載の方法。
【請求項１６】
Ｋ＝２、Ｍ＝３、及びＬ＝４である場合、又はＫ＝３、Ｍ＝３、及びＬ＝５である場合に、前記ダウンリンク制御情報は第５フィールドを更に含み、前記第５フィールドのサイズは１ビットであり、前記第５フィールドは前記リソース・ユニットの量を示す、請求項１５に記載の方法。
【請求項１７】
端末デバイスであって：
ネットワーク・デバイスにより送信されたダウンリンク制御情報を受信するように構成された受信モジュールであって、前記ダウンリンク制御情報はリソース割り当てフィールドを含み、前記リソース割り当てフィールドは割り当てられたリソース・ブロック又はサブキャリア・リソースを示すために使用され；
前記リソース割り当てフィールドが、前記割り当てられたリソース・ブロックを示すために使用される場合、前記リソース割り当てフィールドは、
【数９４】
2021518081.tif 000109
個の高次ビットとＭ＋Ｘ個の低次ビットとを含み、前記
【数９５】
2021518081.tif 000110
個の高次ビットはナローバンドのインデックスを示し、前記Ｍ＋Ｘ個の低次ビットにおけるＭ個の高次ビットは前記ナローバンドにおけるリソース割り当てを示し、前記リソース割り当てフィールドにより示されるリソース・ブロックの量は１以上であり、Ｍは正の整数であり、Ｘは０以上の整数であり、ＮＵＬＲＢはアップリンク帯域幅に含まれるリソース・ブロックの量を表し；或いは
前記リソース割り当てフィールドが、前記割り当てられたサブキャリア・リソースを示すために使用される場合、前記リソース割り当てフィールドは、
【数９６】
2021518081.tif 000111
個の高次ビットとＬ個の低次ビットとを含み、前記
【数９７】
2021518081.tif 000112
個の高次ビットはナローバンドのインデックスを示し、前記Ｌ個の低次ビットはＫ個のリソース・ブロックにおけるサブキャリア・リソース割り当てを示し、前記リソース割り当てフィールドにより示されるサブキャリアの量は１２未満であり、Ｌは正の整数であり、Ｋは正の整数である、受信モジュール；
前記ダウンリンク制御情報に基づいて、割り当てられたリソースを決定するように構成された処理モジュール；及び
前記割り当てられたリソースで情報を送信するように構成された送信モジュール；
を含む端末デバイス。
【請求項１８】
前記端末デバイスは、カバレッジ・エンハンスメント・レベル０、カバレッジ・エンハンスメント・レベル１、又はカバレッジ・エンハンスメント・モードＡにあり；
前記ダウンリンク制御情報は第１フィールドを更に含み、前記第１フィールドのサイズは２ビットであり；
前記第１フィールドは、３つの異なる量のリソース・ユニットをそれぞれ示す３つのビット状態を有し、及び／又は前記第１フィールドは、前記リソース割り当てフィールドが、前記割り当てられたリソース・ブロックを示すために使用されることを示す１つのビット状態を有し；及び
前記第１フィールドがリソース・ユニットの量を示す場合、前記リソース割り当てフィールドは前記サブキャリア・リソース割り当てを示す、
請求項１７に記載の端末デバイス。
【請求項１９】
前記第１フィールドのビット状態００は、前記リソース割り当てフィールドが、前記割り当てられたリソース・ブロックを示すために使用されることを示し；或いは
前記第１フィールドのビット状態１１は、前記リソース割り当てフィールドが、前記割り当てられたリソース・ブロックを示すために使用されることを示す、
請求項１８に記載の端末デバイス。
【請求項２０】
Ｋ＝５、Ｍ＝５、Ｌ＝５であり、前記リソース割り当てフィールドにより示される前記サブキャリア・リソースは、３つのサブキャリア又は６つのサブキャリアであり；
Ｋ＝３、Ｍ＝５、Ｌ＝５であり、前記リソース割り当てフィールドにより示される前記サブキャリア・リソースは、２つのサブキャリア、３つのサブキャリア、又は６つのサブキャリアであり；或いは
Ｋ＝６、Ｍ＝５、Ｌ＝６であり、前記リソース割り当てフィールドにより示される前記サブキャリア・リソースは、２つのサブキャリア、３つのサブキャリア、又は６つのサブキャリアである、
請求項１７〜１９のうちの何れか１項に記載の端末デバイス。
【請求項２１】
Ｋ＝５、Ｍ＝５、Ｌ＝５であり、前記リソース割り当てフィールドを使用することにより割り当てられる前記サブキャリア・リソースが３つのサブキャリアである場合、前記ダウンリンク制御情報は第２フィールドを更に含み、前記第２フィールドは、前記３つのサブキャリアを使用することにより前記情報を送信すること、又は前記３つのサブキャリア内の２つの連続するサブキャリアを使用することにより前記情報を送信することを、前記端末デバイスに指示し；
Ｋ＝５、Ｍ＝５、Ｌ＝５であり、前記リソース割り当てフィールドを使用することにより割り当てられる前記サブキャリア・リソースが３つのサブキャリアである場合、前記ダウンリンク制御情報は第３フィールドを更に含み、前記第３フィールドは、前記端末デバイスにより実行されるべき情報伝送のための変調方式を示し、前記変調方式がＰｉ／２ＢＰＳＫ変調である場合に、前記端末デバイスは前記３つのサブキャリア内の２つの連続するサブキャリアを使用することにより前記情報を送信し、或いは前記変調方式が直交位相シフト・キーイングＱＰＳＫ変調である場合に、前記端末デバイスは前記３つのサブキャリアを使用することにより前記情報を送信し、Ｐｉ／２は回転角が９０度であることを示し；
Ｋ＝３、Ｍ＝５、Ｌ＝５であり、前記リソース割り当てフィールドを使用することにより割り当てられる前記サブキャリア・リソースが２つのサブキャリアである場合、前記２つのサブキャリアが属するリソース・ブロック内の前記２つのサブキャリアのサブキャリア・インデックスは、｛０，１｝＋Ｈ，｛３，４｝＋Ｈ，｛６，７｝＋Ｈ，又は｛９，１０｝＋Ｈであり、Ｈはセル識別子に基づいて決定される値であり、前記Ｈの値は０又は１であり；或いは
Ｋ＝６、Ｍ＝５、Ｌ＝６であり、前記リソース割り当てフィールドを使用することにより割り当てられる前記サブキャリア・リソースが２つのサブキャリアである場合、前記２つのサブキャリアが属するリソース・ブロック内の前記２つのサブキャリアのサブキャリア・インデックスは、｛０，１｝＋Ｈ，｛３，４｝＋Ｈ，｛６，７｝＋Ｈ，又は｛９，１０｝＋Ｈであり、Ｈはセル識別子に基づいて決定される値であり、前記Ｈの値は０又は１である、
請求項２０に記載の端末デバイス。
【請求項２２】
前記端末デバイスは、カバレッジ・エンハンスメント・レベル２、カバレッジ・エンハンスメント・レベル３、又はカバレッジ・エンハンスメント・モードＢにあり；
前記ダウンリンク制御情報は第４フィールドを更に含み、前記第４フィールドのサイズは１ビットであり；及び
前記第４フィールドのビット状態が０である場合、前記リソース割り当てフィールドは前記割り当てられたリソース・ブロックを示すために使用され；或いは
前記第４フィールドのビット状態が１である場合、前記リソース割り当てフィールドは前記割り当てられたサブキャリア・リソースを示すために使用される、
請求項１７に記載の端末デバイス。
【請求項２３】
Ｋ＝２、Ｍ＝３、Ｌ＝４であり、前記リソース割り当てフィールドを使用することにより割り当てられる前記サブキャリア・リソースは、３つのサブキャリア又は６つのサブキャリアであり；
Ｋ＝２、Ｍ＝３、Ｌ＝５であり、前記リソース割り当てフィールドを使用することにより割り当てられる前記サブキャリア・リソースは、３つのサブキャリア又は６つのサブキャリアであり、前記リソース割り当てフィールドはリソース・ユニットの量を示し；或いは
Ｋ＝３、Ｍ＝３、Ｌ＝５であり、前記リソース割り当てフィールドを使用することにより割り当てられる前記サブキャリア・リソースは、２つのサブキャリア、３つのサブキャリア、又は６つのサブキャリアである、
請求項２２に記載の端末デバイス。
【請求項２４】
Ｋ＝２、Ｍ＝３、及びＬ＝４である場合、又はＫ＝３、Ｍ＝３、及びＬ＝５である場合に、前記ダウンリンク制御情報は第５フィールドを更に含み、前記第５フィールドのサイズは１ビットであり、前記第５フィールドは前記リソース・ユニットの量を示す、請求項２３に記載の端末デバイス。
【請求項２５】
リソース・ブロック又はサブキャリア・リソースを端末デバイスに割り当てることを決定するように構成された処理モジュールであって、
前記処理モジュールは、ダウンリンク制御情報を決定するように構成されており、前記ダウンリンク制御情報はリソース割り当てフィールドを含み、前記リソース割り当てフィールドは前記割り当てられたリソース・ブロック又はサブキャリア・リソースを示すために使用され；
前記リソース割り当てフィールドが、前記割り当てられたリソース・ブロックを示すために使用される場合、前記リソース割り当てフィールドは、
【数９８】
2021518081.tif 000113
個の高次ビットとＭ＋Ｘ個の低次ビットとを含み、前記
【数９９】
2021518081.tif 000114
個の高次ビットはナローバンドのインデックスを示し、前記Ｍ＋Ｘ個の低次ビットにおけるＭ個の高次ビットは前記ナローバンドにおけるリソース割り当てを示し、前記リソース割り当てフィールドにより示されるリソース・ブロックの量は１以上であり、Ｍは正の整数であり、Ｘは０以上の整数であり、ＮＵＬＲＢはアップリンク帯域幅に含まれるリソース・ブロックの量を表し；或いは
前記リソース割り当てフィールドが、前記割り当てられたサブキャリア・リソースを示すために使用される場合、前記リソース割り当てフィールドは、
【数１００】
2021518081.tif 000115
個の高次ビットとＬ個の低次ビットとを含み、前記
【数１０１】
2021518081.tif 000116
個の高次ビットはナローバンドのインデックスを示し、前記Ｌ個の低次ビットはＫ個のリソース・ブロックにおけるサブキャリア・リソース割り当てを示し、前記リソース割り当てフィールドにより示されるサブキャリアの量は１２未満であり、Ｌは正の整数であり、Ｋは正の整数である、処理モジュール；
前記ダウンリンク制御情報を前記端末デバイスへ送信するように構成された送信モジュール；及び
前記端末デバイスにより送信された情報を、前記ダウンリンク制御情報に基づいて決定されるリソースで受信するように構成された受信モジュール；
を含むネットワーク・デバイス。
【請求項２６】
前記端末デバイスは、カバレッジ・エンハンスメント・レベル０、カバレッジ・エンハンスメント・レベル１、又はカバレッジ・エンハンスメント・モードＡにあり；
前記ダウンリンク制御情報は第１フィールドを更に含み、前記第１フィールドのサイズは２ビットであり；
前記第１フィールドは、３つの異なる量のリソース・ユニットをそれぞれ示す３つのビット状態を有し、及び／又は前記第１フィールドは、前記リソース割り当てフィールドが、前記割り当てられたリソース・ブロックを示すために使用されることを示す１つのビット状態を有し；及び
前記第１フィールドがリソース・ユニットの量を示す場合、前記リソース割り当てフィールドは前記サブキャリア・リソース割り当てを示す、
請求項２５に記載のネットワーク・デバイス。
【請求項２７】
前記第１フィールドのビット状態００は、前記リソース割り当てフィールドが、前記割り当てられたリソース・ブロックを示すために使用されることを示し；或いは
前記第１フィールドのビット状態１１は、前記リソース割り当てフィールドが、前記割り当てられたリソース・ブロックを示すために使用されることを示す、
請求項２６に記載のネットワーク・デバイス。
【請求項２８】
Ｋ＝５、Ｍ＝５、Ｌ＝５であり、前記リソース割り当てフィールドにより示される前記サブキャリア・リソースは、３つのサブキャリア又は６つのサブキャリアであり；
Ｋ＝３、Ｍ＝５、Ｌ＝５であり、前記リソース割り当てフィールドにより示される前記サブキャリア・リソースは、２つのサブキャリア、３つのサブキャリア、又は６つのサブキャリアであり；或いは
Ｋ＝６、Ｍ＝５、Ｌ＝６であり、前記リソース割り当てフィールドにより示される前記サブキャリア・リソースは、２つのサブキャリア、３つのサブキャリア、又は６つのサブキャリアである、
請求項２５〜２７のうちの何れか１項に記載のネットワーク・デバイス。
【請求項２９】
Ｋ＝５、Ｍ＝５、Ｌ＝５であり、前記リソース割り当てフィールドを使用することにより割り当てられる前記サブキャリア・リソースが３つのサブキャリアである場合、前記ダウンリンク制御情報は第２フィールドを更に含み、前記第２フィールドは、前記３つのサブキャリアを使用することにより前記情報を送信すること、又は前記３つのサブキャリア内の２つの連続するサブキャリアを使用することにより前記情報を送信することを、前記端末デバイスに指示し；
Ｋ＝５、Ｍ＝５、Ｌ＝５であり、前記リソース割り当てフィールドを使用することにより割り当てられる前記サブキャリア・リソースが３つのサブキャリアである場合、前記ダウンリンク制御情報は第３フィールドを更に含み、前記第３フィールドは、前記端末デバイスにより実行されるべき情報伝送のための変調方式を示し、前記変調方式がＰｉ／２ＢＰＳＫ変調である場合に、前記端末デバイスは前記３つのサブキャリア内の２つの連続するサブキャリアを使用することにより前記情報を送信し、或いは前記変調方式が直交位相シフト・キーイングＱＰＳＫ変調である場合に、前記端末デバイスは前記３つのサブキャリアを使用することにより前記情報を送信し、Ｐｉ／２は回転角が９０度であることを示し；
Ｋ＝３、Ｍ＝５、Ｌ＝５であり、前記リソース割り当てフィールドを使用することにより割り当てられる前記サブキャリア・リソースが２つのサブキャリアである場合、前記２つのサブキャリアが属するリソース・ブロック内の前記２つのサブキャリアのサブキャリア・インデックスは、｛０，１｝＋Ｈ，｛３，４｝＋Ｈ，｛６，７｝＋Ｈ，又は｛９，１０｝＋Ｈであり、Ｈはセル識別子に基づいて決定される値であり、前記Ｈの値は０又は１であり；或いは
Ｋ＝６、Ｍ＝５、Ｌ＝６であり、前記リソース割り当てフィールドを使用することにより割り当てられる前記サブキャリア・リソースが２つのサブキャリアである場合、前記２つのサブキャリアが属するリソース・ブロック内の前記２つのサブキャリアのサブキャリア・インデックスは、｛０，１｝＋Ｈ，｛３，４｝＋Ｈ，｛６，７｝＋Ｈ，又は｛９，１０｝＋Ｈであり、Ｈはセル識別子に基づいて決定される値であり、前記Ｈの値は０又は１である、
請求項２８に記載のネットワーク・デバイス。
【請求項３０】
前記端末デバイスは、カバレッジ・エンハンスメント・レベル２、カバレッジ・エンハンスメント・レベル３、又はカバレッジ・エンハンスメント・モードＢにあり；
前記ダウンリンク制御情報は第４フィールドを更に含み、前記第４フィールドのサイズは１ビットであり；及び
前記第４フィールドのビット状態が０である場合、前記リソース割り当てフィールドは前記割り当てられたリソース・ブロックを示すために使用され；或いは
前記第４フィールドのビット状態が１である場合、前記リソース割り当てフィールドは前記割り当てられたサブキャリア・リソースを示すために使用される、
請求項２５に記載のネットワーク・デバイス。
【請求項３１】
Ｋ＝２、Ｍ＝３、Ｌ＝４であり、前記リソース割り当てフィールドを使用することにより割り当てられる前記サブキャリア・リソースは、３つのサブキャリア又は６つのサブキャリアであり；
Ｋ＝２、Ｍ＝３、Ｌ＝５であり、前記リソース割り当てフィールドを使用することにより割り当てられる前記サブキャリア・リソースは、３つのサブキャリア又は６つのサブキャリアであり、前記リソース割り当てフィールドはリソース・ユニットの量を示し；或いは
Ｋ＝３、Ｍ＝３、Ｌ＝５であり、前記リソース割り当てフィールドを使用することにより割り当てられる前記サブキャリア・リソースは、２つのサブキャリア、３つのサブキャリア、又は６つのサブキャリアである、
請求項３０に記載のネットワーク・デバイス。
【請求項３２】
Ｋ＝２、Ｍ＝３、及びＬ＝４である場合、又はＫ＝３、Ｍ＝３、及びＬ＝５である場合に、前記ダウンリンク制御情報は第５フィールドを更に含み、前記第５フィールドのサイズは１ビットであり、前記第５フィールドは前記リソース・ユニットの量を示す、請求項３１に記載のネットワーク・デバイス。
【請求項３３】
プロセッサとメモリとを含む端末デバイスであって、前記プロセッサ及び前記メモリは互いに通信し；
前記メモリは命令を格納するように構成され；及び
前記プロセッサは、前記メモリ内の前記命令を実行し、請求項１〜８のうちの何れか１項に記載の方法を実行するように構成されている、端末デバイス。
【請求項３４】
プロセッサとメモリとを含む端末デバイスであって、前記プロセッサ及び前記メモリは互いに通信し；
前記メモリは命令を格納するように構成され；及び
前記プロセッサは、前記メモリ内の前記命令を実行し、請求項９〜１６のうちの何れか１項に記載の方法を実行するように構成されている、端末デバイス。
【請求項３５】
命令を含むコンピュータ読み取り可能な記憶媒体であって、前記命令がコンピュータにおいて動作すると、前記コンピュータは請求項１〜８又は請求項９〜１６のうちの何れか１項に記載の方法を実行するように動作することが可能である、記憶媒体。
【請求項３６】
命令を含むコンピュータ・プログラム・プロダクトであって、前記コンピュータ・プログラム・プロダクトがコンピュータにおいて動作すると、前記コンピュータは請求項１〜８又は請求項９〜１６のうちの何れか１項に記載の方法を実行するように動作することが可能である、コンピュータ・プログラム・プロダクト。
【発明の詳細な説明】
【技術分野】
【０００１】
本願の実施形態は通信分野、特に情報伝送方法及びデバイスに関する。
【背景技術】
【０００２】
マシン・タイプ通信（ｍａｃｈｉｎｅ  ｔｙｐｅ  ｃｏｍｍｕｎｉｃａｔｉｏｎ，ＭＴＣ）では、物理的な世界に関する情報を取得するために、知覚、演算、実行、通信の能力を有する様々なデバイスが配備され、ネットワークを利用することにより、情報の伝送、調整、及び処理が実現され、人とモノとの間、及びモノとモノとの間で相互接続を達成する。現在、ロング・ターム・エボリューション（ｌｏｎｇ  ｔｅｒｍ  ｅｖｏｌｕｔｉｏｎ，ＬＴＥ）のＲｅｌ（リリース）−１２、Ｒｅｌ−１３、Ｒｅｌ−１４、及びＲｅｌ−１５は、ＭＴＣサービスをサポートすることができる。
【０００３】
Ｒｅｌ−１４及び先行するリリースでは、物理アップリンク共有チャネル（ｐｈｙｓｉｃａｌ  ｕｐｌｉｎｋ  ｓｈａｒｅｄ  ｃｈａｎｎｅｌ，ＰＵＳＣＨ）にリソースを割り当てる最小単位は、１リソース・ブロックである。１２サブキャリアより少ないリソースをＰＵＳＣＨに割り当てることは、ＰＵＳＣＨのスペクトル効率を改善するために使用されることが可能な有効な技術的手段の１つである。
【０００４】
１２サブキャリアより少ないリソースをＰＵＳＣＨに割り当てる方法は、解決されるべき緊急の課題である。
【発明の概要】
【０００５】
本願の実施形態は、情報伝送方法及びデバイスを提供し、可能な限りネットワーク側の状況を考慮し、伝送リソースの無駄を回避する。
【０００６】
第１態様によれば、本願の実施形態は情報伝送方法を提供し、情報伝送方法は：
ネットワーク・デバイスにより送信されたダウンリンク制御情報を端末デバイスにより受信するステップであって、ダウンリンク制御情報はリソース割り当てフィールドを含み、リソース割り当てフィールドは割り当てられたリソース・ブロック又はサブキャリア・リソースを示すために使用され；
リソース割り当てフィールドが、割り当てられたリソース・ブロックを示すために使用される場合、リソース割り当てフィールドは、
【数１】
2021518081.tif 000003
個の高次ビットとＭ＋Ｘ個の低次ビットとを含み、
【数２】
2021518081.tif 000004
個の高次ビットはナローバンドのインデックスを示し、Ｍ＋Ｘ個の低次ビットにおけるＭ個の高次ビットはナローバンドにおけるリソース割り当てを示し、リソース割り当てフィールドにより示されるリソース・ブロックの量は１以上であり、Ｍは正の整数であり、Ｘは０以上の整数であり、ＮＵＬＲＢはアップリンク帯域幅に含まれるリソース・ブロックの量を表し；或いは
リソース割り当てフィールドが、割り当てられたサブキャリア・リソースを示すために使用される場合、リソース割り当てフィールドは、
【数３】
2021518081.tif 000005
個の高次ビットとＬ個の低次ビットとを含み、
【数４】
2021518081.tif 000006
個の高次ビットはナローバンドのインデックスを示し、Ｌ個の低次ビットはＫ個のリソース・ブロックにおけるサブキャリア・リソース割り当てを示し、リソース割り当てフィールドにより示されるサブキャリアの量は１２未満であり、Ｌは正の整数であり、Ｋは正の整数である、ステップ；及び
ダウンリンク制御情報に基づいて、割り当てられたリソースを端末デバイスにより決定し、割り当てられたリソースで情報を送信するステップを含む。
【０００７】
本願のこの実施形態では、ネットワーク・デバイスは、リソース割り当てフィールドのビット状態の様々な値を使用することにより、リソース・ブロック又はサブキャリア・リソースを端末デバイスに割り当てることを示す。リソース割り当てフィールドが、割り当てられたリソース・ブロックを示すために使用される場合、リソース割り当てフィールドは、
【数５】
2021518081.tif 000007
個の高次ビットとＭ＋Ｘ個の低次ビットとを含み、
【数６】
2021518081.tif 000008
個の高次ビットはナローバンドのインデックスを示し、Ｍ＋Ｘ個の低次ビットにおけるＭ個の高次ビットはナローバンドにおけるリソース割り当てを示し、リソース割り当てフィールドにより示されるリソース・ブロックの量は１以上であり；或いはリソース割り当てフィールドが、割り当てられたサブキャリア・リソースを示すために使用される場合、リソース割り当てフィールドは、
【数７】
2021518081.tif 000009
個の高次ビットとＬ個の低次ビットとを含み、
【数８】
2021518081.tif 000010
個の高次ビットはナローバンドのインデックスを示し、Ｌ個の低次ビットはＫ個のリソース・ブロックにおけるサブキャリア・リソース割り当てを示し、リソース割り当てフィールドにより示されるサブキャリアの量は１２未満である。このように、１２サブキャリアより少ないリソースを割り当てることができ、その結果、有効なリソースをより多くのＵＥに割り当てることができ、スペクトル効率が改善される。
【０００８】
第１態様の可能な設計において、端末デバイスは、カバレッジ・エンハンスメント・レベル０、カバレッジ・エンハンスメント・レベル１、又はカバレッジ・エンハンスメント・モードＡにあり；
ダウンリンク制御情報は第１フィールドを更に含み、第１フィールドのサイズは２ビットであり；
第１フィールドは、３つの異なる量のリソース・ユニットをそれぞれ示す３つのビット状態を有し、及び／又は第１フィールドは、リソース割り当てフィールドが、割り当てられたリソース・ブロックを示すために使用されることを示す１つのビット状態を有し；及び
第１フィールドがリソース・ユニットの量を示す場合、リソース割り当てフィールドはサブキャリア・リソース割り当てを示す。
【０００９】
本願のこの実施形態では、第１フィールドがリソース・ユニットの量を示す３ビット状態を有する場合、リソース割り当てフィールドはサブキャリア・リソース割り当てを示す。換言すれば、端末デバイスは、リソース割り当てフィールドのビット状態に基づいて、ネットワーク・デバイスが端末デバイスに割り当てたサブキャリア・リソースを決定することができる。
【００１０】
第１態様の可能な設計において、
第１フィールドのビット状態００は、リソース割り当てフィールドが、割り当てられたリソース・ブロックを示すために使用されることを示し；或いは
第１フィールドのビット状態１１は、リソース割り当てフィールドが、割り当てられたリソース・ブロックを示すために使用されることを示す。
【００１１】
第１態様の可能な設計において、
Ｋ＝５、Ｍ＝５、Ｌ＝５であり、リソース割り当てフィールドにより示されるサブキャリア・リソースは、３つのサブキャリア又は６つのサブキャリアであり；
Ｋ＝３、Ｍ＝５、Ｌ＝５であり、リソース割り当てフィールドにより示されるサブキャリア・リソースは、２つのサブキャリア、３つのサブキャリア、又は６つのサブキャリアであり；或いは
Ｋ＝６、Ｍ＝５、Ｌ＝６であり、リソース割り当てフィールドにより示されるサブキャリア・リソースは、２つのサブキャリア、３つのサブキャリア、又は６つのサブキャリアである。
【００１２】
第１態様の可能な設計において、
Ｋ＝５、Ｍ＝５、Ｌ＝５であり、リソース割り当てフィールドを使用することにより割り当てられるサブキャリア・リソースは３つのサブキャリアであり、ダウンリンク制御情報は第２フィールドを更に含み、第２フィールドは、３つのサブキャリアを使用することにより情報を送信すること、又は３つのサブキャリア内の２つの連続するサブキャリアを使用することにより情報を送信することを、端末デバイスに指示し；
Ｋ＝５、Ｍ＝５、Ｌ＝５であり、リソース割り当てフィールドを使用することにより割り当てられるサブキャリア・リソースは３つのサブキャリアであり、ダウンリンク制御情報は第３フィールドを更に含み、第３フィールドは、端末デバイスにより実行されるべき情報伝送のための変調方式を示し、変調方式がＰｉ／２ＢＰＳＫ変調である場合に、端末デバイスは３つのサブキャリア内の２つの連続するサブキャリアを使用することにより情報を送信し、或いは変調方式が直交位相シフト・キーイングＱＰＳＫ変調である場合に、端末デバイスは３つのサブキャリアを使用することにより情報を送信し、Ｐｉは回転角が９０度であることを示し；
Ｋ＝３、Ｍ＝５、Ｌ＝５であり、リソース割り当てフィールドを使用することにより割り当てられるサブキャリア・リソースは２つのサブキャリアであり、２つのサブキャリアが属するリソース・ブロック内の２つのサブキャリアのサブキャリア・インデックスは、｛０，１｝＋Ｈ，｛３，４｝＋Ｈ，｛６，７｝＋Ｈ，又は｛９，１０｝＋Ｈであり、Ｈはセル識別子に基づいて決定される値であり、Ｈの値は０又は１であり；或いは
Ｋ＝６、Ｍ＝５、Ｌ＝６であり、リソース割り当てフィールドを使用することにより割り当てられるサブキャリア・リソースは２つのサブキャリアであり、２つのサブキャリアが属するリソース・ブロック内の２つのサブキャリアのサブキャリア・インデックスは、｛０，１｝＋Ｈ，｛３，４｝＋Ｈ，｛６，７｝＋Ｈ，又は｛９，１０｝＋Ｈであり、Ｈはセル識別子に基づいて決定される値であり、Ｈの値は０又は１である。
【００１３】
本願のこの実施形態では、ダウンリンク制御情報は、第２フィールド又は第３フィールドを更に搬送することが可能であり、端末デバイスは、第２フィールドを使用することにより、３つのサブキャリアを使用して情報を伝送すること、又は３つのサブキャリア内の２つの連続するサブキャリアを使用して情報を伝送することを、端末デバイスに更に示すことができ；或いは端末デバイスは、第３フィールドを使用することにより、情報伝送のための変調方式を決定することができる。例えば、変調方式は、Ｐｉ／２ＢＰＳＫ変調又はＱＰＳＫ変調を含んでもよい。このように、端末デバイスは、ネットワーク・デバイスにより示される変調方式に基づいて情報を送信することが可能である。
【００１４】
第１態様の可能な設計において、
端末デバイスは、カバレッジ・エンハンスメント・レベル２、カバレッジ・エンハンスメント・レベル３、又はカバレッジ・エンハンスメント・モードＢにあり；
ダウンリンク制御情報は第４フィールドを更に含み、第４フィールドのサイズは１ビットであり；及び
第４フィールドのビット状態が０である場合、リソース割り当てフィールドは割り当てられたリソース・ブロックを示すために使用され；或いは
第４フィールドのビット状態が１である場合、リソース割り当てフィールドは割り当てられたサブキャリア・リソースを示すために使用される。
【００１５】
本願のこの実施形態では、端末デバイスは、リソース割り当てフィールドが、割り当てられたリソース・ブロック又は割り当てられたサブキャリア・リソースを示すために使用されているかどうかを、第４フィールドのビット状態の値に基づいて判定することができる。
【００１６】
第１態様の可能な設計において、
Ｋ＝２、Ｍ＝３、Ｌ＝４であり、リソース割り当てフィールドを使用することにより割り当てられるサブキャリア・リソースは、３つのサブキャリア又は６つのサブキャリアであり；或いは
Ｋ＝２、Ｍ＝３、Ｌ＝５であり、リソース割り当てフィールドを使用することにより割り当てられるサブキャリア・リソースは、３つのサブキャリア又は６つのサブキャリアであり、リソース割り当てフィールドはリソース・ユニットの量を示す。
【００１７】
第１態様の可能な設計において、
Ｋ＝２、Ｍ＝３、及びＬ＝４である場合に、ダウンリンク制御情報は第５フィールドを更に含み、第５フィールドのサイズは１ビットであり、第５フィールドはリソース・ユニットの量を示す。
【００１８】
第２態様によれば、本願の実施形態は情報伝送方法を提供し、情報伝送方法は：
リソース・ブロック又はサブキャリア・リソースを端末デバイスに割り当てることをネットワーク・デバイスにより決定するステップ；
ダウンリンク制御情報をネットワーク・デバイスにより決定するステップであって、ダウンリンク制御情報はリソース割り当てフィールドを含み、リソース割り当てフィールドは割り当てられたリソース・ブロック又はサブキャリア・リソースを示すために使用され；
リソース割り当てフィールドが、割り当てられたリソース・ブロックを示すために使用される場合、リソース割り当てフィールドは、
【数９】
2021518081.tif 000011
個の高次ビットとＭ＋Ｘ個の低次ビットとを含み、
【数１０】
2021518081.tif 000012
個の高次ビットはナローバンドのインデックスを示し、Ｍ＋Ｘ個の低次ビットにおけるＭ個の高次ビットはナローバンドにおけるリソース割り当てを示し、リソース割り当てフィールドにより示されるリソース・ブロックの量は１以上であり、Ｍは正の整数であり、Ｘは０以上の整数であり、ＮＵＬＲＢはアップリンク帯域幅に含まれるリソース・ブロックの量を表し；或いは
リソース割り当てフィールドが、割り当てられたサブキャリア・リソースを示すために使用される場合、リソース割り当てフィールドは、
【数１１】
2021518081.tif 000013
個の高次ビットとＬ個の低次ビットとを含み、
【数１２】
2021518081.tif 000014
個の高次ビットはナローバンドのインデックスを示し、Ｌ個の低次ビットはＫ個のリソース・ブロックにおけるサブキャリア・リソース割り当てを示し、リソース割り当てフィールドにより示されるサブキャリアの量は１２未満であり、Ｌは正の整数であり、Ｋは正の整数である、ステップ；
ネットワーク・デバイスにより、ダウンリンク制御情報を端末デバイスへ送信するステップ；及び
端末デバイスにより送信された情報を、ダウンリンク制御情報に基づいて決定されるリソースでネットワーク・デバイスにより受信するステップを含む方法。
【００１９】
第２態様の可能な設計において、
端末デバイスは、カバレッジ・エンハンスメント・レベル０、カバレッジ・エンハンスメント・レベル１、又はカバレッジ・エンハンスメント・モードＡにあり；
ダウンリンク制御情報は第１フィールドを更に含み、第１フィールドのサイズは２ビットであり；
第１フィールドは、３つの異なる量のリソース・ユニットをそれぞれ示す３つのビット状態を有し、及び／又は第１フィールドは、リソース割り当てフィールドが、割り当てられたリソース・ブロックを示すために使用されることを示す１つのビット状態を有し；及び
第１フィールドがリソース・ユニットの量を示す場合、リソース割り当てフィールドはサブキャリア・リソース割り当てを示す。
【００２０】
第２態様の可能な設計において、
第１フィールドのビット状態００は、リソース割り当てフィールドが、割り当てられたリソース・ブロックを示すために使用されることを示し；或いは
第１フィールドのビット状態１１は、リソース割り当てフィールドが、割り当てられたリソース・ブロックを示すために使用されることを示す。
【００２１】
第２態様の可能な設計において、
Ｋ＝５、Ｍ＝５、Ｌ＝５であり、リソース割り当てフィールドにより示されるサブキャリア・リソースは、３つのサブキャリア又は６つのサブキャリアであり；
Ｋ＝３、Ｍ＝５、Ｌ＝５であり、リソース割り当てフィールドにより示されるサブキャリア・リソースは、２つのサブキャリア、３つのサブキャリア、又は６つのサブキャリアであり；或いは
Ｋ＝６、Ｍ＝５、Ｌ＝６であり、リソース割り当てフィールドにより示されるサブキャリア・リソースは、２つのサブキャリア、３つのサブキャリア、又は６つのサブキャリアである。
【００２２】
第２態様の可能な設計において、
Ｋ＝５、Ｍ＝５、Ｌ＝５であり、リソース割り当てフィールドを使用することにより割り当てられるサブキャリア・リソースは３つのサブキャリアであり、ダウンリンク制御情報は第２フィールドを更に含み、第２フィールドは、３つのサブキャリアを使用することにより情報を送信すること、又は３つのサブキャリア内の２つの連続するサブキャリアを使用することにより情報を送信することを、端末デバイスに指示し；
Ｋ＝５、Ｍ＝５、Ｌ＝５であり、リソース割り当てフィールドを使用することにより割り当てられるサブキャリア・リソースは３つのサブキャリアであり、ダウンリンク制御情報は第３フィールドを更に含み、第３フィールドは、端末デバイスにより実行されるべき情報伝送のための変調方式を示し、変調方式がＰｉ／２ＢＰＳＫ変調である場合に、端末デバイスは３つのサブキャリア内の２つの連続するサブキャリアを使用することにより情報を送信し、或いは変調方式が直交位相シフト・キーイングＱＰＳＫ変調である場合に、端末デバイスは前記３つのサブキャリアを使用することにより情報を送信し、Ｐｉ／２は回転角が９０度であることを示し；
Ｋ＝３、Ｍ＝５、Ｌ＝５であり、リソース割り当てフィールドを使用することにより割り当てられるサブキャリア・リソースは２つのサブキャリアであり、２つのサブキャリアが属するリソース・ブロック内の２つのサブキャリアのサブキャリア・インデックスは、｛０，１｝＋Ｈ，｛３，４｝＋Ｈ，｛６，７｝＋Ｈ，又は｛９，１０｝＋Ｈであり、Ｈはセル識別子に基づいて決定される値であり、Ｈの値は０又は１であり；或いは
Ｋ＝６、Ｍ＝５、Ｌ＝６であり、リソース割り当てフィールドを使用することにより割り当てられるサブキャリア・リソースは２つのサブキャリアであり、２つのサブキャリアが属するリソース・ブロック内の２つのサブキャリアのサブキャリア・インデックスは、｛０，１｝＋Ｈ，｛３，４｝＋Ｈ，｛６，７｝＋Ｈ，又は｛９，１０｝＋Ｈであり、Ｈはセル識別子に基づいて決定される値であり、Ｈの値は０又は１である。
【００２３】
第２態様の可能な設計において、
端末デバイスは、カバレッジ・エンハンスメント・レベル２、カバレッジ・エンハンスメント・レベル３、又はカバレッジ・エンハンスメント・モードＢにあり；
ダウンリンク制御情報は第４フィールドを更に含み、第４フィールドのサイズは１ビットであり；及び
第４フィールドのビット状態が０である場合、リソース割り当てフィールドは割り当てられたリソース・ブロックを示すために使用され；或いは
第４フィールドのビット状態が１である場合、リソース割り当てフィールドは割り当てられたサブキャリア・リソースを示すために使用される。
【００２４】
第２態様の可能な設計において、
Ｋ＝２、Ｍ＝３、Ｌ＝４であり、リソース割り当てフィールドを使用することにより割り当てられるサブキャリア・リソースは、３つのサブキャリア又は６つのサブキャリアであり；
Ｋ＝２、Ｍ＝３、Ｌ＝５であり、リソース割り当てフィールドを使用することにより割り当てられるサブキャリア・リソースは、３つのサブキャリア又は６つのサブキャリアであり、リソース割り当てフィールドはリソース・ユニットの量を示す。
【００２５】
第２態様の可能な設計において、
Ｋ＝２、Ｍ＝３、及びＬ＝４である場合に、ダウンリンク制御情報は第５フィールドを更に含み、第５フィールドのサイズは１ビットであり、第５フィールドはリソース・ユニットの量を示す。
【００２６】
第３態様によれば、本願の実施形態は端末デバイスを提供し、端末デバイスは：
ネットワーク・デバイスにより送信されたダウンリンク制御情報を受信するように構成された受信モジュールであって、ダウンリンク制御情報はリソース割り当てフィールドを含み、リソース割り当てフィールドは割り当てられたリソース・ブロック又はサブキャリア・リソースを示すために使用され；
リソース割り当てフィールドが、割り当てられたリソース・ブロックを示すために使用される場合、リソース割り当てフィールドは、
【数１３】
2021518081.tif 000015
個の高次ビットとＭ＋Ｘ個の低次ビットとを含み、
【数１４】
2021518081.tif 000016
個の高次ビットはナローバンドのインデックスを示し、Ｍ＋Ｘ個の低次ビットにおけるＭ個の高次ビットはナローバンドにおけるリソース割り当てを示し、リソース割り当てフィールドにより示されるリソース・ブロックの量は１以上であり、Ｍは正の整数であり、Ｘは０以上の整数であり、ＮＵＬＲＢはアップリンク帯域幅に含まれるリソース・ブロックの量を表し；或いは
リソース割り当てフィールドが、割り当てられたサブキャリア・リソースを示すために使用される場合、リソース割り当てフィールドは、
【数１５】
2021518081.tif 000017
個の高次ビットとＬ個の低次ビットとを含み、
【数１６】
2021518081.tif 000018
個の高次ビットはナローバンドのインデックスを示、Ｌ個の低次ビットはＫ個のリソース・ブロックにおけるサブキャリア・リソース割り当てを示し、リソース割り当てフィールドにより示されるサブキャリアの量は１２未満であり、Ｌは正の整数であり、Ｋは正の整数である、受信モジュール；
ダウンリンク制御情報に基づいて、割り当てられたリソースを決定するように構成された処理モジュール；及び
割り当てられたリソースで情報を送信するように構成された送信モジュールを含む。
【００２７】
第３態様の可能な設計において、
端末デバイスは、カバレッジ・エンハンスメント・レベル０、カバレッジ・エンハンスメント・レベル１、又はカバレッジ・エンハンスメント・モードＡにあり；
ダウンリンク制御情報は第１フィールドを更に含み、第１フィールドのサイズは２ビットであり；
第１フィールドは、３つの異なる量のリソース・ユニットをそれぞれ示す３つのビット状態を有し、及び／又は第１フィールドは、リソース割り当てフィールドが、割り当てられたリソース・ブロックを示すために使用されることを示す１つのビット状態を有し；及び
第１フィールドがリソース・ユニットの量を示す場合、前記リソース割り当てフィールドはサブキャリア・リソース割り当てを示す。
【００２８】
第３態様の可能な設計において、
第１フィールドのビット状態００は、リソース割り当てフィールドが、割り当てられたリソース・ブロックを示すために使用されることを示し；或いは
第１フィールドのビット状態１１は、リソース割り当てフィールドが、割り当てられたリソース・ブロックを示すために使用されることを示す。
【００２９】
第３態様の可能な設計において、
Ｋ＝５、Ｍ＝５、Ｌ＝５であり、リソース割り当てフィールドにより示されるサブキャリア・リソースは、３つのサブキャリア又は６つのサブキャリアであり；
Ｋ＝３、Ｍ＝５、Ｌ＝５であり、リソース割り当てフィールドにより示されるサブキャリア・リソースは、２つのサブキャリア、３つのサブキャリア、又は６つのサブキャリアであり；或いは
Ｋ＝６、Ｍ＝５、Ｌ＝６であり、リソース割り当てフィールドにより示されるサブキャリア・リソースは、２つのサブキャリア、３つのサブキャリア、又は６つのサブキャリアである。
【００３０】
第３態様の可能な設計において、
Ｋ＝５、Ｍ＝５、Ｌ＝５であり、リソース割り当てフィールドを使用することにより割り当てられるサブキャリア・リソースは３つのサブキャリアであり、ダウンリンク制御情報は第２フィールドを更に含み、第２フィールドは、３つのサブキャリアを使用することにより情報を送信すること、又は３つのサブキャリア内の２つの連続するサブキャリアを使用することにより情報を送信することを、端末デバイスに指示し；
Ｋ＝５、Ｍ＝５、Ｌ＝５であり、リソース割り当てフィールドを使用することにより割り当てられるサブキャリア・リソースは３つのサブキャリアであり、ダウンリンク制御情報は第３フィールドを更に含み、第３フィールドは、端末デバイスにより実行されるべき情報伝送のための変調方式を示し、変調方式がＰｉ／２ＢＰＳＫ変調である場合に、端末デバイスは３つのサブキャリア内の２つの連続するサブキャリアを使用することにより情報を送信し、或いは変調方式が直交位相シフト・キーイングＱＰＳＫ変調である場合に、端末デバイスは３つのサブキャリアを使用することにより情報を送信し、Ｐｉ／２は回転角が９０度であることを示し；
Ｋ＝３、Ｍ＝５、Ｌ＝５であり、リソース割り当てフィールドを使用することにより割り当てられるサブキャリア・リソースは２つのサブキャリアであり、２つのサブキャリアが属するリソース・ブロック内の２つのサブキャリアのサブキャリア・インデックスは、｛０，１｝＋Ｈ，｛３，４｝＋Ｈ，｛６，７｝＋Ｈ，又は｛９，１０｝＋Ｈであり、Ｈはセル識別子に基づいて決定される値であり、Ｈの値は０又は１であり；或いは
Ｋ＝６、Ｍ＝５、Ｌ＝６であり、リソース割り当てフィールドを使用することにより割り当てられるサブキャリア・リソースは２つのサブキャリアであり、２つのサブキャリアが属するリソース・ブロック内の２つのサブキャリアのサブキャリア・インデックスは、｛０，１｝＋Ｈ，｛３，４｝＋Ｈ，｛６，７｝＋Ｈ，又は｛９，１０｝＋Ｈであり、Ｈはセル識別子に基づいて決定される値であり、Ｈの値は０又は１である。
【００３１】
第３態様の可能な設計において、
端末デバイスは、カバレッジ・エンハンスメント・レベル２、カバレッジ・エンハンスメント・レベル３、又はカバレッジ・エンハンスメント・モードＢにあり；
ダウンリンク制御情報は第４フィールドを更に含み、第４フィールドのサイズは１ビットであり；及び
第４フィールドのビット状態が０である場合、リソース割り当てフィールドは割り当てられたリソース・ブロックを示すために使用され；或いは
第４フィールドのビット状態が１である場合、リソース割り当てフィールドは前記割り当てられたサブキャリア・リソースを示すために使用される。
【００３２】
第３態様の可能な設計において、
Ｋ＝２、Ｍ＝３、Ｌ＝４であり、リソース割り当てフィールドを使用することにより割り当てられるサブキャリア・リソースは、３つのサブキャリア又は６つのサブキャリアであり；
Ｋ＝２、Ｍ＝３、Ｌ＝５であり、リソース割り当てフィールドを使用することにより割り当てられるサブキャリア・リソースは、３つのサブキャリア又は６つのサブキャリアであり、リソース割り当てフィールドはリソース・ユニットの量を示す。
【００３３】
第３態様の可能な設計において、
Ｋ＝２、Ｍ＝３、及びＬ＝４である場合に、ダウンリンク制御情報は第５フィールドを更に含み、第５フィールドのサイズは１ビットであり、第５フィールドはリソース・ユニットの量を示す。
【００３４】
本願の第３態様では、端末デバイスの構成モジュールは、第１態様及び可能な実装で説明されたステップを更に実行することができる。詳細については、第１形態及び可能な実装における説明を参照されたい。
【００３５】
第４態様によれば、本願の実施形態はネットワーク・デバイスを提供し、ネットワーク・デバイスは：
リソース・ブロック又はサブキャリア・リソースを端末デバイスに割り当てることを決定するように構成された処理モジュールであって、
処理モジュールは、ダウンリンク制御情報を決定するように構成されており、ダウンリンク制御情報はリソース割り当てフィールドを含み、リソース割り当てフィールドは割り当てられたリソース・ブロック又はサブキャリア・リソースを示すために使用され；
リソース割り当てフィールドが、割り当てられたリソース・ブロックを示すために使用される場合、リソース割り当てフィールドは、
【数１７】
2021518081.tif 000019
個の高次ビットとＭ＋Ｘ個の低次ビットとを含み、
【数１８】
2021518081.tif 000020
個の高次ビットはナローバンドのインデックスを示し、Ｍ＋Ｘ個の低次ビットにおけるＭ個の高次ビットはナローバンドにおけるリソース割り当てを示し、リソース割り当てフィールドにより示されるリソース・ブロックの量は１以上であり、Ｍは正の整数であり、Ｘは０以上の整数であり、ＮＵＬＲＢはアップリンク帯域幅に含まれるリソース・ブロックの量を表し；或いは
リソース割り当てフィールドが、割り当てられたサブキャリア・リソースを示すために使用される場合、リソース割り当てフィールドは、
【数１９】
2021518081.tif 000021
個の高次ビットとＬ個の低次ビットとを含み、
【数２０】
2021518081.tif 000022
個の高次ビットはナローバンドのインデックスを示し、Ｌ個の低次ビットはＫ個のリソース・ブロックにおけるサブキャリア・リソース割り当てを示し、リソース割り当てフィールドにより示されるサブキャリアの量は１２未満であり、Ｌは正の整数であり、Ｋは正の整数である、処理モジュール；
ダウンリンク制御情報を前記端末デバイスへ送信するように構成された送信モジュール；及び
端末デバイスにより送信された情報を、ダウンリンク制御情報に基づいて決定されるリソースで受信するように構成された受信モジュールを含む。
【００３６】
第４形態の可能な設計において、
端末デバイスは、カバレッジ・エンハンスメント・レベル０、カバレッジ・エンハンスメント・レベル１、又はカバレッジ・エンハンスメント・モードＡにあり；
ダウンリンク制御情報は第１フィールドを更に含み、第１フィールドのサイズは２ビットであり；
第１フィールドは、３つの異なる量のリソース・ユニットをそれぞれ示す３つのビット状態を有し、及び／又は第１フィールドは、リソース割り当てフィールドが、割り当てられたリソース・ブロックを示すために使用されることを示す１つのビット状態を有し；
第１フィールドがリソース・ユニットの量を示す場合、リソース割り当てフィールドはサブキャリア・リソース割り当てを示す。
【００３７】
第４形態の可能な設計において、
第１フィールドのビット状態００は、リソース割り当てフィールドが、割り当てられたリソース・ブロックを示すために使用されることを示し；或いは
第１フィールドのビット状態１１は、リソース割り当てフィールドが、割り当てられたリソース・ブロックを示すために使用されることを示す。
【００３８】
第４形態の可能な設計において、
Ｋ＝５、Ｍ＝５、Ｌ＝５であり、リソース割り当てフィールドにより示されるサブキャリア・リソースは、３つのサブキャリア又は６つのサブキャリアであり；
Ｋ＝３、Ｍ＝５、Ｌ＝５であり、リソース割り当てフィールドにより示されるサブキャリア・リソースは、２つのサブキャリア、３つのサブキャリア、又は６つのサブキャリアであり；或いは
Ｋ＝６、Ｍ＝５、Ｌ＝６であり、リソース割り当てフィールドにより示されるサブキャリア・リソースは、２つのサブキャリア、３つのサブキャリア、又は６つのサブキャリアである。
【００３９】
第４形態の可能な設計において、
Ｋ＝５、Ｍ＝５、Ｌ＝５であり、リソース割り当てフィールドを使用することにより割り当てられるサブキャリア・リソースは３つのサブキャリアであり、ダウンリンク制御情報は第２フィールドを更に含み、第２フィールドは、３つのサブキャリアを使用することにより情報を送信すること、又は３つのサブキャリア内の２つの連続するサブキャリアを使用することにより情報を送信することを、端末デバイスに指示し；
Ｋ＝５、Ｍ＝５、Ｌ＝５であり、リソース割り当てフィールドを使用することにより割り当てられるサブキャリア・リソースは３つのサブキャリアであり、ダウンリンク制御情報は第３フィールドを更に含み、第３フィールドは、端末デバイスにより実行されるべき情報伝送のための変調方式を示し、変調方式がＰｉ／２ＢＰＳＫ変調である場合に、端末デバイスは３つのサブキャリア内の２つの連続するサブキャリアを使用することにより情報を送信し、或いは変調方式が直交位相シフト・キーイングＱＰＳＫ変調である場合に、端末デバイスは３つのサブキャリアを使用することにより情報を送信し、Ｐｉ／２は回転角が９０度であることを示し；
Ｋ＝３、Ｍ＝５、Ｌ＝５であり、リソース割り当てフィールドを使用することにより割り当てられるサブキャリア・リソースは２つのサブキャリアであり、２つのサブキャリアが属するリソース・ブロック内の２つのサブキャリアのサブキャリア・インデックスは、｛０，１｝＋Ｈ，｛３，４｝＋Ｈ，｛６，７｝＋Ｈ，又は｛９，１０｝＋Ｈであり、Ｈはセル識別子に基づいて決定される値であり、Ｈの値は０又は１であり；或いは
Ｋ＝６、Ｍ＝５、Ｌ＝６であり、リソース割り当てフィールドを使用することにより割り当てられるサブキャリア・リソースは２つのサブキャリアであり、２つのサブキャリアが属するリソース・ブロック内の２つのサブキャリアのサブキャリア・インデックスは、｛０，１｝＋Ｈ，｛３，４｝＋Ｈ，｛６，７｝＋Ｈ，又は｛９，１０｝＋Ｈであり、Ｈはセル識別子に基づいて決定される値であり、Ｈの値は０又は１である。
【００４０】
第４形態の可能な設計において、
端末デバイスは、カバレッジ・エンハンスメント・レベル２、カバレッジ・エンハンスメント・レベル３、又はカバレッジ・エンハンスメント・モードＢにあり；
ダウンリンク制御情報は第４フィールドを更に含み、第４フィールドのサイズは１ビットであり；及び
第４フィールドのビット状態が０である場合、リソース割り当てフィールドは割り当てられたリソース・ブロックを示すために使用され；或いは
第４フィールドのビット状態が１である場合、リソース割り当てフィールドは割り当てられたサブキャリア・リソースを示すために使用される。
【００４１】
第４形態の可能な設計において、
Ｋ＝２、Ｍ＝３、Ｌ＝４であり、リソース割り当てフィールドを使用することにより割り当てられるサブキャリア・リソースは、３つのサブキャリア又は６つのサブキャリアであり；
Ｋ＝２、Ｍ＝３、Ｌ＝５であり、リソース割り当てフィールドを使用することにより割り当てられるサブキャリア・リソースは、３つのサブキャリア又は６つのサブキャリアであり、リソース割り当てフィールドはリソース・ユニットの量を示す。
【００４２】
第４形態の可能な設計において、
Ｋ＝２、Ｍ＝３、及びＬ＝４である場合である場合に、ダウンリンク制御情報は第５フィールドを更に含み、第５フィールドのサイズは１ビットであり、第５フィールドはリソース・ユニットの量を示す。
【００４３】
本願の第４態様では、ネットワーク・デバイスの構成モジュールは、第２態様及び可能な実装で説明されたステップを更に実行することができる。詳細については、第２形態及び可能な実装における説明を参照されたい。
【００４４】
第５態様によれば、本願の実施形態はコンピュータ読み取り可能な記憶媒体を提供する。コンピュータ読み取り可能な記憶媒体は命令を格納し；命令がコンピュータにおいて動作すると、コンピュータは上記の態様に従って方法を実行するように動作することが可能である。
【００４５】
第６態様によれば、本願の実施形態は命令を含むコンピュータ・プログラム・プロダクトを提供する。コンピュータ・プログラム・プロダクトがコンピュータにおいて動作すると、コンピュータは上記の態様に従って方法を実行するように動作することが可能である。
【００４６】
第７態様によれば、本願の実施形態は通信装置を提供する。通信装置は、端末デバイス、ネットワーク・デバイス、又はチップのようなエンティティを含んでもよい。通信装置はプロセッサとメモリとを含む。メモリは命令を格納するように構成される。プロセッサは、通信装置が第１態様又は第２態様の何れかに従って方法を実行することを可能にするために、メモリ内の命令を実行するように構成される。
【００４７】
第８態様によれば、本願はチップ・システムを提供する。チップ・システムは、プロセッサを含み、例えば前述の方法におけるデータ及び／又は情報の送信又は処理のような、前述の態様における機能を実現する際にネットワーク・デバイス又は端末デバイスをサポートするように構成される。可能な設計において、チップ・システムはメモリを更に含み、メモリは、ネットワーク・デバイスに必要なプログラム命令及びデータを格納するように構成される。チップ・システムは、チップを含んでもよく、或いはチップ及び別の個別コンポーネントを含んでもよい。
【図面の簡単な説明】
【００４８】
【図１】本願の実施形態による情報伝送方法のシステム・アーキテクチャの概略図である。
【００４９】
【図２】本願の実施形態による端末デバイス及びネットワーク・デバイス間の相互作用の概略フローチャートである。
【００５０】
【図３】本願の実施形態による情報伝送方法の概略ブロック・フローチャートである。
【００５１】
【図４】本願の実施形態による他の情報送信方法の概略ブロック・フローチャートである。
【００５２】
【図５】本願の実施形態による端末デバイスの概略的構造の構成図である。
【００５３】
【図６】本願の実施形態によるネットワーク・デバイスの概略的構造の構成図である。
【００５４】
【図７】本願の実施形態による別の端末デバイスの概略的構造の構成図である。
【００５５】
【図８】本願の実施形態による別のネットワーク・デバイスの概略的構造の構成図である。
【発明を実施するための形態】
【００５６】
本願の実施形態は、ネットワーク側の状況を可能な限り考慮し、伝送リソースの無駄を回避するために、情報伝送方法及びデバイスを提供する。
【００５７】
以下、添付図面を参照しながら本願の実施態様を説明する。
【００５８】
本願の明細書、特許請求の範囲、及び添付図面において、「第１」、「第２」等の用語は、類似する対象を区別するように意図されているが、必ずしも特定の順序又はシーケンスを示していない。このような方法で使用される用語は、適切な状況においては相互に交換可能であり、これは、本願の実施態様において、同じ属性を有する対象が説明される場合に使用される単なる区別の方法であることを理解されるべきである。更に、「含む」、「包含する」及びその他の変形は、非排他的な包含をカバーすることを意味し、従って、一連のユニットを含むプロセス、方法、システム、製品、又はデバイスは、必ずしもそれらのユニットに限定されず、そのようなプロセス、方法、システム、製品、又はデバイスに対して明示的に列挙されていない又は本来的である他のユニットを含む可能性がある。
【００５９】
本発明の実施形態における技術的ソリューションは、データ処理のための種々の通信システム、例えば、符号分割多元接続（ｃｏｄｅ  ｄｉｖｉｓｉｏｎ  ｍｕｌｔｉｐｌｅ  ａｃｃｅｓｓ，ＣＤＭＡ）システム、時分割多元接続（ｔｉｍｅ  ｄｉｖｉｓｉｏｎ  ｍｕｌｔｉｐｌｅ  ａｃｃｅｓｓ，ＴＤＭＡ）システム、周波数分割多元接続（ｆｒｅｑｕｅｎｃｙ  ｄｉｖｉｓｉｏｎ  ｍｕｌｔｉｐｌｅ  ａｃｃｅｓｓ，ＦＤＭＡ）システム、直交周波数分割多元接続（ｏｒｔｈｏｇｏｎａｌ  ｆｒｅｑｕｅｎｃｙ−ｄｉｖｉｓｉｏｎ  ｍｕｌｔｉｐｌｅ  ａｃｃｅｓｓ，ＯＦＤＭＡ）システム、及びシングル・キャリア周波数分割多元接続（ｓｉｎｇｌｅ  ｃａｒｒｉｅｒ  ＦＤＭＡ，ＳＣ−ＦＤＭＡ）システム、及びその他のシステムに適用されてもよい。「システム」及び「ネットワーク」という用語は、互いに交換することが可能である。ＣＤＭＡシステムは、ユニバーサル地上無線アクセス（ｕｎｉｖｅｒｓａｌ  ｔｅｒｒｅｓｔｒｉａｌ  ｒａｄｉｏ  ａｃｃｅｓｓ，ＵＴＲＡ）及びＣＤＭＡ２０００などの無線技術を実装することができる。ＵＴＲＡは、ワイドバンドＣＤＭＡ（ｗｉｄｅｂａｎｄ  ＣＤＭＡ，ＷＣＤＭＡ）技術及びＣＤＭＡの別のバリエーション技術を含むことができる。ＣＤＭＡ２０００は、暫定規格（ｉｎｔｅｒｉｍ  ｓｔａｎｄａｒｄ，ＩＳ）２０００（ＩＳ−２０００）、ＩＳ−９５規格、及びＩＳ−８５６規格をカバーする可能性がある。移動通信のためのグローバル・システム（ｇｌｏｂａｌ  ｓｙｓｔｅｍ  ｆｏｒ  ｍｏｂｉｌｅ  ｃｏｍｍｕｎｉｃａｔｉｏｎ，ＧＳＭ）のような無線技術は、ＴＤＭＡシステムにおいて実装されることが可能である。エボルブド・ユニバーサル地上無線アクセス（ｅｖｏｌｖｅｄ  ＵＴＲＡ，Ｅ−ＵＴＲＡ）、ウルトラ・モバイル・ブロードバンド（ｕｌｔｒａ  ｍｏｂｉｌｅ  ｂｒｏａｄｂａｎｄ，ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、又はＦｌａｓｈ  ＯＦＤＭＡなどの無線技術は、ＯＦＤＭＡシステムにおいて実装されることが可能である。ＵＴＲＡはＵＭＴＳに対応し、Ｅ−ＵＴＲＡはＵＭＴＳの改良バージョンに対応する。ＵＭＴＳの新バージョン、即ちＥ−ＵＴＲＡは、３ＧＰＰロング・ターム・エボリューション（ｌｏｎｇ  ｔｅｒｍ  ｅｖｏｌｕｔｉｏｎ，ＬＴＥ）及びＬＴＥに基づいて発展した種々のバージョンで使用される。第５世代（５ｔｈ  Ｇｅｎｅｒａｔｉｏｎ，略称“５Ｇ”）通信システム又はニュー・ラジオ（Ｎｅｗ  Ｒａｄｉｏ，略称“ＮＲ”）は、研究中の次世代通信システムである。更に、通信システムは、本発明の実施形態で提供される技術的ソリューションに適用可能である未来指向の通信技術に更に適用可能である。本発明の実施形態で説明されるシステム・アーキテクチャ及びサービス・シナリオは、本発明の実施形態の技術的ソリューションをより明確に説明するように意図されており、本発明の実施形態で提供される技術的ソリューションにおける限定を構成するものではない。当業者は、ネットワーク・アーキテクチャの進化及び新しいサービス・シナリオの出現に伴い、本発明の実施形態で提供される技術的ソリューションが、同様���技術的課題にも適用可能であることに気付くことが可能である。
【００６０】
図１は、本願の実施形態による可能な無線アクセス・ネットワーク（ｒａｄｉｏ  ａｃｃｅｓｓ  ｎｅｔｗｏｒｋ，略称ＲＡＮ）の概略構成図である。ＲＡＮは、２Ｇネットワークの基地局アクセス・システム（具体的には、ＲＡＮは、基地局及び基地局コントローラを含む）であってもよいし、３Ｇネットワークの基地局アクセス・システム（具体的には、ＲＡＮは、基地局及びＲＮＣを含む）であってもよいし、４Ｇネットワークの基地局アクセス・システム（具体的には、ＲＡＮは、ｅＮＢ及びＲＮＣを含む）であってもよいし、又は５Ｇネットワークの基地局アクセス・システムであってもよい。
【００６１】
ＲＡＮは１つ以上のネットワーク・デバイスを含む。ネットワーク・デバイスは、無線トランシーバ機能を有する任意のデバイス、又は無線トランシーバ機能を有するデバイスに配置されたチップであってもよい。ネットワーク・デバイスは、基地局（例えば、基地局ＢＳ、ノードＢ  ＮｏｄｅＢ、エボルブド・ノードＢ  ｅＮｏｄｅ又はｅＮＢ、第５世代５Ｇ通信システムにおけるｇノードＢ  ｇＮｏｄｅＢ又はｇＮＢ、将来の通信システムにおける基地局、Ｗｉ−Ｆｉシステムにおけるアクセス・ノード、無線中継ノード、又は無線バックホール・ノード）などを含むが、これらに限定されない。基地局は、マクロ基地局、マイクロ基地局、ピコセル基地局、スモール・セル、中継基地局などであってもよい。複数の基地局は、前述の１つ以上の技術を使用するネットワーク、又は将来の発展したネットワークをサポートすることができる。コア・ネットワークは、前述の１つ以上の技術を使用するネットワーク、又は将来の発展したネットワークをサポートすることができる。基地局は、１つ以上の共通サイト又は非共通サイトの送受信ポイント（Ｔｒａｎｓｍｉｓｓｉｏｎ  ｒｅｃｅｉｖｉｎｇ  ｐｏｉｎｔ，ＴＲＰ）を含むことができる。或いは、ネットワーク・デバイスは、クラウド無線アクセス・ネットワーク（ｃｌｏｕｄ  ｒａｄｉｏ  ａｃｃｅｓｓ  ｎｅｔｗｏｒｋ，ＣＲＡＮ）シナリオにおける無線コントローラ、集中ユニット（ｃｅｎｔｒａｌｉｚｅｄ  ｕｎｉｔ，ＣＵ）、又は分散ユニット（ｄｉｓｔｒｉｂｕｔｅｄ  ｕｎｉｔ，ＤＵ）であってもよい。或いは、ネットワーク・デバイスは、サーバー、ウェアラブル・デバイス、車載デバイスなどであってもよい。ネットワーク・デバイスが基地局である例が以下の説明に関して使用される。複数のネットワーク・デバイスは、同じタイプの基地局又は異なるタイプの基地局であってもよい。基地局は、端末デバイス１〜６と通信してもよいし、或いは中継局を介して端末デバイス１〜６と通信してもよい。端末デバイス１〜６は、異なる技術を使用する複数の基地局との通信をサポートしてもよい。例えば、端末デバイスは、ＬＴＥネットワークをサポートする基地局との通信をサポートしてもよいし、５Ｇネットワークをサポートする基地局との通信をサポートしてもよいし、或いはＬＴＥネットワークにおける基地局及び５Ｇネットワークにおける基地局とのデュアル・コネクションをサポートしてもよい。例えば、端末は、無線ネットワークの無線アクセス・ネットワーク（ｒａｄｉｏ  ａｃｃｅｓｓ  ｎｅｔｗｏｒｋ，ＲＡＮ）ノードに接続される。現在、例えば、ＲＡＮノードは、ｇＮＢ、送信受信ポイント（ｔｒａｎｓｍｉｓｓｉｏｎ  ｒｅｃｅｐｔｉｏｎ  ｐｏｉｎｔ，ＴＲＰ）、エボルブド・ノードＢ（ｅｖｏｌｖｅｄ  ＮｏｄｅＢ，ｅＮＢ）、無線ネットワーク・コントローラ（ｒａｄｉｏ  ｎｅｔｗｏｒｋ  ｃｏｎｔｒｏｌｌｅｒ，ＲＮＣ）、ＮｏｄｅＢ（ＮｏｄｅＢ，ＮＢ）、基地局コントローラ（ｂａｓｅ  ｓｔａｔｉｏｎ  ｃｏｎｔｒｏｌｌｅｒ，ＢＳＣ）、基地局トランシーバ・ステーション（ｂａｓｅ  ｔｒａｎｓｃｅｉｖｅｒ  ｓｔａｔｉｏｎ，ＢＴＳ）、ホーム基地局（例えば、ホーム・エボルブド・ノードＢ又はホーム・ノードＢ，ＨＮＢ）、ベースバンド・ユニット（ｂａｓｅ  ｂａｎｄ  ｕｎｉｔ，ＢＢＵ）、又はワイヤレス・フィデリティ（ｗｉｒｅｌｅｓｓ  ｆｉｄｅｌｉｔｙ，Ｗｉ−Ｆｉ）アクセス・ポイント（ａｃｃｅｓｓ  ｐｏｉｎｔ，ＡＰ）である。ネットワーク構造において、ネットワーク・デバイスは、集中ユニット（ｃｅｎｔｒａｌｉｚｅｄ  ｕｎｉｔ，ＣＵ）ノード、分散ユニット（ｄｉｓｔｒｉｂｕｔｅｄ  ｕｎｉｔ，ＤＵ）ノード、又はＣＵノード及びＤＵノードを含むＲＡＮデバイスを含んでもよい。
【００６２】
端末デバイス１〜６の各々はまた、ユーザー装置（ｕｓｅｒ  ｅｑｕｉｐｍｅｎｔ，ＵＥ）、移動局（ｍｏｂｉｌｅ  ｓｔａｔｉｏｎ，ＭＳ）、移動端末（ｍｏｂｉｌｅ  ｔｅｒｍｉｎａｌ，ＭＴ）、端末などと言及され、音声及び／又はデータ接続をユーザーに提供するデバイス、或いは無線接続機能を有するハンドヘルド・デバイス又は車載デバイスのような、デバイスに配置されるチップである。現在、例えば、端末デバイスは、モバイル・フォン（ｍｏｂｉｌｅ  ｐｈｏｎｅ）、タブレット、ノートブック・コンピュータ、パームトップ・コンピュータ、モバイル・インターネット・デバイス（ｍｏｂｉｌｅ  ｉｎｔｅｒｎｅｔ  ｄｅｖｉｃｅ，ＭＩＤ）、ウェアラブル・デバイス、仮想現実（ｖｉｒｔｕａｌ  ｒｅａｌｉｔｙ，ＶＲ）デバイス、拡張現実（ａｕｇｍｅｎｔｅｄ  ｒｅａｌｉｔｙ，ＡＲ）デバイス、産業制御における無線端末（ｉｎｄｕｓｔｒｉａｌ  ｃｏｎｔｒｏｌ）、自己駆動における無線端末（ｓｅｌｆ  ｄｒｉｖｉｎｇ）、遠隔医療における無線端末（ｒｅｍｏｔｅ  ｍｅｄｉｃａｌ  ｓｕｒｇｅｒｙ）、スマート・グリッドにおける無線端末（ｓｍａｒｔ  ｇｒｉｄ）、輸送安全無線端末（ｔｒａｎｓｐｏｒｔａｔｉｏｎ  ｓａｆｅｔｙ）、スマート・シティにおける無線端末（ｓｍａｒｔ  ｃｉｔｙ）、スマート・ホームにおける無線端末（ｓｍａｒｔ  ｈｏｍｅ）等である。
【００６３】
本願の実施形態では、基地局及びＵＥ１〜ＵＥ６は通信システムを形成する。通信システムにおいて、基地局は、システム情報、ＲＡＲメッセージ、又はページング・メッセージのうちの１つ以上を、ＵＥ１〜ＵＥ６のうちの１つ以上に送信する。更に、ＵＥ４〜ＵＥ６もまた通信システムを形成する。通信システムにおいて、ＵＥ５は、基地局として機能することが可能であり、ＵＥ５は、システム情報、制御情報、又はページング・メッセージのうちの１つ以上を、ＵＥ４及びＵＥ６のうちの１つ以上に送信することが可能である。
【００６４】
図２は、本願の実施形態によるネットワーク・デバイスと端末デバイスとの間の相互作用の概略フローチャートである。本願のこの実施形態で提供される情報伝送方法は、主に、以下のステップを含む。
【００６５】
２０１：ネットワーク・デバイスが、リソース・ブロック又はサブキャリア・リソースを端末デバイスに割り当てることを決定する。
【００６６】
本願のこの実施形態では、リソースを端末デバイスに割り当てる際に、ネットワーク・デバイスはリソース・ブロックを割り当てる可能性があり、即ち１リソース・ブロックがリソース割り当ての最小単位として使用され；或いはネットワーク・デバイスはサブキャリア・リソースを端末デバイスに割り当てる可能性があり、即ち１サブキャリアがリソース割り当ての最小単位として使用される。例えば、ネットワーク・デバイスは、現在のネットワーク負荷に基づいて、リソース・ブロック又はサブキャリア・リソースがリソース割り当ての単位として使用されるかどうかを決定することができる。例えば、本発明のこの実施形態では、ネットワーク・デバイスが、ダウンリンク制御情報（Ｄｏｗｎｌｉｎｋ  Ｃｏｎｔｒｏｌ  Ｉｎｆｏｒｍａｔｉｏｎ，ＤＣＩ）フォーマット６−０Ａを使用することによって、物理アップリンク共有チャネル（Ｐｈｙｓｉｃａｌ  Ｕｐｌｉｎｋ  Ｓｈａｒｅｄ  ｃｈａｎｎｅｌ，ＰＵＳＣＨ）にリソースを割り当てる場合に、最小単位は１リソース・ブロックである可能性があり、また１２サブキャリアより少ないリソースを割り当てることも可能である。従って、ＰＵＳＣＨのスペクトル効率は改善される。
【００６７】
２０２：ネットワーク・デバイスがダウンリンク制御情報を決定し、ダウンリンク制御情報はリソース割り当てフィールドを含み、リソース割り当てフィールドは、割り当てられたリソース・ブロック又はサブキャリア・リソースを示すために使用される。
【００６８】
本願のこの実施形態では、ネットワーク・デバイスが端末デバイスにリソースを割り当てる場合に、リソース・ブロックが単位として使用されてもよいし、或いはサブキャリアが単位として使用されてもよい。ネットワーク・デバイスは、ダウンリンク制御情報に含まれるリソース割り当てフィールドを使用することにより、特定のリソース割り当て状況を示すことができる。
【００６９】
リソース割り当てフィールドが、割り当てられたリソース・ブロックを示すために使用される場合、リソース割り当てフィールドは、
【数２１】
2021518081.tif 000023
個の高次ビットとＭ＋Ｘ個の低次ビットとを示すために使用され、
【数２２】
2021518081.tif 000024
個の高次ビットはナローバンドのインデックスを示し、Ｍ＋Ｘ個の低次ビットにおけるＭ個の高次ビットはナローバンドにおけるリソース割り当てを示し、リソース割り当てフィールドによって示されるリソース・ブロックの量は１以上であり、Ｍは正の整数であり、Ｘは０以上の整数であり、ＮＵＬＲＢはアップリンク帯域幅に含まれるリソース・ブロックの量を示し；或いは
リソース割り当てフィールドが、割り当てられたサブキャリア・リソースを示すために使用される場合、リソース割り当てフィールドは、
【数２３】
2021518081.tif 000025
個の高次ビットとＬ個の低次ビットとを含み、
【数２４】
2021518081.tif 000026
個の高次ビットはナローバンドのインデックスを示し、Ｌ個の低次ビットはＫ個のリソース・ブロックにおけるサブキャリア・リソース割り当てを示し、リソース割り当てフィールドで示されるサブキャリアの量は１２未満であり、Ｌは正の整数であり、Ｋは正の整数である。
【００７０】
具体的には、ＮＵＬＲＢは、システム帯域幅に含まれるアップリンク物理リソース・ブロック（ｐｈｙｓｉｃａｌ  ｒｅｓｏｕｒｃｅ  ｂｌｏｃｋ，ＰＲＢ）の量を表し、
【数２５】
2021518081.tif 000027
は切り捨て演算を表し、
【数２６】
2021518081.tif 000028
は切り上げ演算を表す。リソース割り当てフィールドが、割り当てられたリソース・ブロックを示すために使用される場合、リソース割り当てフィールドは、代替的に
【数２７】
2021518081.tif 000029
個の高次ビットを含む可能性があり、即ちＸ個の高次ビットは最も左端に位置する。この場合、
【数２８】
2021518081.tif 000030
個の高次ビットにおける
【数２９】
2021518081.tif 000031
個の低次ビットはナローバンドのインデックスを示す。リソース割り当てフィールドは、ナローバンドにおけるリソース割り当てを示すために使用されるＭ個の低次ビットを含む。ナローバンドは、周波数ドメインにおける６つの重複しない連続した物理リソース・ブロックを指す。Ｍの値は５又は３である可能性があり、Ｘの値は０又はより大きな整数である可能性がある。具体的には、Ｍ及びＸの値は、アプリケーション・シナリオに関連して決定される。リソース割り当てフィールドで示されるリソース・ブロックの数は１以上であり、即ち、リソース割り当てはリソース・ブロックを単位として使用することにより実行される。
【００７１】
リソース割り当てフィールドが、割り当てられたサブキャリア・リソースを示すために使用される場合、リソース割り当てフィールドは、
【数３０】
2021518081.tif 000032
個の高次ビットとＬ個の低次ビットとを含み、
【数３１】
2021518081.tif 000033
個の高次ビットはナローバンドのインデックスを示し、Ｌ個の低次ビットは、Ｋ個のリソース・ブロックにおけるサブキャリア・リソース割り当てを示し、リソース割り当てフィールドで示されるサブキャリアの量は１２未満である。通常、１つのリソース・ブロックは１２個のサブキャリアを含む。本願のこの実施形態では、リソース割り当てフィールドにより示されるサブキャリアの量は１２未満であり、即ち、リソース割り当ては、サブキャリアを単位として使用することにより実行される。従って、より少ないリソースを割り当てることができる。ＬはＭ＋Ｘに等しくてもよい。Ｌ個の低次ビットは、Ｋ個のリソース・ブロックにおけるサブキャリア・リソースの割り当てを示す。この場合、Ｋ個のリソース・ブロックは、ネットワーク・デバイス又はプリセットされたリソース・ブロックによって構成されるリソース・ブロックである。従って、ネットワーク・デバイスは、Ｌ個の低次ビットを使用することにより、割り当てられたサブキャリア・リソースを端末デバイスに指示することができる。
【００７２】
２０３：ネットワーク・デバイスが、ダウンリンク制御情報を端末デバイスに送信する。
【００７３】
ネットワーク・デバイスがダウンリンク制御情報を決定した後、ネットワーク・デバイスは、ダウンリンク制御情報を端末デバイスに送信することが可能である。ダウンリンク制御情報は、リソース割り当てフィールドを含み、リソース割り当てフィールドは、端末デバイスに割り当てられたリソース・ブロック又はサブキャリア・リソースを示す。
【００７４】
２０４：端末デバイスが、ネットワーク・デバイスにより送信されたダウンリンク制御情報を受信する。ダウンリンク制御情報は、リソース割り当てフィールドを含む。
【００７５】
端末デバイスが、先ずネットワーク・デバイスにより送信されたダウンリンク制御情報を受信し、次いでダウンリンク制御情報におけるリソース割り当てフィールドを判定する。
【００７６】
２０５：端末デバイスが、ダウンリンク制御情報に基づいて、割り当てられたリソースを決定する。
【００７７】
２０６：割り当てられたリソースで情報を送信する。
【００７８】
本発明の実施形態では、端末デバイスは、リソース割り当てフィールドを使用することにより、ネットワーク・デバイスは、リソース・ブロックを単位として使用することによりリソース割り当てを実行しているか、或いはサブキャリア・リソースを単位として使用することによりリソース割り当てを実行しているかを判定し、リソース割り当てフィールドに含まれる高次ビットと低次ビットとの状態に基づいて、割り当てられたリソースを判定することができる。端末デバイスは、ネットワーク・デバイスにより割り当てられたリソースで、アップリンク情報を送信することができる。
【００７９】
２０７：ネットワーク・デバイスが、ダウンリンク制御情報に基づいて決定されるリソースで、端末デバイスにより送信された情報を受信する。
【００８０】
本願のこの実施形態では、ネットワーク・デバイスは、端末デバイスにより送信された情報を、端末デバイスに割り当てられたリソース上で検出する。端末デバイスにより送信される情報は、ネットワーク・デバイスによって割り当てられたリソース・ブロック又はサブキャリア・リソースで送信されることが可能である。これは、具体的には、ネットワーク・デバイスのリソース設定状況に依存する。
【００８１】
前述の実施形態における本願の説明例から、ネットワーク・デバイスは、リソース割り当てフィールドのビット状態の異なる値を利用することにより、リソース・ブロック又はサブキャリア・リソースを端末デバイスに割り当てることを示していることを学ぶことができる。リソース割り当てフィールドが、割り当てられたリソース・ブロックを示すために使用される場合、リソース割り当てフィールドは、
【数３２】
2021518081.tif 000034
個の高次ビットとＭ＋Ｘ個の低次ビットとを含み、
【数３３】
2021518081.tif 000035
個の高次ビットはナローバンドのインデックスを示し、Ｍ＋Ｘ個の低次ビットにおけるＭ個の高次ビットはナローバンドにおけるリソース割り当てを示し、リソース割り当てフィールドにより示されるリソース・ブロックの量は１以上であり；或いは、
リソース割り当てフィールドが、割り当てられたサブキャリア・リソースを示すために使用される場合、リソース割り当てフィールドは、
【数３４】
2021518081.tif 000036
個の高次ビットとＬ個の低次ビットとを含み、
【数３５】
2021518081.tif 000037
個の高次ビットはナローバンドのインデックスを示し、Ｌ個の低次ビットはＫ個のリソース・ブロックにおけるサブキャリア・リソース割り当てを示し、リソース割り当てフィールドにより示されるサブキャリアの数は１２未満である。このように、１２サブキャリアより小さなリソースを割り当てることができ、その結果、有効なリソースをより多くのＵＥに割り当てることができ、スペクトル効率が改善される。
【００８２】
以下、本願の実施形態で提供される情報処理方法について、ネットワーク・デバイス及び端末デバイスの観点から説明する。先ず、図３を参照されたい。本願の実施形態は、以下のステップを含む情報伝送方法を提供する。
【００８３】
３０１：端末デバイスが、ネットワーク・デバイスにより送信されたダウンリンク制御情報を受信し、ダウンリンク制御情報はリソース割り当てフィールドを含み、リソース割り当てフィールドは、割り当てられたリソース・ブロック又はサブキャリア・リソースを示すために使用される。
【００８４】
リソース割り当てフィールドが、割り当てられたリソース・ブロックを示すために使用される場合、リソース割り当てフィールドは、
【数３６】
2021518081.tif 000038
個の高次ビットとＭ＋Ｘ個の低次ビットとを含み、
【数３７】
2021518081.tif 000039
個の高次ビットはナローバンドのインデックスを示し、Ｍ＋Ｘ個の低次ビットにおけるＭ個の高次ビットはナローバンドにおけるリソース割り当てを示し、リソース割り当てフィールドで示されるリソース・ブロックの量は１以上であり、Ｍは正の整数であり、Ｘは０以上の整数であり、ＮＵＬＲＢはアップリンク帯域幅に含まれるリソース・ブロックの量を示し；或いは
リソース割り当てフィールドが、割り当てられたサブキャリア・リソースを示すために使用される場合、リソース割り当てフィールドは、
【数３８】
2021518081.tif 000040
個の高次ビットとＬ個の低次ビットとを含み、
【数３９】
2021518081.tif 000041
個の高次ビットはナローバンドのインデックスを示し、Ｌ個の低次ビットはＫ個のリソース・ブロックにおけるサブキャリア・リソース割り当てを示し、リソース割り当てフィールドで示されるサブキャリアの量は１２未満であり、Ｌは正の整数であり、Ｋは正の整数である。
【００８５】
本願の一部の実施形態では、端末デバイスは、カバレッジ・エンハンスメント・レベル０、カバレッジ・エンハンスメント・レベル１、又はカバレッジ・エンハンスメント・モード（Ｍｏｄｅ）Ａにあり；
ダウンリンク制御情報は第１フィールドを更に含み、第１フィールドのサイズは２ビットであり；
第１フィールドは、３つの異なるリソース・ユニットの量をそれぞれ示す３つのビット状態を有し、及び／又は第１フィールドは、リソース割り当てフィールドが、割り当てられたリソース・ブロックを示すために使用されることを示す１つのビット状態を有し；及び
第１フィールドがリソース・ユニットの量を示す場合、リソース割り当てフィールドはサブキャリア・リソース割り当てを示す。
【００８６】
端末デバイスのモードＡ又はモードＢは、接続モードにおけるカバレッジ・エンハンスメント（ｃｏｖｅｒａｇｅ  ｅｎｈａｎｃｅｍｅｎｔ，ＣＥ）レベル（ｌｅｖｅｌ）の分類であり、ＣＥレベル０／１／２／３はアイドル・モードにおけるカバレッジ・エンハンスメント・レベルであり、モードＡはＣＥレベル０／１に対応し、モードＢはＣＥレベル２／３に対応する。端末デバイスがカバレッジ・エンハンスメント・レベル０、カバレッジ・エンハンスメント・レベル１、又はカバレッジ・エンハンスメント・モードＡにある場合、ダウンリンク制御情報は第１フィールドを更に含み、第１フィールドのサイズは２ビットであり、第１フィールドは４つのビット状態を有する可能性があり：第１フィールドは、３つの異なる量のリソース・ユニットをそれぞれ示す３つのビット状態を有し、及び／又は第１フィールドは、リソース割り当てフィールドが、割り当てられたリソース・ブロックを示すために使用されることを示す１つのビット状態を有する。周波数ドメインにおいてリソース・ユニット（Ｒｅｓｏｕｒｃｅ  Ｕｎｉｔ，ＲＵ）によって占有されるサブキャリアの量は１２未満であり、時間ドメインにおいてリソース・ユニットによって占有されるリソースは１サブフレームより大きい。リソース・ユニットは、物理アップリンク共有チャネルからリソース・エレメントへのマッピングを記述するために使用される。１つのリソース・ユニットは、周波数ドメインにおけるＹ個の連続するサブキャリア、及び時間ドメインにおけるＸ個の連続する直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ，ＯＦＤＭ）シンボル又はシングル・キャリア周波数分割多重（Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ，ＳＣ−ＦＤＭＡ）シンボルとして定義され、Ｘ及びＹはそれぞれ正の整数である。本願のこの実施形態では、第１フィールドがリソース・ユニットの量を示す３つのビット状態を有する場合、リソース割り当てフィールドはサブキャリア・リソース割り当てを示す。換言すれば、端末デバイスは、リソース割り当てフィールドのビット状態に基づいて、ネットワーク・デバイスによって端末デバイスに割り当てられたサブキャリア・リソースを決定することができる。
【００８７】
オプションとして、リソース割り当てフィールドが、割り当てられたリソース・ブロックを示すために使用される場合、リソース・ブロックは、アップリンク・リソース割り当てタイプ０を使用することにより割り当てられる。
【００８８】
本願の一部の実施形態では、第１フィールドのビット状態００は、リソース割り当てフィールドが、割り当てられたリソース・ブロックを示すために使用されていることを示し；或いは第１フィールドのビット状態１１は、リソース割り当てフィールドが、割り当てられたリソース・ブロックを示すために使用されていることを示す。
【００８９】
第１フィールドは２ビットを使用することによりＲＵの量を示す。第１フィールドの意味は次の表１にリスト化される。
表１
【表１】
2021518081.tif 000042
【００９０】
ビット状態“００”はリソース・ブロック・レベルのリソース割り当てを示すために使用され、ビット状態“０１／１１／１０”はサブキャリア・レベルのリソース割り当てを示すために使用される。更に、第１フィールドの３つの異なるビット状態は、ＲＵの量の値を示すために使用され、３つの異なるリソース・ユニットの量は１、２、４である。
【００９１】
オプションとして、第１フィールドはダウンリンク制御情報における１番目のフィールドである。端末デバイスは、第１フィールドによって示された状態に基づいて、ダウンリンク制御情報における別のフィールド、又は別のフィールドのサイズが存在するかどうかを判定することができる。
【００９２】
本願の一部の実施形態では、Ｋ＝５、Ｍ＝５、Ｌ＝５であり、リソース割り当てフィールドによって示されるサブキャリア・リソースは、３つのサブキャリア又は６つのサブキャリアであり；Ｋ＝３、Ｍ＝５、Ｌ＝５であり、リソース割り当てフィールドによって示されるサブキャリア・リソースは、２つのサブキャリア、３つのサブキャリア又は６つのサブキャリアであり；或いはＫ＝６、Ｍ＝５、Ｌ＝６であり、リソース割り当てフィールドによって示されるサブキャリア・リソースは、２つのサブキャリア、３つのサブキャリア又は６つのサブキャリアである。
【００９３】
オプションとして、本願の一部の実施形態では、Ｋ個のリソース・ブロックは、ナローバンドにおけるＫ個のリソース・ブロック又はＫ個の予め示されたリソース・ブロックであり、Ｋ個の予め示されたリソース・ブロックは、ナローバンドにおけるＫ個のリソース・ブロックであってもよいし、或いはシステム帯域幅における何らかのＫ個のリソース・ブロックであってもよい。
【００９４】
更に、本願の一部の実施形態では、Ｋ＝５、Ｍ＝５、Ｌ＝５であり、リソース割り当てフィールドを使用することにより割り当てられたサブキャリア・リソースが３つのサブキャリアである場合に、ダウンリンク制御情報は第２フィールドを更に含み、第２フィールドは、３つのサブキャリアを使用することにより情報を送信すること、又は３つのサブキャリアにおける２つの連続したサブキャリアを使用することにより情報を送信することを、端末デバイスに指示し；Ｋ＝５、Ｍ＝５、Ｌ＝５であり、リソース割り当てフィールドを使用することにより割り当てられたサブキャリア・リソースが３つのサブキャリアである場合に、ダウンリンク制御情報は第３フィールドを更に含み、第３フィールドは、端末デバイスにより実行されるべき情報送信のための変調方式を示し、変調方式がＰｉ／２  ＢＰＳＫ変調である場合、端末デバイスは、３つのサブキャリアにおける２つの連続したサブキャリアを使用することにより情報を送信し、或いは変調方式が直交位相シフト・キーイング（Ｑｕａｄｒａｔｕｒｅ  Ｐｈａｓｅ  Ｓｈｉｆｔ  Ｋｅｙｉｎｇ，ＱＰＳＫ）変調である場合に、端末デバイスは３つのサブキャリアを使用することにより情報を送信し、Ｐｉ／２は回転角が９０度であることを表し；Ｋ＝３、Ｍ＝５、Ｌ＝５であり、リソース割り当てフィールドを使用することにより割り当てられたサブキャリア・リソースが２つのサブキャリアである場合に、２つのサブキャリアが属するリソース・ブロック内の２つのサブキャリアのサブキャリア・インデックスは、｛０，１｝＋Ｈ，｛３，４｝＋Ｈ，｛６，７｝＋Ｈ，｛９，１０｝＋Ｈであり、Ｈはセル識別子に基づいて決定される値であり、Ｈの値は０又は１であり；或いはＫ＝６、Ｍ＝５、Ｌ＝６であり、リソース割り当てフィールドを使用することにより割り当てられたサブキャリア・リソースが２つのサブキャリアである場合に、２つのサブキャリアが属するリソース・ブロック内の２つのサブキャリアのサブキャリア・インデックスは、｛０，１｝＋Ｈ，｛３，４｝＋Ｈ，｛６，７｝＋Ｈ，｛９，１０｝＋Ｈであり、Ｈはセル識別子に基づいて決定される値であり、Ｈの値は０又は１である。
【００９５】
具体的には、本願のこの実施形態では、ダウンリンク制御情報は、第２フィールド又は第３フィールドを更に搬送することができ、端末デバイスは、第２フィールドを使用することにより、３つのサブキャリアを使用して情報を伝送すること、又は３つのサブキャリアにおける２つの連続したサブキャリアを使用して情報を伝送することを端末デバイスに示すことが可能であり；或いは端末デバイスは、第３フィールドを使用することにより、情報伝送のための変調方式を決定することができる。例えば、変調方式はＰｉ／２ＢＰＳＫ変調又はＱＰＳＫ変調を含んでもよい。このように、端末デバイスは、ネットワーク・デバイスにより示される変調方式に基づいて情報を送信することができる。
【００９６】
オプションとして、ＨＡＲＱプロセス番号フィールドで占有されるビット数が３未満である場合、第２フィールド又は第３フィールドは、ＨＡＲＱプロセス番号フィールドにおける非占有ビットを占有してもよい。
【００９７】
例えば、オプションとして、Ｋ＝３、Ｍ＝５、Ｌ＝５であり、リソース割り当てフィールドを使用することにより割り当てられたサブキャリア・リソースが２つのサブキャリアである場合、２つのサブキャリアが属するリソース・ブロック内の２つのサブキャリアのサブキャリア・インデックスは、｛０，１｝＋Ｈ，｛３，４｝＋Ｈ，｛６，７｝＋Ｈ，｛９，１０｝＋Ｈであり、Ｈはセル識別子に基づいて決定される値であり、Ｈの値は０又は１である。例えば、Ｋ＝５、Ｍ＝５、Ｌ＝５であり、リソース割り当てフィールドが、
【数４０】
2021518081.tif 000043
個のビットを含んでいる場合、
【数４１】
2021518081.tif 000044
は、システム帯域幅におけるナローバンドのインデックスを示すために使用され、５ビットは、ナローバンドのインデックスに対応するナローバンド内のリソース割り当てが、リソース・ブロックを単位として使用することにより、或いはサブキャリアを単位として使用することにより、実行されていることを示すために使用される。
【００９８】
リソース割り当てフィールドが、サブキャリアを単位として使用することにより実行されるリソース割り当てに使用される場合、ネットワーク・デバイスにより割り当てられサブキャリア・リソースは５つのリソース・ブロック内にあり、５つのリソース・ブロックは、上位レイヤにより設定されるリソース・ブロック、又はサブキャリアを単位として使用することにより実行されるリソース割り当てのための予め設定されたリソース・ブロックであり、ナローバンドのインデックスにより示されるナローバンド内にある可能性があり、或いはシステム帯域幅における任意の５つのリソース・ブロックである可能性がある。この場合、ネットワーク・デバイスによって割り当てられたサブキャリア・リソースが２つのサブキャリアであるか或いは３つのサブキャリアであるかは区別されない。具体的には、５つの低次ビットの状態と割り当てられたサブキャリア・リソースとの間のマッピング関係は以下の表２にリスト化されており、リソース・ブロックｎないしリソース・ブロックｎ＋４は、上位レイヤにより設定されたリソース・ブロック、又はサブキャリアを単位として使用することにより実行されるリソース割り当てのための予め設定されたリソース・ブロックである。別の例では、Ｋ＝３、Ｍ＝５、Ｌ＝５であり、リソース割り当てフィールドが、
【数４２】
2021518081.tif 000045
個のビットを含んでいる場合、
【数４３】
2021518081.tif 000046
は、システム帯域幅におけるナローバンドのインデックスを示すために使用され、５ビットは、ナローバンドのインデックスに対応するナローバンド内のリソース割り当てが、リソース・ブロックを単位として使用することにより、或いはサブキャリアを単位として使用することにより、実行されていることを示すために使用される。
【００９９】
リソース割り当てフィールドが、サブキャリアを単位として使用することにより実行されるリソース割り当てに使用される場合、ネットワーク・デバイスにより割り当てられるサブキャリア・リソースは３つのリソース・ブロック内にあり、３つのリソース・ブロックは、上位レイヤにより設定されるリソース・ブロック、又はサブキャリアを単位として使用することにより実行されるリソース割り当てのための予め設定されたリソース・ブロックであり、ナローバンドのインデックスにより示されるナローバンド内にある可能性があり、或いはシステム帯域幅における任意の３つのリソース・ブロックである可能性がある。この場合、ネットワーク・デバイスによって割り当てられるサブキャリア・リソースが２つのサブキャリアであるか或いは３つのサブキャリアであるかが区別される。５ビットの状態と割り当てられたサブキャリア・リソースとの間の特定のマッピング関係は、以下の表３、表４、表５、又は表６にリスト化されることが可能である。リソース・ブロックｎないしリソース・ブロックｎ＋２は、上位レイヤにより設定されるリソース・ブロック、又はサブキャリアを単位として使用することにより実行されるリソース割り当てのための予め設定されたリソース・ブロックであり、ｎ，ｎ＋１，ｎ＋２はリソース・ブロックのインデックスであり、整数である。
【０１００】
別の例に関し、Ｋ＝６、Ｍ＝５、Ｌ＝６であり、リソース割り当てフィールドが、リソース・ブロックを単位として使用することにより実行されるリソース割り当てを示すために使用される場合、リソース割り当てフィールドは、
【数４４】
2021518081.tif 000047
個のビットを含み、
【数４５】
2021518081.tif 000048
個の高次ビットは、システム帯域幅におけるナローバンドのインデックスを示すために使用され、５つの低次ビットは、ナローバンドのインデックスに対応するナローバンドにおいてリソース・ブロックを単位として使用することにより実行されるリソース割り当てを示すために使用され；或いは
Ｋ＝６、Ｍ＝５、Ｌ＝６であり、リソース割り当てフィールドが、サブキャリアを単位として使用することにより実行されるリソース割り当てを示すために使用される場合、リソース割り当てフィールドは、
【数４６】
2021518081.tif 000049
個のビットを含み、
【数４７】
2021518081.tif 000050
個の高次ビットはシステム帯域幅におけるナローバンドのインデックスを示すために使用され、６つの低次ビットは、６つのリソース・ブロックにおける２つのサブキャリア、３つのサブキャリア、又は６つのサブキャリアのリソース割り当てを示すために使用され、６つのリソース・ブロックは、ネットワーク・デバイスにより設定され、或いはサブキャリアを単位として使用することにより実行されるリソース割り当てのために予め設定され、ナローバンドのインデックスによって示されるナローバンド内にあってもよいし、或いはシステム帯域幅における任意の６つのリソース・ブロックであってもよい。リソース割り当てフィールドが、サブキャリアを単位として使用することにより実行されるリソース割り当てを示すために使用される場合、６つの低次ビットにより示される６４個のビット状態のうちの６０個のビット状態が、ナローバンドのインデックスにより示されるナローバンドの任意のＲＢにおける２つのサブキャリア、３つのサブキャリア、又は６つのサブキャリアのリソース割り当てを示すために使用される。具体的には、６つの低次ビットのビット状態と割り当てられたサブキャリア・リソースとの間のマッピング関係は、以下の表７にリスト化されることが可能であり、リソース・ブロックｎないしリソース・ブロックｎ＋５は、ネットワークにより設定されるリソース・ブロック、又はサブキャリアを単位として使用することにより実行されるリソース割り当てのための予め設定されたリソース・ブロックである。
表２
【表２】
2021518081.tif 000051
表３
【表３】
2021518081.tif 000052
2021518081.tif 000053
表４
【表４】
2021518081.tif 000054
2021518081.tif 000055
表５
【表５】
2021518081.tif 000056
2021518081.tif 000057
表６
【表６】
2021518081.tif 000058
2021518081.tif 000059
表７
【表７】
2021518081.tif 000060
2021518081.tif 000061
【０１０１】
本願のこの実施形態では、ダウンリンク制御情報に２ビットが追加される可能性があり、リソース・ブロックを単位として使用することにより実行される、又はサブキャリアを単位として使用することにより実行されるリソース割り当てをサポートし、リソース・ユニットの数量の指示をサポートすることができる。
【０１０２】
本願の一部の実施態様において、ダウンリンク制御情報がリソース・ブロック割り当てに使用される場合、ダウンリンク制御情報の第６フィールドのサイズはＮビットであり；或いはダウンリンク制御情報がサブキャリア・リソース割り当てに使用される場合、ダウンリンク制御情報の第６フィールドのサイズはＮ−１ビットである。Ｎは１以上の正の整数である。本願では、Ｎが１に等しい場合、ダウンリンク制御情報はサブキャリア・リソース割り当てのために使用され、ダウンリンク制御情報の第６フィールドのサイズは０ビットであり、これはダウンリンク制御情報が第６フィールドを含まないことを示す。
【０１０３】
第６フィールドは、フラグ・フォーマット６−０Ａ／フォーマット６−１Ａ識別フィールド、変調及び符号化方式フィールド、ＨＡＲＱプロセス番号フィールド、又は反復数フィールドであってもよい。
【０１０４】
例えば、ダウンリンク制御情報がリソース・ブロック割り当てに使用される場合、フラグ・フォーマット６−０Ａ／フォーマット６−１Ａ識別フィールドは１ビットであり；或いはダウンリンク制御情報がサブキャリア・リソース割り当てに使用される場合、ダウンリンク制御情報はフラグ・フォーマット６−０Ａ／フォーマット６−１Ａ識別フィールドを含まない。
【０１０５】
別の例では、ダウンリンク制御情報がリソース・ブロック割り当てに使用される場合、変調及び符号化方式フィールドのサイズは４ビットであり；或いはダウンリンク制御情報がサブキャリア・リソース割り当てに使用される場合、変調及び符号化方式フィールドのサイズは３ビットである。
【０１０６】
別の例では、ダウンリンク制御情報がリソース・ブロック割り当てに使用される場合、ＨＡＲＱプロセス番号フィールドのサイズは３ビットであり；或いはダウンリンク制御情報がサブキャリア・リソース割り当てに使用される場合、ＨＡＲＱプロセス番号フィールドのサイズは２ビットである。
【０１０７】
別の例では、ダウンリンク制御情報がリソース・ブロック割り当てに使用される場合、反復数フィールドのサイズは２ビットであり；或いはダウンリンク制御情報がサブキャリア・リソース割り当てに使用される場合、反復数フィールドのサイズは１ビットである。
【０１０８】
オプションとして、前述の実装に基づき、ダウンリンク制御情報がリソース・ブロック割り当てに使用される場合、ダウンリンク制御情報の第７フィールドのサイズはＰビットであり；或いはダウンリンク制御情報がサブキャリア・リソース割り当てに使用される場合、ダウンリンク制御情報の第７フィールドのサイズはＰ−１ビットである。Ｐは１以上の正の整数である。第７フィールドは、第６フィールドとは異なるフィールドである。例えば、第７フィールドは、フラグ・フォーマット６−０Ａ／フォーマット６−１Ａ識別フィールド、変調及び符号化方式フィールド、ＨＡＲＱプロセス番号フィールド、又は反復数フィールドである。
【０１０９】
例えば、第６フィールドはフラグ・フォーマット６−０Ａ／フォーマット６−１Ａ識別フィールドであり、第７フィールドは変調及び符号化方式フィールドである。
【０１１０】
別の例では、第６フィールドはフラグ・フォーマット６−０Ａ／フォーマット６−１Ａ識別フィールドであり、第７フィールドはＨＡＲＱプロセス番号フィールドである。
【０１１１】
別の例では、第６フィールドはフラグ・フォーマット６−０Ａ／フォーマット６−１Ａ識別フィールドであり、第７フィールドは反復数フィールドである。
【０１１２】
別の例では、第６フィールドは変調及び符号化方式フィールドであり、第７フィールドはＨＡＲＱプロセス番号フィールドである。
【０１１３】
別の例では、第６フィールドは変調及び符号化方式フィールドであり、第７フィールドは反復数フィールドである。
【０１１４】
別の例では、第６フィールドは反復数フィールドであり、第７フィールドはＨＡＲＱプロセス番号フィールドである。
【０１１５】
別の例では、ダウンリンク制御情報がリソース・ブロック割り当てに使用される場合、第６フィールドのサイズは１ビットであり、第７フィールドのサイズは４ビットであり；或いはダウンリンク制御情報がサブキャリア・リソース割り当てに使用される場合、ダウンリンク制御情報は第６フィールドを含まず、第７フィールドのサイズは３ビットである。
【０１１６】
更に、オプションとして、本願の一部の実施形態では、ダウンリンク制御情報がリソース・ブロック割り当てに使用される場合、ダウンリンク制御情報は、ナローバンド・リソース調整フィールドを含み；或いはダウンリンク制御情報がサブキャリア・リソース割り当てに使用される場合、ダウンリンク制御情報はナローバンド・リソース調整フィールドを含まない。或いは、ダウンリンク制御情報がリソース・ブロック割り当てに使用される場合、ダウンリンク制御情報はナローバンド・リソース調整フィールドを含まず；或いはダウンリンク制御情報がサブキャリア・リソース割り当てに使用される場合、ダウンリンク制御情報はナローバンド・リソース調整フィールドを含む。ナローバンド・リソース調整フィールドは、ナローバンドがオフセットであるか、ナローバンド・オフセット方向であるか、或いはナローバンド・オフセットの大きさであるかどうかを示すために使用されるフィールドである。
【０１１７】
本願の一部の実施態様において、ダウンリンク制御情報がリソース・ブロック割り当てに使用される場合、ダウンリンク制御情報は、ナローバンドのインデックスを示すフィールドを含み；或いはダウンリンク制御情報がサブキャリア・リソース割り当てに使用される場合、ダウンリンク制御情報は、ナローバンドのインデックスを示すフィールドを含まない。
【０１１８】
本願の一部の実施態様において、端末デバイスは、カバレッジ・エンハンスメント・レベル２、カバレッジ・エンハンスメント・レベル３、又はカバレッジ・エンハンスメント・モードＢにあり；
ダウンリンク制御情報は第４フィールドを更に含み、第４フィールドのサイズは１ビットであり；
第４フィールドのビット状態が０である場合、リソース割り当てフィールドは、割り当てられたリソース・ブロックを示すために使用され；或いは
第４フィールドのビット状態が１である場合、リソース割り当てフィールドは、割り当てられたサブキャリア・リソースを示すために使用される。
【０１１９】
端末デバイスは、リソース割り当てフィールドが、割り当てられたリソース・ブロック又は割り当てられたサブキャリア・リソースを示すために使用されているかどうかを、第４フィールドのビット状態の値に基づいて判定することができる。
【０１２０】
更に、本願の一部の実施形態では、Ｋ＝２、Ｍ＝３、Ｌ＝４であり、リソース割り当てフィールドを使用することにより割り当てられるサブキャリア・リソースは、３つのサブキャリア又は６つのサブキャリアであり；Ｋ＝２、Ｍ＝３、Ｌ＝５であり、リソース割り当てフィールドを使用することにより割り当てられるサブキャリア・リソースは、３つのサブキャリア又は６つのサブキャリアであり、リソース割り当てフィールドはリソース・ユニットの量を示し；或いはＫ＝３、Ｍ＝３、Ｌ＝５であり、リソース割り当てフィールドを使用することにより割り当てられるサブキャリア・リソースは、３つのサブキャリア又は６つのサブキャリアである。
【０１２１】
例えば、Ｋ＝２、Ｍ＝３、Ｌ＝４であり、リソース割り当てフィールドが、割り当てられたリソース・ブロックを示すために使用される場合、端末デバイスは、リソース割り当てフィールドを使用することにより割り当てられたリソース・ブロックが、ナローバンドのうちのインデックスに対応するナローバンド内の１つ又は２つのリソース・ブロックであると判断することが可能であり、それは
【数４８】
2021518081.tif 000062
個の高次ビットにより示され；或いはＫ＝２、Ｍ＝３、Ｌ＝４であり、リソース割り当てフィールドが、割り当てられたサブキャリア・リソースを示すために使用される場合、端末デバイスは、リソース割り当てフィールドを使用することにより割り当てられたサブキャリア・リソースが、２つのリソース・ブロック内の３つのサブキャリア又は６つのサブキャリアであると判断することが可能である。Ｋ＝２、Ｍ＝３、Ｌ＝５であり、リソース割り当てフィールドが、割り当てられたリソース・ブロックを示すために使用される場合、端末デバイスは、リソース割り当てフィールドを使用することにより割り当てられたリソース・ブロックが、ナローバンドのうちのインデックスに対応するナローバンド内の１つ又は２つのリソース・ブロックであると判断することが可能であり、それは
【数４９】
2021518081.tif 000063
個の高次ビットにより示され；或いはＫ＝２、Ｍ＝３、Ｌ＝５であり、リソース割り当てフィールドが、割り当てられたサブキャリア・リソースを示すために使用される場合、端末デバイスは、リソース割り当てフィールドを使用することにより割り当てられたサブキャリア・リソースが、２つのリソース・ブロック内の３つのサブキャリア又は６つのサブキャリアであると判断することが可能であり、リソース割り当てフィールドはリソース・ユニットの２つの量を示すことが可能である。
【０１２２】
更に、オプションとして、リソース割り当てフィールドが、割り当てられたリソース・ブロックを示すために使用される場合、アップリンク・リソース割り当てタイプ２が使用される。
【０１２３】
更に、オプションとして、リソース割り当てフィールドが、割り当てられたサブキャリア・リソースを示すために使用される場合、２つのリソース・ブロックは、ネットワークにより設定されたリソース・ブロック、又は予め設定されたリソース・ブロックである。
【０１２４】
更に、オプションとして、２つのリソース・ブロックは、
【数５０】
2021518081.tif 000064
個の高次ビットにより示される、ナローバンドのうちのインデックスに対応するナローバンドにおけるものあってもよいし、或いはシステム帯域幅における任意の２つのリソース・ブロックであってもよい。
【０１２５】
更に、本願の一部の実施形態では、Ｋ＝２、Ｍ＝３、Ｌ＝４である場合、或いはＫ＝３、Ｍ＝３、Ｌ＝５である場合に、ダウンリンク制御情報は第５フィールドを更に含み、端末デバイスは、第５フィールドのビット状態に基づいて、ネットワーク・デバイスにより示されるリソース・ユニットの量を決定することができる。第５フィールドのサイズは１ビットであり、第５フィールドはリソース・ユニットの量を示し、１ビットに対応する２つの状態は２つの量のリソース・ユニットを示す。
【０１２６】
更に、オプションとして、リソース・ユニットの２つの量は１及び２であってもよい。
【０１２７】
更に、オプションとして、リソース・ユニットの２つの量は２及び４であってもよい。
【０１２８】
オプションとして、第４フィールドはダウンリンク制御情報の第１フィールドであり、端末デバイスは、第４フィールドにより示される状態に基づいて、ダウンリンク制御情報における他のフィールド、又は他のフィールドのサイズが存在するかどうかを判定することができる。
【０１２９】
オプションとして、本願の一部の実施態様において、ダウンリンク制御情報がリソース・ブロック割り当てに使用される場合、ダウンリンク制御情報の第８フィールドのサイズはＳビットであり；或いはダウンリンク制御情報がサブキャリア・リソース割り当てに使用される場合、ダウンリンク制御情報の第８フィールドのサイズはＳ−１ビットである。Ｓは１以上の正の整数である。本願では、Ｓが１に等しい場合に、ダウンリンク制御情報がサブキャリア・リソース割り当てに使用される場合、ダウンリンク制御情報の第８フィールドのサイズは０ビットであり、それはダウンリンク制御情報が第８フィールドを含まないことを示す。
【０１３０】
第８フィールドは、フラグ・フォーマット６−０Ｂ／フォーマット６−１Ｂ識別フィールド、変調及び符号化方式フィールド、ＨＡＲＱプロセス番号フィールド、又は反復数フィールドであってもよい。
【０１３１】
例えば、第４フィールドのビット状態が、ダウンリンク制御情報はリソース・ブロック割り当てに使用されていることを示す場合、フラグ・フォーマット６−０Ｂ／フォーマット６−１Ｂ識別フィールドは１ビットであり；或いは第４フィールドのビット状態が、ダウンリンク制御情報はサブキャリア・リソース割り当てに使用されていることを示す場合、ダウンリンク制御情報はフラグ・フォーマット６−０Ｂ／フォーマット６−１Ｂ識別フィールドを含まない。
【０１３２】
別の例では、第４フィールドのビット状態が、ダウンリンク制御情報はリソース・ブロック割り当てに使用されていることを示す場合、変調及び符号化方式フィールドのサイズは４ビットであり；或いは第４フィールドのビット状態が、ダウンリンク制御情報はサブキャリア・リソース割り当てに使用されていることを示す場合、変調及び符号化方式フィールドのサイズは３ビットである。
【０１３３】
別の例では、第４フィールドのビット状態が、ダウンリンク制御情報はリソース・ブロック割り当てに使用されていることを示す場合、ＨＡＲＱプロセス番号フィールドのサイズは１ビットであり；或いは第４フィールドのビット状態が、ダウンリンク制御情報はサブキャリア・リソース割り当てに使用されていることを示している場合、ダウンリンク制御情報はＨＡＲＱプロセス番号フィールドを含まない。
【０１３４】
他の例では、第４フィールドのビット状態が、ダウンリンク制御情報はリソース・ブロック割り当てに使用されていることを示している場合、反復数フィールドのサイズは３ビットであり；或いは第４フィールドのビット状態が、ダウンリンク制御情報はサブキャリア・リソース割り当てに使用されていることを示している場合、反復数フィールドのサイズは２ビットである。
【０１３５】
オプションとして、前述の実装に基づき、ダウンリンク制御情報がリソース・ブロック割り当てに使用される場合、ダウンリンク制御情報の第９フィールドのサイズはＰビットであり；或いはダウンリンク制御情報がサブキャリア・リソース割り当てに使用される場合、ダウンリンク制御情報の第９フィールドのサイズはＰ−１ビットである。Ｐは１以上の正の整数である。第９フィールドは第８フィールドとは異なるフィールドである。例えば、第９フィールドは、フラグ・フォーマット６−０Ｂ／フォーマット６−１Ｂ識別フィールド、変調及び符号化方式フィールド、ＨＡＲＱプロセス番号フィールド、又は反復数フィールドである。
【０１３６】
例えば、第８フィールドはフラグ・フォーマット６−０Ｂ／フォーマット６−１Ｂ識別フィールドであり、第９フィールドは変調及び符号化方式フィールドである。
【０１３７】
別の例では、第８フィールドはフラグ・フォーマット６−０Ｂ／フォーマット６−１Ｂ識別フィールドであり、第９フィールドはＨＡＲＱプロセス番号フィールドである。
【０１３８】
別の例では、第８フィールドはフラグ・フォーマット６−０Ｂ／フォーマット６−１Ｂ識別フィールドであり、第９フィールドは反復数フィールドである。
【０１３９】
別の例では、第８フィールドは変調及び符号化方式フィールドであり、第９フィールドはＨＡＲＱプロセス番号フィールドである。
【０１４０】
別の例では、第８フィールドは変調及び符号化方式フィールドであり、第９フィールドは反復数フィールドである。
【０１４１】
別の例では、第８フィールドは反復数フィールドであり、第９フィールドはＨＡＲＱプロセス番号フィールドである。
【０１４２】
オプションとして、本願の一部の実施態様において、ダウンリンク制御情報がリソース・ブロック割り当てに使用される場合、ダウンリンク制御情報は、ナローバンドのインデックスを示すフィールドを含み；或いはダウンリンク制御情報がサブキャリア・リソース割り当てに使用される場合、ダウンリンク制御情報は、ナローバンドのインデックスを示すフィールドを含まない。
【０１４３】
オプションとして、本願の一部の実施態様において、ダウンリンク制御情報がリソース・ブロック割り当てに使用される場合、ダウンリンク制御情報はナローバンド・リソース調整フィールドを含み；或いはダウンリンク制御情報がサブキャリア・リソース割り当てに使用される場合、ダウンリンク制御情報は、ナローバンド・リソース調整フィールドを含まない。代替的に、ダウンリンク制御情報が、リソース・ブロック割り当てに使用される場合、ダウンリンク制御情報はナローバンド・リソース調整フィールドを含まず；或いはダウンリンク制御情報がサブキャリア・リソース割り当てに使用される場合、ダウンリンク制御情報はナローバンド・リソース調整フィールドを含む。ナローバンド・リソース調整フィールドは、ナローバンドがオフセットであるか、ナローバンド・オフセット方向であるか、ナローバンド・オフセットの大きさであるかどうかを示すために使用されるフィールドである。
【０１４４】
３０２：端末デバイスが、ダウンリンク制御情報に基づいて、割り当てられたリソースを決定し、割り当てられたリソースで情報を送信する。
【０１４５】
本発明のこの実施形態では、ネットワーク・デバイスは、リソース割り当てフィールドを使用することにより、リソース・ブロックを単位として使用してリソース割り当てを実行することを示し、或いはリソース割り当てフィールドを使用することにより、サブキャリア・リソースを単位として使用してリソース割り当てを実行することを示し、リソース割り当てフィールドに含まれる高次ビット及び低次ビットの状態を使用することにより、割り当てられたリソースを決定することができる。端末デバイスは、ネットワーク・デバイスにより割り当てられたリソースを使用することにより、アップリンク情報を送信することができる。
【０１４６】
前述の実施形態における本願の説明例から、ネットワーク・デバイスは、リソース割り当てフィールドのビット状態の異なる値を利用することにより、リソース・ブロック又はサブキャリア・リソースを端末デバイスに割り当てることを示していることを学ぶことができる。リソース割り当てフィールドが、割り当てられたリソース・ブロックを示すために使用される場合、リソース割り当てフィールドは、
【数５１】
2021518081.tif 000065
個の高次ビットとＭ＋Ｘ個の低次ビットとを含み、
【数５２】
2021518081.tif 000066
個の高次ビットはナローバンドのインデックスを示し、Ｍ＋Ｘ個の低次ビットのＭ個の高次ビットはナローバンドのリソース割り当てを示し、リソース割り当てフィールドで示されるリソース・ブロックの量は１以上であり；或いはリソース割り当てフィールドが、割り当てられたサブキャリア・リソースを示すために使用される場合、リソース割り当てフィールドは、
【数５３】
2021518081.tif 000067
個の高次ビットとＬ個の低次ビットとを含み、
【数５４】
2021518081.tif 000068
個の高次ビットはナローバンドのインデックスを示し、Ｌ個の低次ビットはＫ個のリソース・ブロックにおけるサブキャリア・リソース割り当てを示し、リソース割り当てフィールドで示されるサブキャリアの量は１２未満である。このように、１２サブキャリアより少ないリソースを割り当てることができ、その結果、有効リソースをより多くのＵＥに割り当てることができ、スペクトル効率が改善される。
【０１４７】
以下、本願の実施形態において提供される情報処理方法を、端末デバイスの観点から更に説明する。先ず、図３を参照されたい。本願の実施形態は、以下のステップを含む情報伝送方法を提供する。
【０１４８】
３０１：端末デバイスが、ネットワーク・デバイスにより送信されたダウンリンク制御情報を受信し、ダウンリンク制御情報はリソース割り当てフィールドを含み、リソース割り当てフィールドは、割当てられたリソース・ブロック又はサブキャリア・リソースを示すために使用される。
【０１４９】
リソース割り当てフィールドが、割り当てられたリソース・ブロックを示すために使用される場合、リソース割り当てフィールドは、
【数５５】
2021518081.tif 000069
個の高次ビットとＭ＋Ｘ個の低次ビットとを含み、
【数５６】
2021518081.tif 000070
個の高次ビットはナローバンドのインデックスを示し、Ｍ＋Ｘ個の低次ビットのＭ個の高次ビットはナローバンドにおけるリソース割り当てを示し、リソース割り当てフィールドで示されるリソース・ブロックの量は１以上であり、Ｍは正の整数であり、Ｘは０以上の整数であり、ＮＵＬＲＢはアップリンク帯域幅に含まれるリソース・ブロックの量を示し；或いは
リソース割り当てフィールドが、割り当てられたサブキャリア・リソースを示すために使用される場合、リソース割り当てフィールドはＬ個のビットを含み、Ｌ個のビットは、Ｋ個のリソース・ブロックにおけるサブキャリア・リソース割り当てを示すために使用され；或いは
リソース割り当てフィールドは、
【数５７】
2021518081.tif 000071
個の高次ビットとＬ個の低次ビットとを含み、
【数５８】
2021518081.tif 000072
個の高次ビットはナローバンドのインデックスを示し、Ｌ個の低次ビットは、Ｋ個のリソース・ブロックにおけるサブキャリア・リソース割り当てを示し、リソース割り当てフィールドで示されるサブキャリアの量は１２未満であり、Ｌは正の整数であり、Ｋは正の整数である。
【０１５０】
本願の一部の実施態様において、端末デバイスは、カバレッジ・エンハンスメント・レベル０、カバレッジ・エンハンスメント・レベル１、又はカバレッジ・エンハンスメント・モード（モード）Ａにあり；
ダウンリンク制御情報は第１フィールドを更に含み、第１フィールドのサイズは２ビットであり；
第１フィールドは、３つの異なる量のリソース・ユニットをそれぞれ示す３つのビット状態を有し、及び／又は第１フィールドは、リソース割り当てフィールドが、割り当てられたリソース・ブロックを示すために使用されることを示す１つのビット状態を有し；及び
第１フィールドがリソース・ユニットの量を示す場合、リソース割り当てフィールドはサブキャリア・リソース割り当てを示す。
【０１５１】
端末デバイスのモードＡ又はモードＢは、接続モードにおけるカバレッジ・エンハンスメント（ｃｏｖｅｒａｇｅ  ｅｎｈａｎｃｅｍｅｎｔ，ＣＥ）レベル（ｌｅｖｅｌ）の分類であり、ＣＥレベル０／１／２／３はアイドル・モードにおけるカバレッジ・エンハンスメント・レベルであり、モードＡはＣＥレベル０／１に対応し、モードＢはＣＥレベル２／３に対応する。端末デバイスが、カバレッジ・エンハンスメント・レベル０、カバレッジ・エンハンスメント・レベル１、又はカバレッジ・エンハンスメント・モードＡである場合、ダウンリンク制御情報は第１フィールドを更に含み、第１フィールドのサイズは２ビットであり、第１フィールドは４つのビット状態を有する可能性があり：第１フィールドは、３つの異なる量のリソース・ユニットをそれぞれ示す３つのビット状態を有し、及び／又は第１フィールドは、リソース割り当てフィールドが、割り当てられたリソース・ブロックを示すために使用されることを示す１つのビット状態を有する。周波数ドメイン内のリソース・ユニット（Ｒｅｓｏｕｒｃｅ  Ｕｎｉｔ，ＲＵ）によって占有されるサブキャリアの量は１２未満であり、時間ドメイン内のリソース・ユニットによって占有されるリソースは１サブフレームより大きい。リソース・ユニットは、物理アップリンク共有チャネルからリソース・エレメントへのマッピングを記述するために使用される。１つのリソース・ユニットは、周波数ドメインにおけるＹ個の連続するサブキャリア、及び時間ドメインにおけるＸ個の連続する直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ，ＯＦＤＭ）シンボル又はシングル・キャリア周波数分割多重（Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ，ＳＣ−ＦＤＭＡ）シンボルとして定義され、Ｘ及びＹはそれぞれ正の整数である。本願のこの実施形態では、第１フィールドが、リソース・ユニットの量を示す３つのビット状態を有する場合、リソース割り当てフィールドはサブキャリア・リソース割り当てを示す。換言すれば、端末デバイスは、リソース割り当てフィールドのビット状態に基づいて、ネットワーク・デバイスによって端末デバイスに割り当てられたサブキャリア・リソースを決定することができる。
【０１５２】
オプションとして、リソース割り当てフィールドが、割り当てられたリソース・ブロックを示すために使用される場合、リソース・ブロックは、アップリンク・リソース割り当てタイプ０を使用することにより割り当てられる。
【０１５３】
本願の一部の実施形態では、第１フィールドのビット状態００は、リソース割り当てフィールドが、割り当てられたリソース・ブロックを示すために使用されていることを示し；或いは第１フィールドのビット状態１１は、リソース割り当てフィールドが、割り当てられたリソース・ブロックを示すために使用されていることを示す。
【０１５４】
第１フィールドは２ビットを使用することによりＲＵの量を示す。第１フィールドの意味は次の表１にリスト化される。
表１
【表８】
2021518081.tif 000073
【０１５５】
ビット状態“００”はリソース・ブロック・レベルのリソース割り当てを示すために使用され、ビット状態“０１／１１／１０”はサブキャリア・レベルのリソース割り当てを示すために使用される。更に、第１フィールドの３つの異なるビット状態は、ＲＵの量の値を示すために使用され、３つの異なるリソース・ユニットの量は１、２、４である。
【０１５６】
オプションとして、第１フィールドはダウンリンク制御情報における１番目のフィールドである。端末デバイスは、第１フィールドによって示された状態に基づいて、ダウンリンク制御情報における別のフィールド、又は別のフィールドのサイズが存在するかどうかを判定することができる。
【０１５７】
オプションとして、本願の一部の実施態様において、ダウンリンク制御情報がリソース・ブロック割り当てに使用される場合、ダウンリンク制御情報の第６フィールドのサイズはＮビットであり；或いは、ダウンリンク制御情報がサブキャリア・リソース割り当てに使用される場合、ダウンリンク制御情報の第６フィールドのサイズはＮ−１ビットである。Ｎは１以上の正の整数である。本願では、Ｎが１に等しい場合に、ダウンリンク制御情報が、サブキャリア・リソース割り当てに使用される場合、ダウンリンク制御情報の第６フィールドのサイズは０ビットであり、それはダウンリンク制御情報が第６フィールドを含まないことを示す。
【０１５８】
第６フィールドは、フラグ・フォーマット６−０Ａ／フォーマット６−１Ａ識別フィールド、変調及び符号化方式フィールド、ＨＡＲＱプロセス番号フィールド、又は反復数フィールドであってもよい。
【０１５９】
例えば、第１フィールドのビット状態が、ダウンリンク制御情報はリソース・ブロック割り当てに使用されることを示している場合、フラグ・フォーマット６−０Ａ／フォーマット６−１Ａ識別フィールドは１ビットであり；或いは第１フィールドのビット状態が、ダウンリンク制御情報はサブキャリア・リソース割り当てに使用されることを示している場合、ダウンリンク制御情報はフラグ・フォーマット６−０Ａ／フォーマット６−１Ａ識別フィールドを含まない。
【０１６０】
別の例では、第１フィールドのビット状態が、ダウンリンク制御情報はリソース・ブロック割り当てに使用されることを示している場合、変調及び符号化方式フィールドのサイズは４ビットであり；或いは第１フィールドのビット状態が、ダウンリンク制御情報はサブキャリア・リソース割り当てに使用されることを示している場合、変調及び符号化方式フィールドのサイズは３ビットである。
【０１６１】
別の例では、第１フィールドのビット状態が、ダウンリンク制御情報はリソース・ブロック割り当てに使用されることを示している場合、ＨＡＲＱプロセス番号フィールドのサイズは３ビットであり；或いは第１フィールドのビット状態が、ダウンリンク制御情報はサブキャリア・リソース割り当てに使用されることを示している場合、ＨＡＲＱプロセス番号フィールドのサイズは２ビットである。
【０１６２】
別の例では、第１フィールドのビット状態が、ダウンリンク制御情報はリソース・ブロック割り当てに使用されることを示している場合、反復数フィールドのサイズは２ビットであり；或いは第１フィールドのビット状態が、ダウンリンク制御情報はサブキャリア・リソース割り当てに使用されることを示している場合、反復数フィールドのサイズは１ビットである。
【０１６３】
オプションとして、前述の実装に基づき、ダウンリンク制御情報がリソース・ブロック割り当てに使用される場合、ダウンリンク制御情報の第７フィールドのサイズはＰビットであり；或いはダウンリンク制御情報がサブキャリア・リソース割り当てに使用される場合、ダウンリンク制御情報の第７フィールドのサイズはＰ−１ビットである。Ｐは１以上の正の整数である。第７フィールドは第６フィールドとは異なるフィールドである。例えば、第７フィールドは、フラグ・フォーマット６−０Ａ／フォーマット６−１Ａ識別フィールド、変調及び符号化方式フィールド、ＨＡＲＱプロセス番号フィールド、又は反復数フィールドである。
【０１６４】
例えば、第６フィールドはフラグ・フォーマット６−０Ａ／フォーマット６−１Ａ識別フィールドであり、第７フィールドは変調及び符号化方式フィールドである。
【０１６５】
別の例では、第６フィールドはフラグ・フォーマット６−０Ａ／フォーマット６−１Ａ識別フィールドであり、第７フィールドはＨＡＲＱプロセス番号フィールドである。
【０１６６】
別の例では、第６フィールドはフラグ・フォーマット６−０Ａ／フォーマット６−１Ａ識別フィールドであり、第７フィールドは反復数フィールドである。
【０１６７】
別の例では、第６フィールドは変調及び符号化方式フィールドであり、第７フィールドはＨＡＲＱプロセス番号フィールドである。
【０１６８】
別の例では、第６フィールドは変調及び符号化方式フィールドであり、第７フィールドは反復数フィールドである。
【０１６９】
別の例では、第６フィールドは反復番号フィールドであり、第７フィールドはＨＡＲＱプロセス番号フィールドである。
【０１７０】
オプションとして、本願の一部の実施態様において、ダウンリンク制御情報がリソース・ブロック割り当てに使用される場合、ダウンリンク制御情報は、ナローバンドのインデックスを示すフィールドを含み；或いはダウンリンク制御情報がサブキャリア・リソース割り当てに使用される場合、ダウンリンク制御情報は、ナローバンドのインデックスを示すフィールドを含まない。
【０１７１】
オプションとして、本願の一部の実施態様において、ダウンリンク制御情報がリソース・ブロック割り当てに使用される場合、ダウンリンク制御情報は、ナローバンド・リソース調整フィールドを含み；或いはダウンリンク制御情報がサブキャリア・リソース割り当てに使用される場合、ダウンリンク制御情報は、ナローバンド・リソース調整フィールドを含まない。代替的に、ダウンリンク制御情報がリソース・ブロック割り当てに使用される場合、ダウンリンク制御情報はナローバンド・リソース調整フィールドを含まず；或いはダウンリンク制御情報がサブキャリア・リソース割り当てに使用される場合、ダウンリンク制御情報はナローバンド・リソース調整フィールドを含む。ナローバンド・リソース調整フィールドは、ナローバンドがオフセットであるか、ナローバンド・オフセット方向であるか、ナローバンド・オフセットの大きさであるかどうかを示すために使用されるフィールドである。
【０１７２】
本願の一部の実施態様では、Ｋ＝６、Ｍ＝５、Ｌ＝６であり、リソース割り当てフィールドによって示されるサブキャリア・リソースは、２つのサブキャリア、３つのサブキャリア、又は６つのサブキャリアである。更に、オプションとして、本願の一部の実施形態では、Ｋ個のリソース・ブロックは、ナローバンドにおけるＫ個のリソース・ブロック、又はＫ個の予め指定されたリソース・ブロックであり、Ｋ個の予め指定されたリソース・ブロックは、ナローバンドにおけるＫ個のリソース・ブロック、又はシステム帯域幅における任意のＫ個のリソース・ブロックであってもよい。
【０１７３】
更に、本願の一部の実施態様では、Ｋ＝６、Ｍ＝５、Ｌ＝６であり、リソース割り当てフィールドを使用することにより割り当てられたサブキャリア・リソースが、２つのサブキャリアである場合、２つのサブキャリアが属するリソース・ブロック内の２つのサブキャリアのサブキャリア・インデックスは、｛０，１｝＋Ｈ，｛３，４｝＋Ｈ，｛６，７｝＋Ｈ，又は｛９，１０｝＋Ｈであり、Ｈはセル識別子に基づいて決定される値であり、Ｈの値は０又は１である。
【０１７４】
Ｋ＝６、Ｍ＝５、Ｌ＝６であり、リソース割り当てフィールドが、リソース・ブロックを単位として使用することにより実行されるリソース割り当てを示すために使用される場合、リソース割り当てフィールドは、
【数５９】
2021518081.tif 000074
個のビットを含み、
【数６０】
2021518081.tif 000075
個の高次ビットは、システム帯域幅におけるナローバンドのインデックスを示すために用いられ、５個の低次ビットは、ナローバンドのインデックスに対応するナローバンドにおける単位としてリソース・ブロックを使用することにより実行されるリソース割り当てを示すために使用される。リソース割り当てフィールドが、サブキャリアを単位として使用することにより実行されるリソース割り当てを示すために使用される場合、リソース割り当てフィールドは、
【数６１】
2021518081.tif 000076
個のビットを含み、
【数６２】
2021518081.tif 000077
個の高次ビットは、システム帯域幅におけるナローバンドのインデックスを示すために使用され、６つの低次ビットは、ナローバンドのインデックスに対応するナローバンドにおける６つのリソース・ブロック内の２つのサブキャリア、３つのサブキャリア、又は６つのサブキャリアのリソース割り当てを示すために使用され；或いは、リソース割り当てフィールドが、サブキャリアを単位として使用することにより実行されるリソース割り当てを示すために使用される場合、リソース割り当てフィールドは６ビットを含み、ネットワークにより設定される６つのリソース・ブロック、又は６つの予め設定されたリソース・ブロックにおける、２つのサブキャリア、３つのサブキャリア、又は６つのサブキャリアのリソース割り当てを示すために使用される。
【０１７５】
本願の一部の実施態様において、端末デバイスは、カバレッジ・エンハンスメント・レベル２、はカバレッジ・エンハンスメント・レベル３、又はカバレッジ・エンハンスメント・モードＢであり；
ダウンリンク制御情報は第４フィールドを更に含み、第４フィールドのサイズは１ビットであり；
第４フィールドのビット状態が０である場合、リソース割り当てフィールドは、割り当てられたリソース・ブロックを示すために使用され；或いは
第４フィールドのビット状態が１である場合、リソース割り当てフィールドは、割り当てられたサブキャリア・リソースを示すために使用される。
【０１７６】
端末デバイスは、リソース割り当てフィールドが、割り当てられたリソース・ブロック又は割り当てられたサブキャリア・リソースを示すために使用されているかどうかを、第４フィールドのビット状態の値に基づいて判定することができる。
【０１７７】
オプションとして、第４フィールドはダウンリンク制御情報における１番目のフィールドである。端末デバイスは、第４フィールドによって示される状態に基づいて、ダウンリンク制御情報における他のフィールド、又は他のフィールドのサイズが存在するかどうかを決定することができる。
【０１７８】
オプションとして、本願の一部の実施態様において、ダウンリンク制御情報がリソース・ブロック割り当てに使用される場合、ダウンリンク制御情報における第８フィールドのサイズはＳビットであり；或いはダウンリンク制御情報がサブキャリア・リソース割り当てに使用される場合、ダウンリンク制御情報における第８フィールドのサイズはＳ−１ビットである。Ｓは１以上の正の整数である。本願では、Ｓが１に等しい場合に、ダウンリンク制御情報がサブキャリア・リソース割り当てに使用される場合、ダウンリンク制御情報の第８フィールドのサイズは０ビットであり、それはダウンリンク制御情報が第８フィールドを含まないことを示す。
【０１７９】
第８フィールドは、フラグ・フォーマット６−０Ｂ／フォーマット６−１Ｂ識別フィールド、変調及び符号化方式フィールド、ＨＡＲＱプロセス番号フィールド、又は反復数フィールドであってもよい。
【０１８０】
例えば、第４フィールドのビット状態が、ダウンリンク制御情報はリソース・ブロック割り当てに使用されていることを示す場合、フラグ・フォーマット６−０Ｂ／フォーマット６−１Ｂ識別フィールドは１ビットであり；或いは第４フィールドのビット状態が、ダウンリンク制御情報はサブキャリア・リソース割り当てに使用されていることを示す場合、ダウンリンク制御情報はフラグ・フォーマット６−０Ｂ／フォーマット６−１Ｂ識別フィールドを含まない。
【０１８１】
別の例では、第４フィールドのビット状態が、ダウンリンク制御情報はリソース・ブロック割り当てに使用されていることを示す場合、変調及び符号化方式フィールドのサイズは４ビットであり；或いは第４フィールドのビット状態が、ダウンリンク制御情報はサブキャリア・リソース割り当てに使用されていることを示す場合、変調及び符号化方式フィールドのサイズは３ビットである。
【０１８２】
別の例では、第４フィールドのビット状態が、ダウンリンク制御情報はリソース・ブロック割り当てに使用されていることを示す場合、ＨＡＲＱプロセス番号フィールドのサイズは１ビットであり；或いは第４フィールドのビット状態が、ダウンリンク制御情報はサブキャリア・リソース割り当てに使用されていることを示す場合、ダウンリンク制御情報は、ＨＡＲＱプロセス番号フィールドを含まない。
【０１８３】
別の例では、第４フィールドのビット状態が、ダウンリンク制御情報はリソース・ブロック割り当てに使用されていることを示す場合、反復数フィールドのサイズは３ビットであり；或いは第４フィールドのビット状態が、ダウンリンク制御情報はサブキャリア・リソース割り当てに使用されていることを示す場合、反復数フィールドのサイズは２ビットである。
【０１８４】
オプションとして、前述の実装に基づき、ダウンリンク制御情報がリソース・ブロック割り当てに使用される場合、ダウンリンク制御情報の第９フィールドのサイズはＰビットであり；或いはダウンリンク制御情報がサブキャリア・リソース割り当てに使用され場合、ダウンリンク制御情報の第９フィールドのサイズはＰ−１ビットである。Ｐは１以上の正の整数である。第９フィールドは第８フィールドとは異なるフィールドである。例えば、第９フィールドは、フラグ・フォーマット６−０Ｂ／フォーマット６−１Ｂ識別フィールド、変調及び符号化スキームフィールド、ＨＡＲＱプロセス番号フィールド、又は反復数フィールドである。
【０１８５】
例えば、第８フィールドはフラグ・フォーマット６−０Ｂ／フォーマット６−１Ｂ識別フィールドであり、第９フィールドは変調及び符号化方式フィールドである。
【０１８６】
別の例では、第８フィールドはフラグ・フォーマット６−０Ｂ／フォーマット６−１Ｂ識別フィールドであり、第９フィールドはＨＡＲＱプロセス番号フィールドである。
【０１８７】
別の例では、第８フィールドはフラグ・フォーマット６−０Ｂ／フォーマット６−１Ｂ識別フィールドであり、第９フィールドは反復数フィールドである。
【０１８８】
別の例では、第８フィールドは変調及び符号化方式フィールドであり、第９フィールドはＨＡＲＱプロセス番号フィールドである。
【０１８９】
別の例では、第８フィールドは変調及び符号化方式フィールドであり、第９フィールドは反復数フィールドである。
【０１９０】
別の例では、第８フィールドは反復数フィールドであり、第９フィールドはＨＡＲＱプロセス番号フィールドである。
【０１９１】
オプションとして、本願の一部の実施態様において、ダウンリンク制御情報がリソース・ブロック割り当てに使用される場合、ダウンリンク制御情報は、ナローバンドのインデックスを示すフィールドを含み；或いはダウンリンク制御情報がサブキャリア・リソース割り当てに使用される場合、ダウンリンク制御情報は、ナローバンドのインデックスを示すフィールドを含まない。
【０１９２】
オプションとして、本願の一部の実施態様において、ダウンリンク制御情報がリソース・ブロック割り当てに使用される場合、ダウンリンク制御情報は、ナローバンド・リソース調整フィールドを含み；或いはダウンリンク制御情報がサブキャリア・リソース割り当てに使用される場合、ダウンリンク制御情報は、ナローバンド・リソース調整フィールドを含まない。代替的に、ダウンリンク制御情報がリソース・ブロック割り当てに使用される場合、ダウンリンク制御情報はナローバンド・リソース調整フィールドを含まず；或いはダウンリンク制御情報がサブキャリア・リソース割り当てに使用される場合、ダウンリンク制御情報はナローバンド・リソース調整フィールドを含む。ナローバンド・リソース調整フィールドは、ナローバンドがオフセットであるか、ナローバンド・オフセット方向であるか、ナローバンド・オフセットの大きさであるかどうかを示すために使用されるフィールドである。
【０１９３】
更に、本願の一部の実施形態では、Ｋ＝２、Ｍ＝３、Ｌ＝４であり、リソース割り当てフィールドを使用することにより割り当てられるサブキャリア・リソースは、３つのサブキャリア又は６つのサブキャリアであり；或いはＫ＝２、Ｍ＝３、Ｌ＝５であり、リソース割り当てフィールドを使用することにより割り当てられるサブキャリア・リソースは、３つのサブキャリア又は６つのサブキャリアであり、リソース割り当てフィールドはリソース・ユニットの量を示す。
【０１９４】
例えば、Ｋ＝２、Ｍ＝３、Ｌ＝４であり、リソース割り当てフィールドが、割り当てられたリソース・ブロックを示すために使用される場合、端末デバイスは、リソース割り当てフィールドを使用することにより割り当てられるリソース・ブロックは、
【数６３】
2021518081.tif 000078
個の高次ビットにより示される、ナローバンドのインデックスに対応するナローバンドにおける１つ又は２つのリソース・ブロックであると判断することが可能であり；或いはＫ＝２、Ｍ＝３、Ｌ＝４であり、リソース割り当てフィールドが、割り当てられたサブキャリア・リソースを示すために使用されている場合、端末デバイスは、リソース割り当てフィールドを使用することにより割り当てられたサブキャリア・リソースは、２つのリソース・ブロックにおける３つのサブキャリア又は６つのサブキャリアであると判断することができる。Ｋ＝２、Ｍ＝３、Ｌ＝５であり、リソース割り当てフィールドが、割り当てられたリソース・ブロックを示すために使用される場合、端末デバイスは、リソース割り当てフィールドを使用することにより割り当てられたリソース・ブロックは、ナローバンドのうちの、インデックスに対応するナローバンドにおける１つ又は２つのリソース・ブロックであることを判断することが可能であり、それは
【数６４】
2021518081.tif 000079
個の高次ビットにより示され；或いはＫ＝２、Ｍ＝３、Ｌ＝５であり、リソース割り当てフィールドが、割り当てられたサブキャリア・リソースを示すために使用される場合、端末デバイスは、リソース割り当てフィールドを使用することにより割り当てられたサブキャリア・リソースが、２つのリソース・ブロックにおける３つのサブキャリア又は６つのサブキャリアであることを判定することが可能であり、リソース割り当てフィールドはリソース・ユニットの２つの量を示すことが可能である。
【０１９５】
更に、オプションとして、リソース割り当てフィールドが、割り当てられたリソース・ブロックを示すために使用される場合、アップリンク・リソース割り当てタイプ２が使用される。
【０１９６】
更に、オプションとして、リソース割り当てフィールドが、割り当てられたサブキャリア・リソースを示すために使用される場合、２つのリソース・ブロックは、ネットワークによって設定されたリソース・ブロック又は予め設定されたリソース・ブロックである。
【０１９７】
更に、オプションとして、２つのリソース・ブロックは、
【数６５】
2021518081.tif 000080
個の高次ビットにより示される、ナローバンドのインデックスに対応するナローバンドにおけるものあってもよく、或いはシステム帯域幅における任意の２つのリソース・ブロックであってもよい。
【０１９８】
更に、本願の一部の実施形態では、Ｋ＝２、Ｍ＝３、Ｌ＝４であり、ダウンリンク制御情報が第５フィールドを更に含む場合、端末デバイスは、第５フィールドのビット状態に基づいて、ネットワーク・デバイスにより示されるリソース・ユニットの量を決定することができる。第５フィールドのサイズは１ビットであり、第５フィールドはリソース・ユニットの量を示し、１ビットに対応する２つの状態はリソース・ユニットの２つの量を示す。
【０１９９】
更に、オプションとして、リソース・ユニットの２つの量は、１及び２であってもよい。
【０２００】
３０２：端末デバイスが、ダウンリンク制御情報に基づいて、割り当てられたリソースを決定し、割り当てられたリソースで情報を送信する。
【０２０１】
本発明のこの実施形態では、ネットワーク・デバイスは、リソース割り当てフィールドを使用することにより、リソース・ブロックを単位として使用してリソース割り当てを実行することを指示し、或いはリソース割り当てフィールドを使用することにより、サブキャリア・リソースを単位として使用してリソース割り当てを実行することを指示し、リソース割り当てフィールドに含まれる高次ビット及び低次ビットの状態を使用することにより、割り当てられたリソースを判定することができる。端末デバイスは、ネットワーク・デバイスによって割り当てられたリソースを使用することによって、アップリンク情報を送信することができる。
【０２０２】
前述の実施形態における本願の説明例から、ネットワーク・デバイスは、リソース割り当てフィールドのビット状態の異なる値を使用することにより、リソース・ブロック又はサブキャリア・リソースを端末デバイスに割り当てること示すことが可能であることを学ぶことができる。リソース割り当てフィールドが、割り当てられたリソース・ブロックを示すために使用される場合、リソース割り当てフィールドは、
【数６６】
2021518081.tif 000081
個の高次ビットとＭ＋Ｘ個の低次ビットとを含み、
【数６７】
2021518081.tif 000082
個の高次ビットはナローバンドのインデックスを示し、Ｍ＋Ｘ個の低次ビットのＭ個の高次ビットはナローバンドにおけるリソース割り当てを示し、リソース割り当てフィールドで示されるリソース・ブロックの量は１以上であり；或いはリソース割り当てフィールドが、割り当てられたサブキャリア・リソースを示すために使用される場合、リソース割り当てフィールドは、
【数６８】
2021518081.tif 000083
個の高次ビットとＬ個の低次ビットとを含み、
【数６９】
2021518081.tif 000084
個の高次ビットはナローバンドのインデックスを示し、Ｌ個の低次ビットはＫ個のリソース・ブロックにおけるサブキャリア・リソース割り当てを示し、リソース割り当てフィールドで示されるサブキャリアの量は１２未満である。このように、１２サブキャリアより少ないリソースを割り当てることができ、その結果、有効リソースをより多くのＵＥに割り当てることができ、スペクトル効率が改善される。
【０２０３】
前述の実施形態は、端末デバイスの観点から、本願の実施形態で提供される情報伝送方法を説明している。以下、本願の実施形態において提供される情報伝送方法を、ネットワーク・デバイスの観点から説明する。図４を参照すると、本願の実施形態は、以下のステップを含む情報送信方法を提供する。
【０２０４】
４０１：ネットワーク・デバイスが、リソース・ブロック又はサブキャリア・リソースを端末デバイスに割り当てることを決定する。
【０２０５】
４０２：ネットワーク・デバイスが、ダウンリンク制御情報を決定し、ダウンリンク制御情報はリソース割り当てフィールドを含み、リソース割り当てフィールドは、割り当てられたリソース・ブロック又はサブキャリア・リソースを示すために使用される。
【０２０６】
リソース割り当てフィールドが、割り当てられたリソース・ブロックを示すために使用される場合、リソース割り当てフィールドは、
【数７０】
2021518081.tif 000085
個の高次ビットとＭ＋Ｘ個の低次ビットとを含み、
【数７１】
2021518081.tif 000086
個の高次ビットはナローバンドのインデックスを示し、Ｍ＋Ｘ個の低次ビットの高次ビットはナローバンドのリソース割り当てを示し、リソース割り当てフィールドで示されるリソース・ブロックの量は１以上であり、Ｍは正の整数であり、Ｘは０以上であり、ＮＵＬＲＢはアップリンク帯域幅に含まれるリソース・ブロックの量を示し；或いはリソース割り当てフィールドが、割り当てられたサブキャリア・リソースを示すために使用される場合、リソース割り当てフィールドは、
【数７２】
2021518081.tif 000087
個の高次ビットとＬ個の低次ビットとを含み、
【数７３】
2021518081.tif 000088
個の高次ビットはナローバンドのインデックスを示し、Ｌ個の低次ビットはＫ個のリソース・ブロックにおけるサブキャリア・リソース割り当てを示し、リソース割り当てフィールドで示されるサブキャリアの量は１２未満であり、Ｌは正の整数であり、Ｋは正の整数である。
【０２０７】
本願の一部の実施形態において、端末デバイスは、カバレッジ・エンハンスメント・レベル０、カバレッジ・エンハンスメント・レベル１、又はカバレッジ・エンハンスメント・モードＡにあり；ダウンリンク制御情報は第１フィールドを更に含み、第１フィールドのサイズは２ビットであり；第１フィールドは、３つの異なる量のリソース・ユニットをそれぞれ示す３つのビット状態を有し、及び／又は第１フィールドは、リソース割り当てフィールドが、割り当てられたリソース・ブロックを示すために使用されることを示す１つのビット状態を有し；及び第１フィールドがリソース・ユニットの量を示す場合、リソース割り当てフィールドはサブキャリア・リソース割り当てを示す。
【０２０８】
本願の一部の実施形態において、第１フィールドのビット状態００は、リソース割り当てフィールドが、割り当てられたリソース・ブロックを示すために使用されることを示し；或いは第１フィールドのビット状態１１は、リソース割り当てフィールドが、割り当てられたリソース・ブロックを示すために使用されることを示す。
【０２０９】
本願の一部の実施形態において、Ｋ＝５、Ｍ＝５、Ｌ＝５であり、リソース割り当てフィールドにより示されるサブキャリア・リソースは、３つのサブキャリア又は６つのサブキャリアであり；Ｋ＝３、Ｍ＝５、Ｌ＝５であり、リソース割り当てフィールドにより示されるサブキャリア・リソースは、２つのサブキャリア、３つのサブキャリア、又は６つのサブキャリアであり；或いはＫ＝６、Ｍ＝５、Ｌ＝６であり、リソース割り当てフィールドにより示されるサブキャリア・リソースは、２つのサブキャリア、３つのサブキャリア、又は６つのサブキャリアである。
【０２１０】
更に、本願の一部の実施形態では、Ｋ＝５、Ｍ＝５、Ｌ＝５であり、リソース割り当てフィールドを使用することにより割り当てられるサブキャリア・リソースが３つのサブキャリアである場合、ダウンリンク制御情報は第２フィールドを更に含み、第２フィールドは、３つのサブキャリアを使用することにより情報を送信すること、又は３つのサブキャリア内の２つの連続するサブキャリアを使用することにより情報を送信することを、端末デバイスに指示し；Ｋ＝５、Ｍ＝５、Ｌ＝５であり、リソース割り当てフィールドを使用することにより割り当てられるサブキャリア・リソースが３つのサブキャリアである場合、ダウンリンク制御情報は第３フィールドを更に含み、第３フィールドは、端末デバイスにより実行されるべき情報伝送のための変調方式を示し、変調方式がＰｉ／２ＢＰＳＫ変調である場合に、端末デバイスは３つのサブキャリア内の２つの連続するサブキャリアを使用することにより情報を送信し、或いは変調方式が直交位相シフト・キーイングＱＰＳＫ変調である場合に、端末デバイスは３つのサブキャリアを使用することにより情報を送信し、Ｐｉ／２は回転角が９０度であることを示し；Ｋ＝３、Ｍ＝５、Ｌ＝５であり、リソース割り当てフィールドを使用することにより割り当てられるサブキャリア・リソースが２つのサブキャリアである場合、２つのサブキャリアが属するリソース・ブロック内の２つのサブキャリアのサブキャリア・インデックスは、｛０，１｝＋Ｈ，｛３，４｝＋Ｈ，｛６，７｝＋Ｈ，又は｛９，１０｝＋Ｈであり、Ｈはセル識別子に基づいて決定される値であり、Ｈの値は０又は１であり；或いはＫ＝６、Ｍ＝５、Ｌ＝６であり、リソース割り当てフィールドを使用することにより割り当てられるサブキャリア・リソースが２つのサブキャリアである場合、２つのサブキャリアが属するリソース・ブロック内の２つのサブキャリアのサブキャリア・インデックスは、｛０，１｝＋Ｈ，｛３，４｝＋Ｈ，｛６，７｝＋Ｈ，又は｛９，１０｝＋Ｈであり、Ｈはセル識別子に基づいて決定される値であり、Ｈの値は０又は１である。
【０２１１】
本願の一部の実施形態において、端末デバイスは、カバレッジ・エンハンスメント・レベル２、カバレッジ・エンハンスメント・レベル３、又はカバレッジ・エンハンスメント・モードＢにあり；ダウンリンク制御情報は第４フィールドを更に含み、第４フィールドのサイズは１ビットであり；及び第４フィールドのビット状態が０である場合、リソース割り当てフィールドは割り当てられたリソース・ブロックを示すために使用され；或いは第４フィールドのビット状態が１である場合、リソース割り当てフィールドは割り当てられたサブキャリア・リソースを示すために使用される。
【０２１２】
本願の一部の実施形態では、Ｋ＝２、Ｍ＝３、Ｌ＝４であり、リソース割り当てフィールドを使用することにより割り当てられるサブキャリア・リソースは、３つのサブキャリア又は６つのサブキャリアであり；或いはＫ＝２、Ｍ＝３、Ｌ＝５であり、リソース割り当てフィールドを使用することにより割り当てられるサブキャリア・リソースは、３つのサブキャリア又は６つのサブキャリアであり、リソース割り当てフィールドはリソース・ユニットの量を示す。
【０２１３】
本願の一部の実施形態では、Ｋ＝２、Ｍ＝３、及びＬ＝４であり、ダウンリンク制御情報は第５フィールドを更に含み、第５フィールドのサイズは１ビットであり、第５フィールドはリソース・ユニットの量を示す。
【０２１４】
４０３：ネットワーク・デバイスが、ダウンリンク制御情報を端末デバイスに送信する。
【０２１５】
４０４：ネットワーク・デバイスが、ダウンリンク制御情報に基づいて決定されるリソースで、端末デバイスにより送信された情報を受信する。
【０２１６】
前述の実施形態における本願の説明例から、ネットワーク・デバイスは、リソース割り当てフィールドのビット状態の異なる値を利用することにより、端末デバイスに割り当てられるリソース・ブロック又はサブキャリア・リソースを示していることを学ぶことができる。リソース割り当てフィールドが、割り当てられたリソース・ブロックを示すために使用される場合、リソース割り当てフィールドは、
【数７４】
2021518081.tif 000089
個の高次ビットとＭ＋Ｘ個の低次ビットとを含み、
【数７５】
2021518081.tif 000090
個の高次ビットはナローバンドのインデックスを示し、Ｍ＋Ｘ個の低次ビットにおけるＭ個の高次ビットはナローバンドのリソース割り当てを示し、リソース割り当てフィールドで示されるリソース・ブロックの量は１以上であり；或いはリソース割り当てフィールドが、割り当てられたサブキャリア・リソースを示すために使用される場合、リソース割り当てフィールドは、
【数７６】
2021518081.tif 000091
個の高次ビットとＬ個の低次ビットとを含み、
【数７７】
2021518081.tif 000092
個の高次ビットはナローバンドのインデックスを示し、Ｌ個の低次ビットはＫ個のリソース・ブロックにおけるサブキャリア・リソース割り当てを示し、リソース割り当てフィールドで示されるサブキャリアの量は１２未満である。このように、１２サブキャリアより少ないリソースを割り当てることができ、その結果、有効リソースをより多くのＵＥに割り当てることができ、スペクトル効率が改善される。
【０２１７】
前述の方法の実施形態は、説明を容易にするために、一連の動作として表現されていることに留意すべきである。しかしながら、本発明によれば、幾つかのステップは他のシーケンスで実行されてもよいし、或いは同時に実行されてもよいので、本発明は説明された動作シーケンスに限定されないことを、当業者は理解するはずである。更に、明細書に記載されている全ての実施形態は例示的な実施形態であり、関連する動作及びモジュールは必ずしも本発明に必須ではないことも、当業者は理解するはずである。
【０２１８】
以下、本願の実施形態において前述のソリューションをより良好に実施するために、前述のソリューションを実施するように構成された関連する装置を更に提供する。
【０２１９】
本願の実施形態は端末デバイスを提供する。図５に示されるように、端末デバイス５００は：
ネットワーク・デバイスにより送信されたダウンリンク制御情報を受信するように構成された受信モジュール５０１であって、ダウンリンク制御情報はリソース割り当てフィールドを含み、リソース割り当てフィールドは割り当てられたリソース・ブロック又はサブキャリア・リソースを示すために使用され；
リソース割り当てフィールドが、割り当てられたリソース・ブロックを示すために使用される場合、リソース割り当てフィールドは、
【数７８】
2021518081.tif 000093
個の高次ビットとＭ＋Ｘ個の低次ビットとを含み、
【数７９】
2021518081.tif 000094
個の高次ビットはナローバンドのインデックスを示し、Ｍ＋Ｘ個の低次ビットにおけるＭ個の高次ビットはナローバンドにおけるリソース割り当てを示し、リソース割り当てフィールドにより示されるリソース・ブロックの量は１以上であり、Ｍは正の整数であり、Ｘは０以上の整数であり、ＮＵＬＲＢはアップリンク帯域幅に含まれるリソース・ブロックの量を表し；或いは
リソース割り当てフィールドが、割り当てられたサブキャリア・リソースを示すために使用される場合、リソース割り当てフィールドは、
【数８０】
2021518081.tif 000095
個の高次ビットとＬ個の低次ビットとを含み、
【数８１】
2021518081.tif 000096
個の高次ビットはナローバンドのインデックスを示し、Ｌ個の低次ビットはＫ個のリソース・ブロックにおけるサブキャリア・リソース割り当てを示し、リソース割り当てフィールドにより示されるサブキャリアの量は１２未満であり、Ｌは正の整数であり、Ｋは正の整数である、受信モジュール；
ダウンリンク制御情報に基づいて、割り当てられたリソースを決定するように構成された処理モジュール５０２；及び
割り当てられたリソースで情報を送信するように構成された送信モジュール５０３を含む。
【０２２０】
本願の一部の実施形態において、端末デバイスは、カバレッジ・エンハンスメント・レベル０、カバレッジ・エンハンスメント・レベル１、又はカバレッジ・エンハンスメント・モードＡにあり；
ダウンリンク制御情報は第１フィールドを更に含み、第１フィールドのサイズは２ビットであり；
第１フィールドは、３つの異なる量のリソース・ユニットをそれぞれ示す３つのビット状態を有し、及び／又は第１フィールドは、リソース割り当てフィールドが、割り当てられたリソース・ブロックを示すために使用されることを示す１つのビット状態を有し；及び
第１フィールドがリソース・ユニットの量を示す場合、リソース割り当てフィールドはサブキャリア・リソース割り当てを示す。
【０２２１】
本願の一部の実施形態において、第１フィールドのビット状態００は、リソース割り当てフィールドが、割り当てられたリソース・ブロックを示すために使用されることを示し；或いは
第１フィールドのビット状態１１は、リソース割り当てフィールドが、割り当てられたリソース・ブロックを示すために使用されることを示す。
【０２２２】
本願の一部の実施形態において、Ｋ＝５、Ｍ＝５、Ｌ＝５であり、リソース割り当てフィールドにより示されるサブキャリア・リソースは、３つのサブキャリア又は６つのサブキャリアであり；
Ｋ＝３、Ｍ＝５、Ｌ＝５であり、リソース割り当てフィールドにより示されるサブキャリア・リソースは、２つのサブキャリア、３つのサブキャリア、又は６つのサブキャリアであり；或いは
Ｋ＝６、Ｍ＝５、Ｌ＝６であり、リソース割り当てフィールドにより示されるサブキャリア・リソースは、２つのサブキャリア、３つのサブキャリア、又は６つのサブキャリアである。
【０２２３】
本願の一部の実施形態において、Ｋ＝５、Ｍ＝５、Ｌ＝５であり、リソース割り当てフィールドを使用することにより割り当てられるサブキャリア・リソースが３つのサブキャリアである場合、ダウンリンク制御情報は第２フィールドを更に含み、第２フィールドは、３つのサブキャリアを使用することにより情報を送信すること、又は３つのサブキャリア内の２つの連続するサブキャリアを使用することにより情報を送信することを、端末デバイスに指示し；
Ｋ＝５、Ｍ＝５、Ｌ＝５であり、リソース割り当てフィールドを使用することにより割り当てられるサブキャリア・リソースが３つのサブキャリアである場合、ダウンリンク制御情報は第３フィールドを更に含み、第３フィールドは、端末デバイスにより実行されるべき情報伝送のための変調方式を示し、変調方式がＰｉ／２ＢＰＳＫ変調である場合に、端末デバイスは３つのサブキャリア内の２つの連続するサブキャリアを使用することにより情報を送信し、或いは変調方式が直交位相シフト・キーイングＱＰＳＫ変調である場合に、端末デバイスは３つのサブキャリアを使用することにより前記情報を送信し、Ｐｉ／２は回転角が９０度であることを示し；
Ｋ＝３、Ｍ＝５、Ｌ＝５であり、リソース割り当てフィールドを使用することにより割り当てられるサブキャリア・リソースが２つのサブキャリアである場合、２つのサブキャリアが属するリソース・ブロック内の２つのサブキャリアのサブキャリア・インデックスは、｛０，１｝＋Ｈ，｛３，４｝＋Ｈ，｛６，７｝＋Ｈ，又は｛９，１０｝＋Ｈであり、Ｈはセル識別子に基づいて決定される値であり、Ｈの値は０又は１であり；或いは
Ｋ＝６、Ｍ＝５、Ｌ＝６であり、リソース割り当てフィールドを使用することにより割り当てられるサブキャリア・リソースが２つのサブキャリアである場合、２つのサブキャリアが属するリソース・ブロック内の２つのサブキャリアのサブキャリア・インデックスは、｛０，１｝＋Ｈ，｛３，４｝＋Ｈ，｛６，７｝＋Ｈ，又は｛９，１０｝＋Ｈであり、Ｈはセル識別子に基づいて決定される値であり、Ｈの値は０又は１である。
【０２２４】
本願の一部の実施形態において、端末デバイスは、カバレッジ・エンハンスメント・レベル２、カバレッジ・エンハンスメント・レベル３、又はカバレッジ・エンハンスメント・モードＢにあり；
ダウンリンク制御情報は第４フィールドを更に含み、第４フィールドのサイズは１ビットであり；及び
第４フィールドのビット状態が０である場合、リソース割り当てフィールドは割り当てられたリソース・ブロックを示すために使用され；或いは
第４フィールドのビット状態が１である場合、リソース割り当てフィールドは割り当てられたサブキャリア・リソースを示すために使用される。
【０２２５】
本願の一部の実施形態において、Ｋ＝２、Ｍ＝３、Ｌ＝４であり、リソース割り当てフィールドを使用することにより割り当てられるサブキャリア・リソースは、３つのサブキャリア又は６つのサブキャリアであり；
Ｋ＝２、Ｍ＝３、Ｌ＝５であり、リソース割り当てフィールドを使用することにより割り当てられるサブキャリア・リソースは、３つのサブキャリア又は６つのサブキャリアであり、リソース割り当てフィールドはリソース・ユニットの量を示し；或いは
Ｋ＝３、Ｍ＝３、Ｌ＝５であり、リソース割り当てフィールドを使用することにより割り当てられるサブキャリア・リソースは、２つのサブキャリア、３つのサブキャリア、又は６つのサブキャリアである。
【０２２６】
本願の一部の実施形態において、Ｋ＝２、Ｍ＝３、及びＬ＝４である場合、又はＫ＝３、Ｍ＝３、及びＬ＝５である場合に、ダウンリンク制御情報は第５フィールドを更に含み、第５フィールドのサイズは１ビットであり、第５フィールドはリソース・ユニットの量を示す。
【０２２７】
本願の一部の実施形態では、図６に示されるように、本願の実施形態はネットワーク・デバイス６００を提供し、ネットワーク・デバイスは：
リソース・ブロック又はサブキャリア・リソースを端末デバイスに割り当てることを決定するように構成された処理モジュール６０１であって、
処理モジュール６０１は、ダウンリンク制御情報を決定するように構成されており、ダウンリンク制御情報はリソース割り当てフィールドを含み、リソース割り当てフィールドは割り当てられたリソース・ブロック又はサブキャリア・リソースを示すために使用され；
リソース割り当てフィールドが、割り当てられたリソース・ブロックを示すために使用される場合、リソース割り当てフィールドは、
【数８２】
2021518081.tif 000097
個の高次ビットとＭ＋Ｘ個の低次ビットとを含み、
【数８３】
2021518081.tif 000098
個の高次ビットはナローバンドのインデックスを示し、Ｍ＋Ｘ個の低次ビットにおけるＭ個の高次ビットはナローバンドにおけるリソース割り当てを示し、リソース割り当てフィールドにより示されるリソース・ブロックの量は１以上であり、Ｍは正の整数であり、Ｘは０以上の整数であり、ＮＵＬＲＢはアップリンク帯域幅に含まれるリソース・ブロックの量を表し；或いは
リソース割り当てフィールドが、割り当てられたサブキャリア・リソースを示すために使用される場合、リソース割り当てフィールドは、
【数８４】
2021518081.tif 000099
個の高次ビットとＬ個の低次ビットとを含み、
【数８５】
2021518081.tif 000100
個の高次ビットはナローバンドのインデックスを示し、Ｌ個の低次ビットはＫ個のリソース・ブロックにおけるサブキャリア・リソース割り当てを示し、リソース割り当てフィールドにより示されるサブキャリアの量は１２未満であり、Ｌは正の整数であり、Ｋは正の整数である、処理モジュール；
ダウンリンク制御情報を端末デバイスへ送信するように構成された送信モジュール６０２；及び
端末デバイスにより送信された情報を、ダウンリンク制御情報に基づいて決定されるリソースで受信するように構成された受信モジュール６０３を含む。
【０２２８】
本願の一部の実施形態において、端末デバイスは、カバレッジ・エンハンスメント・レベル０、カバレッジ・エンハンスメント・レベル１、又はカバレッジ・エンハンスメント・モードＡにあり；
ダウンリンク制御情報は第１フィールドを更に含み、第１フィールドのサイズは２ビットであり；
第１フィールドは、３つの異なる量のリソース・ユニットをそれぞれ示す３つのビット状態を有し、及び／又は第１フィールドは、リソース割り当てフィールドが、割り当てられたリソース・ブロックを示すために使用されることを示す１つのビット状態を有し；及び
第１フィールドがリソース・ユニットの量を示す場合、リソース割り当てフィールドはサブキャリア・リソース割り当てを示す。
【０２２９】
本願の一部の実施形態において、第１フィールドのビット状態００は、リソース割り当てフィールドが、割り当てられたリソース・ブロックを示すために使用されることを示し；或いは
第１フィールドのビット状態１１は、リソース割り当てフィールドが、割り当てられたリソース・ブロックを示すために使用されることを示す。
【０２３０】
本願の一部の実施形態において、Ｋ＝５、Ｍ＝５、Ｌ＝５であり、リソース割り当てフィールドにより示されるサブキャリア・リソースは、３つのサブキャリア又は６つのサブキャリアであり；
Ｋ＝３、Ｍ＝５、Ｌ＝５であり、リソース割り当てフィールドにより示されるサブキャリア・リソースは、２つのサブキャリア、３つのサブキャリア、又は６つのサブキャリアであり；或いは
Ｋ＝６、Ｍ＝５、Ｌ＝６であり、リソース割り当てフィールドにより示されるサブキャリア・リソースは、２つのサブキャリア、３つのサブキャリア、又は６つのサブキャリアである。
【０２３１】
本願の一部の実施形態において、Ｋ＝５、Ｍ＝５、Ｌ＝５であり、リソース割り当てフィールドを使用することにより割り当てられるサブキャリア・リソースが３つのサブキャリアである場合、ダウンリンク制御情報は第２フィールドを更に含み、第２フィールドは、３つのサブキャリアを使用することにより情報を送信すること、又は３つのサブキャリア内の２つの連続するサブキャリアを使用することにより情報を送信することを、端末デバイスに指示し；
Ｋ＝５、Ｍ＝５、Ｌ＝５であり、リソース割り当てフィールドを使用することにより割り当てられるサブキャリア・リソースが３つのサブキャリアである場合、ダウンリンク制御情報は第３フィールドを更に含み、第３フィールドは、端末デバイスにより実行されるべき情報伝送のための変調方式を示し、変調方式がＰｉ／２ＢＰＳＫ変調である場合に、端末デバイスは３つのサブキャリア内の２つの連続するサブキャリアを使用することにより情報を送信し、或いは変調方式が直交位相シフト・キーイングＱＰＳＫ変調である場合に、端末デバイスは３つのサブキャリアを使用することにより情報を送信し、Ｐｉ／２は回転角が９０度であることを示し；
Ｋ＝３、Ｍ＝５、Ｌ＝５であり、リソース割り当てフィールドを使用することにより割り当てられるサブキャリア・リソースが２つのサブキャリアである場合、２つのサブキャリアが属するリソース・ブロック内の２つのサブキャリアのサブキャリア・インデックスは、｛０，１｝＋Ｈ，｛３，４｝＋Ｈ，｛６，７｝＋Ｈ，又は｛９，１０｝＋Ｈであり、Ｈはセル識別子に基づいて決定される値であり、Ｈの値は０又は１であり；或いは
Ｋ＝６、Ｍ＝５、Ｌ＝６であり、リソース割り当てフィールドを使用することにより割り当てられるサブキャリア・リソースが２つのサブキャリアである場合、２つのサブキャリアが属するリソース・ブロック内の２つのサブキャリアのサブキャリア・インデックスは、｛０，１｝＋Ｈ，｛３，４｝＋Ｈ，｛６，７｝＋Ｈ，又は｛９，１０｝＋Ｈであり、Ｈはセル識別子に基づいて決定される値であり、Ｈの値は０又は１である。
【０２３２】
本願の一部の実施形態において、端末デバイスは、カバレッジ・エンハンスメント・レベル２、カバレッジ・エンハンスメント・レベル３、又はカバレッジ・エンハンスメント・モードＢにあり；
ダウンリンク制御情報は第４フィールドを更に含み、第４フィールドのサイズは１ビットであり；及び
第４フィールドのビット状態が０である場合、リソース割り当てフィールドは割り当てられたリソース・ブロックを示すために使用され；或いは
第４フィールドのビット状態が１である場合、リソース割り当てフィールドは割り当てられたサブキャリア・リソースを示すために使用される。
【０２３３】
本願の一部の実施形態において、Ｋ＝２、Ｍ＝３、Ｌ＝４であり、リソース割り当てフィールドを使用することにより割り当てられるサブキャリア・リソースは、３つのサブキャリア又は６つのサブキャリアであり；
Ｋ＝２、Ｍ＝３、Ｌ＝５であり、リソース割り当てフィールドを使用することにより割り当てられるサブキャリア・リソースは、３つのサブキャリア又は６つのサブキャリアであり、リソース割り当てフィールドはリソース・ユニットの量を示し；或いは
Ｋ＝３、Ｍ＝３、Ｌ＝５であり、リソース割り当てフィールドを使用することにより割り当てられるサブキャリア・リソースは、２つのサブキャリア、３つのサブキャリア、又は６つのサブキャリアである。
【０２３４】
本願の一部の実施形態において、Ｋ＝２、Ｍ＝３、及びＬ＝４である場合、又はＫ＝３、Ｍ＝３、及びＬ＝５である場合に、ダウンリンク制御情報は第５フィールドを更に含み、第５フィールドのサイズは１ビットであり、第５フィールドはリソース・ユニットの量を示す。
【０２３５】
装置のモジュール／ユニットとその実行プロセスとの間の情報交換等の内容は、本発明の方法の実施形態と同一の考え方に基づいており、本発明の方法の実施形態と同一の技術的効果をもたらすことに留意すべきである。具体的な内容については、本発明の方法の実施形態における前述の説明を参照することが可能であり、詳細はここで再度説明されない。
【０２３６】
本願の実施形態はコンピュータ記憶媒体を更に提供する。コンピュータ記憶媒体は、プログラムを記憶し、プログラムは、前述の方法の実施形態で説明されたステップの全部又は一部を行うように実行される。
【０２３７】
図７は本願の一実施形態による他のデバイスの概略構造図である。デバイスは端末デバイスであり、端末デバイスは、プロセッサ１３１（例えば、ＣＰＵ）、メモリ１３２、送信機１３４、及び受信機１３３を含む可能性がある。送信機１３４及び受信機１３３はプロセッサ１３１に結合され、プロセッサ１３１は、送信機１３４の送信動作及び受信機１３３の受信動作を制御する。メモリ１３２は、高速ＲＡＭメモリを含んでもよく、不揮発性メモリＮＶＭ、例えば少なくとも１つの磁気ディスク・メモリを更に含んでもよい。メモリ１３２は、種々の処理機能を完了し、本願の実施形態における方法ステップを実施するために、種々の命令を記憶することができる。オプションとして、本願のこの実施形態における端末デバイスは、電源１３５、通信バス１３６、及び通信ポート１３７のうちの１つ以上を更に含んでもよい。受信機１３３及び送信機１３４は、端末デバイスのトランシーバに統合されてもよいし、或いは端末デバイス上で互いに独立した受信アンテナ及び送信アンテナであってもよい。通信バス１３６は、コンポーネント間の通信接続を実現するように構成される。通信ポート１３７は、端末デバイスと他のペリフェラルとの間の接続及び通信を実現するように構成される。
【０２３８】
本願のこの実施形態では、メモリ１３２は、コンピュータ実行可能プログラム・コードを記憶するように構成され、プログラム・コードは命令を含む。プロセッサ１３１が命令を実行すると、命令は、プロセッサ１３１が前述の方法の実施形態における端末デバイスの処理動作を実行することを可能にし、送信機１３４が前述の方法の実施形態における端末デバイスの送信動作を実行することを可能にする。それらの実現の原理及び技術的効果は同様である。詳細はここで再度説明されない。
【０２３９】
図８は本願の実施形態による別のデバイスの概略構造図である。デバイスはネットワーク・デバイスであり、ネットワーク・デバイスは、プロセッサ１４１（例えば、ＣＰＵ）、メモリ１４２、受信機１４３、及び送信機１４４を含む可能性がある。受信機１４３及び送信機１４４はプロセッサ１４１に結合され、プロセッサ１４１は、受信機１４３の受信動作及び送信機１４４の送信動作を制御する。メモリ１４２は、高速ＲＡＭメモリを含んでもよく、不揮発性メモリＮＶＭ、例えば少なくとも１つの磁気ディスク・メモリを更に含んでもよい。メモリ１４２は、種々の処理機能を完了し、本願の実施形態における方法ステップを実施するためん、種々の命令を記憶することができる。オプションとして、本願のこの実施形態におけるネットワーク・デバイスは、電源１４５、通信バス１４６、及び通信ポート１４７のうちの１つ以上を更に含んでもよい。受信機１４３及び送信機１４４は、ネットワーク・デバイスのトランシーバに統合されてもよいし、或いはネットワーク・デバイス上で互いに独立した受信アンテナ及び送信アンテナであってもよい。通信バス１４６は、コンポーネント間の通信接続を実現するように構成される。通信ポート１４７は、ネットワーク・デバイスと他のペリフェラルとの間の接続及び通信を実現するように構成される。
【０２４０】
本願のこの実施形態では、メモリ１４２は、コンピュータ実行可能プログラム・コードを記憶するように構成され、プログラム・コードは命令を含む。プロセッサ１４１が命令を実行すると、命令は、プロセッサ１４１が前述の方法の実施形態におけるネットワーク・デバイスの処理動作を実行することを可能にし、送信機１４４が前述の方法の実施形態におけるネットワーク・デバイスの送信動作を実行することを可能にする。それらの実現の原理及び技術的効果は同様である。詳細はここで再度説明されない。
【０２４１】
別の可能な設計では、装置が端末内のチップである場合に、チップは処理ユニット及び通信ユニットを含む。処理ユニットは、例えばプロセッサであってもよい。通信ユニットは、例えば、入/出力インターフェース、ピン、又は回路であってもよい。処理ユニットは、記憶ユニットに記憶されたコンピュータ実行可能命令を実行し、端末内のチップが第１態様の任意の設計における無線通信方法を実行できるようにすることが可能である。オプションとして、記憶ユニットは、レジスタ又はバッファのようなチップ内の記憶ユニットであってもよく、或いは記憶ユニットはリード・オンリ・メモリ（ｒｅａｄ−ｏｎｌｙ  ｍｅｍｏｒｙ，ＲＯＭ）、静的な情報及び命令を記憶することが可能な他のタイプの静的記憶デバイス、又はランダム・アクセス・メモリ（ｒａｎｄｏｍ  ａｃｃｅｓｓ  ｍｅｍｏｒｙ，ＲＡＭ）のような、端末内ではあるがチップ外にある記憶ユニットであってもよい。
【０２４２】
上述の何れの箇所で言及されたプロセッサも、汎用中央演算処理装置（ＣＰＵ）、マイクロ・プロセッサ、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ，ＡＳＩＣ）、又は第１態様による無線通信方法のプログラム実行を制御するための１つ以上の集積回路である可能性がある。
【０２４３】
更に、説明された装置の実施形態は一例に過ぎないことに留意すべきである。別個のパーツとして説明されたユニットは、物理的に分離されていてもいなくてもよいし、ユニットとして表示されたパーツは、物理的なユニットであってもなくてもよいし、一カ所に配置されてもよいし、或いは複数のネットワーク・ユニットに分散されてもよい。全部又は一部のモジュールは、実施形態のソリューションの目的を達成するために、実際のニーズに従って選択されてもよい。更に、本願で提供される装置の実施形態の添付図面において、モジュール間の接続関係は、モジュールが互いに通信接続を有することを示し、通信接続は１つ以上の通信バス又は信号ケーブルとして具体的に実装されてもよい。当業者は、創作的労力なしに、本発明の実施形態を理解して実装することができる。
【０２４４】
前述の実装の説明に基づいて、本願は、必要な汎用ハードウェアに加えてソフトウェアによって、或いは専用集積回路、専用ＣＰＵ、専用メモリ、専用コンポーネント等を含む専用ハードウェアによって、実装されてもよいことを当業者は明確に理解することが可能である。一般に、コンピュータ・プログラムによって実行されることが可能な任意の機能は、対応するハードウェアを使用することによって容易に実現されることが可能である。更に、同じ機能を達成するために使用される特定のハードウェア構造は、様々な形態、例えばアナログ回路、デジタル回路、専用回路などの形態によるものであってもよい。しかしながら、本願についてはほとんどのケースでソフトウェア・プログラム実装がより良好な実装である。このような理解に基づいて、先行技術に対して本質的又は部分的に貢献する本願の技術的ソリューションは、ソフトウェア・プロダクトの形態で実現されてもよい。ソフトウェア・プロダクトは、フロッピー・ディスク、ＵＳＢフラッシュ・ドライブ、リムーバブル・ハード・ディスク、リード・オンリ・メモリ（ＲＯＭ，Ｒｅａｄ−Ｏｎｌｙ  Ｍｅｍｏｒｙ）、ランダム・アクセス・メモリ（ＲＡＭ，Ｒａｎｄｏｍ  Ａｃｃｅｓｓ  Ｍｅｍｏｒｙ）、磁気ディスク、又はコンピュータの光ディスクのような読み取り可能な記憶媒体に記憶されており、本願の実施形態で説明される方法を実行するように、コンピュータ・デバイス（パーソナル・コンピュータ、サーバー、ネットワーク・デバイスなどであってもよい）に指示するための幾つかの命令を含む。
【０２４５】
前述の実施形態の全部又は一部は、ソフトウェア、ハードウェア、ファームウェア、又はそれらの任意の組み合わせを利用して実現されてもよい。実施形態を実施するためにソフトウェアが使用される場合、実施形態は、コンピュータ・プログラム・プロダクトの形態で完全に又は部分的に実現されてもよい。
【０２４６】
コンピュータ・プログラム・プロダクトは１つ以上のコンピュータ命令を含む。コンピュータ・プログラム命令がコンピュータにおいてロードされて実行されると、本願の実施形態による手順又は機能が全体的又は部分的に生じる。コンピュータは、汎用コンピュータ、専用コンピュータ、コンピュータ・ネットワーク、又は他のプログラム可能な装置であってもよい。コンピュータ命令は、コンピュータ読み取り可能な記憶媒体に記憶されてもよいし、或いはコンピュータ読み取り可能な記憶媒体から別のコンピュータ読み取り可能な記憶媒体に伝送されてもよい。例えば、コンピュータ命令は、ウェブサイト、コンピュータ、サーバー、又はデータ・センターから、別のウェブサイト、コンピュータ、サーバー、又はデータ・センターへ、有線（例えば、同軸ケーブル、光ファイバ、又はデジタル加入者回線（ＤＳＬ））又は無線（例えば、赤外線、無線、又はマイクロ波）の方式で伝送されてもよい。コンピュータ読み取り可能な記憶媒体は、コンピュータによってアクセス可能な任意の利用可能な媒体、又は１つ以上の利用可能な媒体を統合するサーバー又はデータ・センターなどのデータ記憶デバイスであってもよい。利用可能な媒体は、磁気媒体（例えば、フロッピー・ディスク、ハード・ディスク、又は磁気テープ）、光媒体（例えば、ＤＶＤ）、半導体媒体（例えば、ソリッド・ステート・ドライブ・ソリッド・ステート・ディスク（ＳＳＤ））などであってもよい。
【図１】
2021518081.tif 000120
【図２】
2021518081.tif 000121
【図３】
2021518081.tif 000122
【図４】
2021518081.tif 000123
【図５】
2021518081.tif 000124
【図６】
2021518081.tif 000125
【図７】
2021518081.tif 000126
【図８】
2021518081.tif 000127
【手続補正書】
【提出日】令和2年10月28日(2020.10.28)
【手続補正１】
【補正対象書類名】特許請求の範囲
【補正対象項目名】全文
【補正方法】変更
【補正の内容】
【特許請求の範囲】
【請求項１】
情報伝送方法であって：
ネットワーク・デバイスにより送信されたダウンリンク制御情報を受信するステップであって、前記ダウンリンク制御情報はリソース割り当てフィールドを含み、前記リソース割り当てフィールドは端末デバイスに割り当てられたリソース・ブロック又はサブキャリア・リソースを示すために使用され；
前記リソース割り当てフィールドが、前記割り当てられたリソース・ブロックを示すために使用される場合、前記リソース割り当てフィールドは、
【数８６】
2021518081.tif 000128
個の高次ビットとＭ個の低次ビットとを含み、前記
【数８７】
2021518081.tif 000129
個の高次ビットはナローバンドのインデックスを示し、前記Ｍ個の低次ビットは前記ナローバンドにおけるリソース割り当てを示し、前記リソース割り当てフィールドにより示されるリソース・ブロックの量は１以上であり、Ｍは正の整数であり、ＮＵＬＲＢはアップリンク帯域幅に含まれるリソース・ブロックの量を表し；或いは
前記リソース割り当てフィールドが、前記割り当てられたサブキャリア・リソースを示すために使用される場合、前記リソース割り当てフィールドは、
【数８８】
2021518081.tif 000130
個の高次ビットとＬ個の低次ビットとを含み、前記
【数８９】
2021518081.tif 000131
個の高次ビットはナローバンドのインデックスを示し、前記Ｌ個の低次ビットはＫ個のリソース・ブロックにおけるサブキャリア・リソース割り当てを示し、前記リソース割り当てフィールドにより示されるサブキャリアの量は１２未満であり、Ｌは正の整数であり、Ｋは正の整数である、ステップ；及び
前記ダウンリンク制御情報に基づいて、割り当てられたリソースを決定し、前記割り当てられたリソースで情報を送信するステップ；
を含む方法。
【請求項２】
前記端末デバイスは、カバレッジ・エンハンスメント・レベル０、カバレッジ・エンハンスメント・レベル１、又はカバレッジ・エンハンスメント・モードＡにあり；
前記ダウンリンク制御情報は第１フィールドを更に含み、前記第１フィールドのサイズは２ビットであり；
前記第１フィールドは、３つの異なる量のリソース・ユニットをそれぞれ示す３つのビット状態を有し、及び／又は前記第１フィールドは、前記リソース割り当てフィールドが、前記割り当てられたリソース・ブロックを示すために使用されることを示す１つのビット状態を有し；及び
前記第１フィールドがリソース・ユニットの量を示す場合、前記リソース割り当てフィールドは前記サブキャリア・リソース割り当てを示す、
請求項１に記載の方法。
【請求項３】
前記第１フィールドのビット状態００は、前記リソース割り当てフィールドが、前記割り当てられたリソース・ブロックを示すために使用されることを示し；或いは
前記第１フィールドのビット状態１１は、前記リソース割り当てフィールドが、前記割り当てられたリソース・ブロックを示すために使用されることを示す、
請求項２に記載の方法。
【請求項４】
Ｋ＝５、Ｍ＝５、Ｌ＝５であり、前記リソース割り当てフィールドにより示される前記サブキャリア・リソースは、３つのサブキャリア又は６つのサブキャリアであり；
Ｋ＝３、Ｍ＝５、Ｌ＝５であり、前記リソース割り当てフィールドにより示される前記サブキャリア・リソースは、２つのサブキャリア、３つのサブキャリア、又は６つのサブキャリアであり；或いは
Ｋ＝６、Ｍ＝５、Ｌ＝６であり、前記リソース割り当てフィールドにより示される前記サブキャリア・リソースは、２つのサブキャリア、３つのサブキャリア、又は６つのサブキャリアである、
請求項１〜３のうちの何れか１項に記載の方法。
【請求項５】
前記リソース割り当てフィールドが前記サブキャリアを単位として使用することにより実行されるリソース割り当てを示すために使用される場合、前記６つの低次ビットにより示される６４個のビット状態における６０個のビット状態は、前記ナローバンドの前記インデックスにより示される前記ナローバンドの任意のＲＢにおける２つのサブキャリア、３つのサブキャリア、又は６つのサブキャリアのリソース割り当てを示すために使用される、
請求項４に記載の方法。
【請求項６】
Ｋ＝５、Ｍ＝５、Ｌ＝５であり、前記リソース割り当てフィールドを使用することにより割り当てられる前記サブキャリア・リソースが３つのサブキャリアである場合、前記ダウンリンク制御情報は第２フィールドを更に含み、前記第２フィールドは、前記３つのサブキャリアを使用することにより前記情報を送信すること、又は前記３つのサブキャリア内の２つの連続するサブキャリアを使用することにより前記情報を送信することを、前記端末デバイスに指示し；
Ｋ＝５、Ｍ＝５、Ｌ＝５であり、前記リソース割り当てフィールドを使用することにより割り当てられる前記サブキャリア・リソースが３つのサブキャリアである場合、前記ダウンリンク制御情報は第３フィールドを更に含み、前記第３フィールドは、前記端末デバイスにより実行されるべき情報伝送のための変調方式を示し、前記変調方式がＰｉ／２ＢＰＳＫ変調である場合に、前記端末デバイスは前記３つのサブキャリア内の２つの連続するサブキャリアを使用することにより前記情報を送信し、或いは前記変調方式が直交位相シフト・キーイング（ＱＰＳＫ）変調である場合に、前記端末デバイスは前記３つのサブキャリアを使用することにより前記情報を送信し、Ｐｉ／２は回転角が９０度であることを示し；
Ｋ＝３、Ｍ＝５、Ｌ＝５であり、前記リソース割り当てフィールドを使用することにより割り当てられる前記サブキャリア・リソースが２つのサブキャリアである場合、前記２つのサブキャリアが属するリソース・ブロック内の前記２つのサブキャリアのサブキャリア・インデックスは、｛０，１｝＋Ｈ，｛３，４｝＋Ｈ，｛６，７｝＋Ｈ，又は｛９，１０｝＋Ｈであり、Ｈはセル識別子に基づいて決定される値であり、前記Ｈの値は０又は１であり；或いは
Ｋ＝６、Ｍ＝５、Ｌ＝６であり、前記リソース割り当てフィールドを使用することにより割り当てられる前記サブキャリア・リソースが２つのサブキャリアである場合、前記２つのサブキャリアが属するリソース・ブロック内の前記２つのサブキャリアのサブキャリア・インデックスは、｛０，１｝＋Ｈ，｛３，４｝＋Ｈ，｛６，７｝＋Ｈ，又は｛９，１０｝＋Ｈであり、Ｈはセル識別子に基づいて決定される値であり、前記Ｈの値は０又は１である、
請求項４に記載の方法。
【請求項７】
情報伝送方法であって：
リソース・ブロック又はサブキャリア・リソースを端末デバイスに割り当てることを決定するステップ；
ダウンリンク制御情報を決定するステップであって、前記ダウンリンク制御情報はリソース割り当てフィールドを含み、前記リソース割り当てフィールドは前記割り当てられたリソース・ブロック又はサブキャリア・リソースを示すために使用され；
前記リソース割り当てフィールドが、前記割り当てられたリソース・ブロックを示すために使用される場合、前記リソース割り当てフィールドは、
【数９０】
2021518081.tif 000132
個の高次ビットとＭ個の低次ビットとを含み、前記
【数９１】
2021518081.tif 000133
個の高次ビットはナローバンドのインデックスを示し、前記Ｍ個の低次ビットは前記ナローバンドにおけるリソース割り当てを示し、前記リソース割り当てフィールドにより示されるリソース・ブロックの量は１以上であり、Ｍは正の整数であり、ＮＵＬＲＢはアップリンク帯域幅に含まれるリソース・ブロックの量を表し；或いは
前記リソース割り当てフィールドが、前記割り当てられたサブキャリア・リソースを示すために使用される場合、前記リソース割り当てフィールドは、
【数９２】
2021518081.tif 000134
個の高次ビットとＬ個の低次ビットとを含み、前記
【数９３】
2021518081.tif 000135
個の高次ビットはナローバンドのインデックスを示し、前記Ｌ個の低次ビットはＫ個のリソース・ブロックにおけるサブキャリア・リソース割り当てを示し、前記リソース割り当てフィールドにより示されるサブキャリアの量は１２未満であり、Ｌは正の整数であり、Ｋは正の整数である、ステップ；
前記ダウンリンク制御情報を前記端末デバイスへ送信するステップ；及び
前記端末デバイスにより送信された情報を、前記ダウンリンク制御情報に基づいて決定されるリソースで受信するステップ；
を含む方法。
【請求項８】
前記端末デバイスは、カバレッジ・エンハンスメント・レベル０、カバレッジ・エンハンスメント・レベル１、又はカバレッジ・エンハンスメント・モードＡにあり；
前記ダウンリンク制御情報は第１フィールドを更に含み、前記第１フィールドのサイズは２ビットであり；
前記第１フィールドは、３つの異なる量のリソース・ユニットをそれぞれ示す３つのビット状態を有し、及び／又は前記第１フィールドは、前記リソース割り当てフィールドが、前記割り当てられたリソース・ブロックを示すために使用されることを示す１つのビット状態を有し；及び
前記第１フィールドがリソース・ユニットの量を示す場合、前記リソース割り当てフィールドは前記サブキャリア・リソース割り当てを示す、
請求項７に記載の方法。
【請求項９】
前記第１フィールドのビット状態００は、前記リソース割り当てフィールドが、前記割り当てられたリソース・ブロックを示すために使用されることを示し；或いは
前記第１フィールドのビット状態１１は、前記リソース割り当てフィールドが、前記割り当てられたリソース・ブロックを示すために使用されることを示す、
請求項８に記載の方法。
【請求項１０】
Ｋ＝５、Ｍ＝５、Ｌ＝５であり、前記リソース割り当てフィールドにより示される前記サブキャリア・リソースは、３つのサブキャリア又は６つのサブキャリアであり；
Ｋ＝３、Ｍ＝５、Ｌ＝５であり、前記リソース割り当てフィールドにより示される前記サブキャリア・リソースは、２つのサブキャリア、３つのサブキャリア、又は６つのサブキャリアであり；或いは
Ｋ＝６、Ｍ＝５、Ｌ＝６であり、前記リソース割り当てフィールドにより示される前記サブキャリア・リソースは、２つのサブキャリア、３つのサブキャリア、又は６つのサブキャリアである、
請求項７〜９のうちの何れか１項に記載の方法。
【請求項１１】
前記リソース割り当てフィールドが前記サブキャリアを単位として使用することにより実行されるリソース割り当てを示すために使用される場合、前記６つの低次ビットにより示される６４個のビット状態における６０個のビット状態は、前記ナローバンドの前記インデックスにより示される前記ナローバンドの任意のＲＢにおける２つのサブキャリア、３つのサブキャリア、又は６つのサブキャリアのリソース割り当てを示すために使用される、
請求項１０に記載の方法。
【請求項１２】
Ｋ＝５、Ｍ＝５、Ｌ＝５であり、前記リソース割り当てフィールドを使用することにより割り当てられる前記サブキャリア・リソースが３つのサブキャリアである場合、前記ダウンリンク制御情報は第２フィールドを更に含み、前記第２フィールドは、前記３つのサブキャリアを使用することにより前記情報を送信すること、又は前記３つのサブキャリア内の２つの連続するサブキャリアを使用することにより前記情報を送信することを、前記端末デバイスに指示し；
Ｋ＝５、Ｍ＝５、Ｌ＝５であり、前記リソース割り当てフィールドを使用することにより割り当てられる前記サブキャリア・リソースが３つのサブキャリアである場合、前記ダウンリンク制御情報は第３フィールドを更に含み、前記第３フィールドは、前記端末デバイスにより実行されるべき情報伝送のための変調方式を示し、前記変調方式がＰｉ／２ＢＰＳＫ変調である場合に、前記端末デバイスは前記３つのサブキャリア内の２つの連続するサブキャリアを使用することにより前記情報を送信し、或いは前記変調方式が直交位相シフト・キーイングＱＰＳＫ変調である場合に、前記端末デバイスは前記３つのサブキャリアを使用することにより前記情報を送信し、Ｐｉ／２は回転角が９０度であることを示し；
Ｋ＝３、Ｍ＝５、Ｌ＝５であり、前記リソース割り当てフィールドを使用することにより割り当てられる前記サブキャリア・リソースが２つのサブキャリアである場合、前記２つのサブキャリアが属するリソース・ブロック内の前記２つのサブキャリアのサブキャリア・インデックスは、｛０，１｝＋Ｈ，｛３，４｝＋Ｈ，｛６，７｝＋Ｈ，又は｛９，１０｝＋Ｈであり、Ｈはセル識別子に基づいて決定される値であり、前記Ｈの値は０又は１であり；或いは
Ｋ＝６、Ｍ＝５、Ｌ＝６であり、前記リソース割り当てフィールドを使用することにより割り当てられる前記サブキャリア・リソースが２つのサブキャリアである場合、前記２つのサブキャリアが属するリソース・ブロック内の前記２つのサブキャリアのサブキャリア・インデックスは、｛０，１｝＋Ｈ，｛３，４｝＋Ｈ，｛６，７｝＋Ｈ，又は｛９，１０｝＋Ｈであり、Ｈはセル識別子に基づいて決定される値であり、前記Ｈの値は０又は１である、
請求項１０に記載の方法。
【請求項１３】
通信デバイスであって：
ネットワーク・デバイスにより送信されたダウンリンク制御情報を受信するように構成された受信モジュールであって、前記ダウンリンク制御情報はリソース割り当てフィールドを含み、前記リソース割り当てフィールドは前記通信デバイスに割り当てられたリソース・ブロック又はサブキャリア・リソースを示すために使用され；
前記リソース割り当てフィールドが、前記割り当てられたリソース・ブロックを示すために使用される場合、前記リソース割り当てフィールドは、
【数９４】
2021518081.tif 000136
個の高次ビットとＭ個の低次ビットとを含み、前記
【数９５】
2021518081.tif 000137
個の高次ビットはナローバンドのインデックスを示し、前記Ｍ個の低次ビットは前記ナローバンドにおけるリソース割り当てを示し、前記リソース割り当てフィールドにより示されるリソース・ブロックの量は１以上であり、Ｍは正の整数であり、ＮＵＬＲＢはアップリンク帯域幅に含まれるリソース・ブロックの量を表し；或いは
前記リソース割り当てフィールドが、前記割り当てられたサブキャリア・リソースを示すために使用される場合、前記リソース割り当てフィールドは、
【数９６】
2021518081.tif 000138
個の高次ビットとＬ個の低次ビットとを含み、前記
【数９７】
2021518081.tif 000139
個の高次ビットはナローバンドのインデックスを示し、前記Ｌ個の低次ビットはＫ個のリソース・ブロックにおけるサブキャリア・リソース割り当てを示し、前記リソース割り当てフィールドにより示されるサブキャリアの量は１２未満であり、Ｌは正の整数であり、Ｋは正の整数である、受信モジュール；
前記ダウンリンク制御情報に基づいて、割り当てられたリソースを決定するように構成された処理モジュール；及び
前記割り当てられたリソースで情報を送信するように構成された送信モジュール；
を含む通信デバイス。
【請求項１４】
前記通信デバイスは、カバレッジ・エンハンスメント・レベル０、カバレッジ・エンハンスメント・レベル１、又はカバレッジ・エンハンスメント・モードＡにあり；
前記ダウンリンク制御情報は第１フィールドを更に含み、前記第１フィールドのサイズは２ビットであり；
前記第１フィールドは、３つの異なる量のリソース・ユニットをそれぞれ示す３つのビット状態を有し、及び／又は前記第１フィールドは、前記リソース割り当てフィールドが、前記割り当てられたリソース・ブロックを示すために使用されることを示す１つのビット状態を有し；及び
前記第１フィールドがリソース・ユニットの量を示す場合、前記リソース割り当てフィールドは前記サブキャリア・リソース割り当てを示す、
請求項１３に記載の通信デバイス。
【請求項１５】
前記第１フィールドのビット状態００は、前記リソース割り当てフィールドが、前記割り当てられたリソース・ブロックを示すために使用されることを示し；或いは
前記第１フィールドのビット状態１１は、前記リソース割り当てフィールドが、前記割り当てられたリソース・ブロックを示すために使用されることを示す、
請求項１４に記載の通信デバイス。
【請求項１６】
Ｋ＝５、Ｍ＝５、Ｌ＝５であり、前記リソース割り当てフィールドにより示される前記サブキャリア・リソースは、３つのサブキャリア又は６つのサブキャリアであり；
Ｋ＝３、Ｍ＝５、Ｌ＝５であり、前記リソース割り当てフィールドにより示される前記サブキャリア・リソースは、２つのサブキャリア、３つのサブキャリア、又は６つのサブキャリアであり；或いは
Ｋ＝６、Ｍ＝５、Ｌ＝６であり、前記リソース割り当てフィールドにより示される前記サブキャリア・リソースは、２つのサブキャリア、３つのサブキャリア、又は６つのサブキャリアである、
請求項１３〜１５のうちの何れか１項に記載の通信デバイス。
【請求項１７】
前記リソース割り当てフィールドが前記サブキャリアを単位として使用することにより実行されるリソース割り当てを示すために使用される場合、前記６つの低次ビットにより示される６４個のビット状態における６０個のビット状態は、前記ナローバンドの前記インデックスにより示される前記ナローバンドの任意のＲＢにおける２つのサブキャリア、３つのサブキャリア、又は６つのサブキャリアのリソース割り当てを示すために使用される、
請求項１６に記載の通信デバイス。
【請求項１８】
Ｋ＝５、Ｍ＝５、Ｌ＝５であり、前記リソース割り当てフィールドを使用することにより割り当てられる前記サブキャリア・リソースが３つのサブキャリアである場合、前記ダウンリンク制御情報は第２フィールドを更に含み、前記第２フィールドは、前記３つのサブキャリアを使用することにより前記情報を送信すること、又は前記３つのサブキャリア内の２つの連続するサブキャリアを使用することにより前記情報を送信することを、前記通信デバイスに指示し；
Ｋ＝５、Ｍ＝５、Ｌ＝５であり、前記リソース割り当てフィールドを使用することにより割り当てられる前記サブキャリア・リソースが３つのサブキャリアである場合、前記ダウンリンク制御情報は第３フィールドを更に含み、前記第３フィールドは、前記通信デバイスにより実行されるべき情報伝送のための変調方式を示し、前記変調方式がＰｉ／２ＢＰＳＫ変調である場合に、前記通信デバイスは前記３つのサブキャリア内の２つの連続するサブキャリアを使用することにより前記情報を送信し、或いは前記変調方式が直交位相シフト・キーイングＱＰＳＫ変調である場合に、前記通信デバイスは前記３つのサブキャリアを使用することにより前記情報を送信し、Ｐｉ／２は回転角が９０度であることを示し；
Ｋ＝３、Ｍ＝５、Ｌ＝５であり、前記リソース割り当てフィールドを使用することにより割り当てられる前記サブキャリア・リソースが２つのサブキャリアである場合、前記２つのサブキャリアが属するリソース・ブロック内の前記２つのサブキャリアのサブキャリア・インデックスは、｛０，１｝＋Ｈ，｛３，４｝＋Ｈ，｛６，７｝＋Ｈ，又は｛９，１０｝＋Ｈであり、Ｈはセル識別子に基づいて決定される値であり、前記Ｈの値は０又は１であり；或いは
Ｋ＝６、Ｍ＝５、Ｌ＝６であり、前記リソース割り当てフィールドを使用することにより割り当てられる前記サブキャリア・リソースが２つのサブキャリアである場合、前記２つのサブキャリアが属するリソース・ブロック内の前記２つのサブキャリアのサブキャリア・インデックスは、｛０，１｝＋Ｈ，｛３，４｝＋Ｈ，｛６，７｝＋Ｈ，又は｛９，１０｝＋Ｈであり、Ｈはセル識別子に基づいて決定される値であり、前記Ｈの値は０又は１である、
請求項１６に記載の通信デバイス。
【請求項１９】
リソース・ブロック又はサブキャリア・リソースを端末デバイスに割り当てることを決定するように構成された処理モジュールであって、
前記処理モジュールは、ダウンリンク制御情報を決定するように構成されており、前記ダウンリンク制御情報はリソース割り当てフィールドを含み、前記リソース割り当てフィールドは前記割り当てられたリソース・ブロック又はサブキャリア・リソースを示すために使用され；
前記リソース割り当てフィールドが、前記割り当てられたリソース・ブロックを示すために使用される場合、前記リソース割り当てフィールドは、
【数９８】
2021518081.tif 000140
個の高次ビットとＭ個の低次ビットとを含み、前記
【数９９】
2021518081.tif 000141
個の高次ビットはナローバンドのインデックスを示し、前記Ｍ個の低次ビットは前記ナローバンドにおけるリソース割り当てを示し、前記リソース割り当てフィールドにより示されるリソース・ブロックの量は１以上であり、Ｍは正の整数であり、ＮＵＬＲＢはアップリンク帯域幅に含まれるリソース・ブロックの量を表し；或いは
前記リソース割り当てフィールドが、前記割り当てられたサブキャリア・リソースを示すために使用される場合、前記リソース割り当てフィールドは、
【数１００】
2021518081.tif 000142
個の高次ビットとＬ個の低次ビットとを含み、前記
【数１０１】
2021518081.tif 000143
個の高次ビットはナローバンドのインデックスを示し、前記Ｌ個の低次ビットはＫ個のリソース・ブロックにおけるサブキャリア・リソース割り当てを示し、前記リソース割り当てフィールドにより示されるサブキャリアの量は１２未満であり、Ｌは正の整数であり、Ｋは正の整数である、処理モジュール；
前記ダウンリンク制御情報を前記端末デバイスへ送信するように構成された送信モジュール；及び
前記端末デバイスにより送信された情報を、前記ダウンリンク制御情報に基づいて決定されるリソースで受信するように構成された受信モジュール；
を含むネットワーク・デバイス。
【請求項２０】
前記端末デバイスは、カバレッジ・エンハンスメント・レベル０、カバレッジ・エンハンスメント・レベル１、又はカバレッジ・エンハンスメント・モードＡにあり；
前記ダウンリンク制御情報は第１フィールドを更に含み、前記第１フィールドのサイズは２ビットであり；
前記第１フィールドは、３つの異なる量のリソース・ユニットをそれぞれ示す３つのビット状態を有し、及び／又は前記第１フィールドは、前記リソース割り当てフィールドが、前記割り当てられたリソース・ブロックを示すために使用されることを示す１つのビット状態を有し；及び
前記第１フィールドがリソース・ユニットの量を示す場合、前記リソース割り当てフィールドは前記サブキャリア・リソース割り当てを示す、
請求項１９に記載のネットワーク・デバイス。
【請求項２１】
前記第１フィールドのビット状態００は、前記リソース割り当てフィールドが、前記割り当てられたリソース・ブロックを示すために使用されることを示し；或いは
前記第１フィールドのビット状態１１は、前記リソース割り当てフィールドが、前記割り当てられたリソース・ブロックを示すために使用されることを示す、
請求項２０に記載のネットワーク・デバイス。
【請求項２２】
Ｋ＝５、Ｍ＝５、Ｌ＝５であり、前記リソース割り当てフィールドにより示される前記サブキャリア・リソースは、３つのサブキャリア又は６つのサブキャリアであり；
Ｋ＝３、Ｍ＝５、Ｌ＝５であり、前記リソース割り当てフィールドにより示される前記サブキャリア・リソースは、２つのサブキャリア、３つのサブキャリア、又は６つのサブキャリアであり；或いは
Ｋ＝６、Ｍ＝５、Ｌ＝６であり、前記リソース割り当てフィールドにより示される前記サブキャリア・リソースは、２つのサブキャリア、３つのサブキャリア、又は６つのサブキャリアである、
請求項１９〜２１のうちの何れか１項に記載のネットワーク・デバイス。
【請求項２３】
前記リソース割り当てフィールドが前記サブキャリアを単位として使用することにより実行されるリソース割り当てを示すために使用される場合、前記６つの低次ビットにより示される６４個のビット状態における６０個のビット状態は、前記ナローバンドの前記インデックスにより示される前記ナローバンドの任意のＲＢにおける２つのサブキャリア、３つのサブキャリア、又は６つのサブキャリアのリソース割り当てを示すために使用される、
請求項２２に記載のネットワーク・デバイス。
【請求項２４】
Ｋ＝５、Ｍ＝５、Ｌ＝５であり、前記リソース割り当てフィールドを使用することにより割り当てられる前記サブキャリア・リソースが３つのサブキャリアである場合、前記ダウンリンク制御情報は第２フィールドを更に含み、前記第２フィールドは、前記３つのサブキャリアを使用することにより前記情報を送信すること、又は前記３つのサブキャリア内の２つの連続するサブキャリアを使用することにより前記情報を送信することを、前記端末デバイスに指示し；
Ｋ＝５、Ｍ＝５、Ｌ＝５であり、前記リソース割り当てフィールドを使用することにより割り当てられる前記サブキャリア・リソースが３つのサブキャリアである場合、前記ダウンリンク制御情報は第３フィールドを更に含み、前記第３フィールドは、前記端末デバイスにより実行されるべき情報伝送のための変調方式を示し、前記変調方式がＰｉ／２ＢＰＳＫ変調である場合に、前記端末デバイスは前記３つのサブキャリア内の２つの連続するサブキャリアを使用することにより前記情報を送信し、或いは前記変調方式が直交位相シフト・キーイングＱＰＳＫ変調である場合に、前記端末デバイスは前記３つのサブキャリアを使用することにより前記情報を送信し、Ｐｉ／２は回転角が９０度であることを示し；
Ｋ＝３、Ｍ＝５、Ｌ＝５であり、前記リソース割り当てフィールドを使用することにより割り当てられる前記サブキャリア・リソースが２つのサブキャリアである場合、前記２つのサブキャリアが属するリソース・ブロック内の前記２つのサブキャリアのサブキャリア・インデックスは、｛０，１｝＋Ｈ，｛３，４｝＋Ｈ，｛６，７｝＋Ｈ，又は｛９，１０｝＋Ｈであり、Ｈはセル識別子に基づいて決定される値であり、前記Ｈの値は０又は１であり；或いは
Ｋ＝６、Ｍ＝５、Ｌ＝６であり、前記リソース割り当てフィールドを使用することにより割り当てられる前記サブキャリア・リソースが２つのサブキャリアである場合、前記２つのサブキャリアが属するリソース・ブロック内の前記２つのサブキャリアのサブキャリア・インデックスは、｛０，１｝＋Ｈ，｛３，４｝＋Ｈ，｛６，７｝＋Ｈ，又は｛９，１０｝＋Ｈであり、Ｈはセル識別子に基づいて決定される値であり、前記Ｈの値は０又は１である、
請求項２２に記載のネットワーク・デバイス。
【請求項２５】
命令を含むコンピュータ読み取り可能な記憶媒体であって、前記命令がコンピュータにおいて動作すると、前記コンピュータは請求項１〜１２のうちの何れか１項に記載の方法を実行するように動作することが可能である、記憶媒体。
【手続補正２】
【補正対象書類名】明細書
【補正対象項目名】００１２
【補正方法】変更
【補正の内容】
【００１２】
第１態様の可能な設計において、
Ｋ＝５、Ｍ＝５、Ｌ＝５であり、リソース割り当てフィールドを使用することにより割り当てられるサブキャリア・リソースは３つのサブキャリアであり、ダウンリンク制御情報は第２フィールドを更に含み、第２フィールドは、３つのサブキャリアを使用することにより情報を送信すること、又は３つのサブキャリア内の２つの連続するサブキャリアを使用することにより情報を送信することを、端末デバイスに指示し；
Ｋ＝５、Ｍ＝５、Ｌ＝５であり、リソース割り当てフィールドを使用することにより割り当てられるサブキャリア・リソースは３つのサブキャリアであり、ダウンリンク制御情報は第３フィールドを更に含み、第３フィールドは、端末デバイスにより実行されるべき情報伝送のための変調方式を示し、変調方式がＰｉ／２ＢＰＳＫ変調である場合に、端末デバイスは３つのサブキャリア内の２つの連続するサブキャリアを使用することにより情報を送信し、或いは変調方式が直交位相シフト・キーイングＱＰＳＫ変調である場合に、端末デバイスは３つのサブキャリアを使用することにより情報を送信し、Ｐｉ／２は回転角が９０度であることを示し；
Ｋ＝３、Ｍ＝５、Ｌ＝５であり、リソース割り当てフィールドを使用することにより割り当てられるサブキャリア・リソースは２つのサブキャリアであり、２つのサブキャリアが属するリソース・ブロック内の２つのサブキャリアのサブキャリア・インデックスは、｛０，１｝＋Ｈ，｛３，４｝＋Ｈ，｛６，７｝＋Ｈ，又は｛９，１０｝＋Ｈであり、Ｈはセル識別子に基づいて決定される値であり、Ｈの値は０又は１であり；或いは
Ｋ＝６、Ｍ＝５、Ｌ＝６であり、リソース割り当てフィールドを使用することにより割り当てられるサブキャリア・リソースは２つのサブキャリアであり、２つのサブキャリアが属するリソース・ブロック内の２つのサブキャリアのサブキャリア・インデックスは、｛０，１｝＋Ｈ，｛３，４｝＋Ｈ，｛６，７｝＋Ｈ，又は｛９，１０｝＋Ｈであり、Ｈはセル識別子に基づいて決定される値であり、Ｈの値は０又は１である。
【手続補正３】
【補正対象書類名】明細書
【補正対象項目名】００１３
【補正方法】変更
【補正の内容】
【００１３】
本願のこの実施形態では、ダウンリンク制御情報は、第２フィールド又は第３フィールドを更に搬送することが可能であり、ネットワーク・デバイスは、第２フィールドを使用することにより、３つのサブキャリアを使用して情報を伝送すること、又は３つのサブキャリア内の２つの連続するサブキャリアを使用して情報を伝送することを、端末デバイスに更に示すことができ；或いは端末デバイスは、第３フィールドを使用することにより、情報伝送のための変調方式を決定することができる。例えば、変調方式は、Ｐｉ／２ＢＰＳＫ変調又はＱＰＳＫ変調を含んでもよい。このように、端末デバイスは、ネットワーク・デバイスにより示される変調方式に基づいて情報を送信することが可能である。
【手続補正４】
【補正対象書類名】明細書
【補正対象項目名】００１７
【補正方法】変更
【補正の内容】
【００１７】
第１態様の可能な設計において、
Ｋ＝２、Ｍ＝３、及びＬ＝４である場合、又はＫ＝３、Ｍ＝３、及びＬ＝５である場合に、ダウンリンク制御情報は第５フィールドを更に含み、第５フィールドのサイズは１ビットであり、第５フィールドはリソース・ユニットの量を示す。
【手続補正５】
【補正対象書類名】明細書
【補正対象項目名】００４７
【補正方法】変更
【補正の内容】
【００４７】
第８態様によれば、本願はチップ・システムを提供する。チップ・システムは、プロセッサを含み、例えば前述の方法におけるデータ及び／又は情報の送信又は処理のような、前述の態様における機能を実現する際にネットワーク・デバイス又は端末デバイスをサポートするように構成される。可能な設計において、チップ・システムはメモリを更に含み、メモリは、ネットワーク・デバイス又は端末デバイスに必要なプログラム命令及びデータを格納するように構成される。チップ・システムは、チップを含んでもよく、或いはチップ及び別の個別コンポーネントを含んでもよい。
【手続補正６】
【補正対象書類名】明細書
【補正対象項目名】００６６
【補正方法】変更
【補正の内容】
【００６６】
本願のこの実施形態では、リソースを端末デバイスに割り当てる際に、ネットワーク・デバイスはリソース・ブロックを割り当てる可能性があり、即ち１リソース・ブロックがリソース割り当ての最小単位として使用され；或いはネットワーク・デバイスはサブキャリア・リソースを端末デバイスに割り当てる可能性があり、即ち１サブキャリアがリソース割り当ての最小単位として使用される。例えば、ネットワーク・デバイスは、現在のネットワーク負荷に基づいて、リソース・ブロック又はサブキャリアがリソース割り当ての単位として使用されるかどうかを決定することができる。例えば、本発明のこの実施形態では、ネットワーク・デバイスが、ダウンリンク制御情報（Ｄｏｗｎｌｉｎｋ  Ｃｏｎｔｒｏｌ  Ｉｎｆｏｒｍａｔｉｏｎ，ＤＣＩ）フォーマット６−０Ａを使用することによって、物理アップリンク共有チャネル（Ｐｈｙｓｉｃａｌ  Ｕｐｌｉｎｋ  Ｓｈａｒｅｄ  ｃｈａｎｎｅｌ，ＰＵＳＣＨ）にリソースを割り当てる場合に、最小単位は１リソース・ブロックである可能性があり、また１２サブキャリアより少ないリソースを割り当てることも可能である。従って、ＰＵＳＣＨのスペクトル効率は改善される。
【手続補正７】
【補正対象書類名】明細書
【補正対象項目名】００８６
【補正方法】変更
【補正の内容】
【００８６】
端末デバイスのモードＡ又はモードＢは、接続モードにおけるカバレッジ・エンハンスメント（ｃｏｖｅｒａｇｅ  ｅｎｈａｎｃｅｍｅｎｔ，ＣＥ）レベル（ｌｅｖｅｌ）の分類であり、ＣＥレベル０／１／２／３はアイドル・モードにおけるカバレッジ・エンハンスメント・レベルであり、モードＡはＣＥレベル０／１に対応し、モードＢはＣＥレベル２／３に対応する。端末デバイスがカバレッジ・エンハンスメント・レベル０、カバレッジ・エンハンスメント・レベル１、又はカバレッジ・エンハンスメント・モードＡにある場合、ダウンリンク制御情報は第１フィールドを更に含み、第１フィールドのサイズは２ビットであり、第１フィールドは４つのビット状態を有する可能性があり：第１フィールドは、３つの異なる量のリソース・ユニットをそれぞれ示す３つのビット状態を有し、及び／又は第１フィールドは、リソース割り当てフィールドが、割り当てられたリソース・ブロックを示すために使用されることを示す１つのビット状態を有する。周波数ドメインにおいてリソース・ユニット（Ｒｅｓｏｕｒｃｅ  Ｕｎｉｔ，ＲＵ）によって占有されるサブキャリアの量は１２未満であり、時間ドメインにおいてリソース・ユニットによって占有されるリソースは１サブフレームより大きい。リソース・ユニットは、物理アップリンク共有チャネルからリソース・エレメントへのマッピングを記述するために使用される。１つのリソース・ユニットは、周波数ドメインにおけるＹ個の連続するサブキャリア、及び時間ドメインにおけるＸ個の連続する直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ，ＯＦＤＭ）シンボル又はシングル・キャリア周波数分割多元接続（Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ，ＳＣ−ＦＤＭＡ）シンボルとして定義され、Ｘ及びＹはそれぞれ正の整数である。本願のこの実施形態では、第１フィールドがリソース・ユニットの量を示す３つのビット状態を有する場合、リソース割り当てフィールドはサブキャリア・リソース割り当てを示す。換言すれば、端末デバイスは、リソース割り当てフィールドのビット状態に基づいて、ネットワーク・デバイスによって端末デバイスに割り当てられたサブキャリア・リソースを決定することができる。
【手続補正８】
【補正対象書類名】明細書
【補正対象項目名】００９７
【補正方法】変更
【補正の内容】
【００９７】
例えば、オプションとして、Ｋ＝３、Ｍ＝５、Ｌ＝５であり、リソース割り当てフィールドを使用することにより割り当てられたサブキャリア・リソースが２つのサブキャリアである場合、２つのサブキャリアが属するリソース・ブロック内の２つのサブキャリアのサブキャリア・インデックスは、｛０，１｝＋Ｈ，｛３，４｝＋Ｈ，｛６，７｝＋Ｈ，｛９，１０｝＋Ｈであり、Ｈはセル識別子に基づいて決定される値であり、Ｈの値は０又は１である。例えば、Ｋ＝５、Ｍ＝５、Ｌ＝５であり、リソース割り当てフィールドが、
【数４０】
2021518081.tif 000144
個のビットを含んでいる場合、
【数４１】
2021518081.tif 000145
個のビットは、システム帯域幅におけるナローバンドのインデックスを示すために使用され、５ビットは、ナローバンドのインデックスに対応するナローバンド内のリソース割り当てが、リソース・ブロックを単位として使用することにより、或いはサブキャリアを単位として使用することにより、実行されていることを示すために使用される。
【手続補正９】
【補正対象書類名】明細書
【補正対象項目名】００９８
【補正方法】変更
【補正の内容】
【００９８】
リソース割り当てフィールドが、サブキャリアを単位として使用することにより実行されるリソース割り当てに使用される場合、ネットワーク・デバイスにより割り当てられサブキャリア・リソースは５つのリソース・ブロック内にあり、５つのリソース・ブロックは、上位レイヤにより設定されるリソース・ブロック、又はサブキャリアを単位として使用することにより実行されるリソース割り当てのための予め設定されたリソース・ブロックであり、ナローバンドのインデックスにより示されるナローバンド内にある可能性があり、或いはシステム帯域幅における任意の５つのリソース・ブロックである可能性がある。この場合、ネットワーク・デバイスによって割り当てられたサブキャリア・リソースが２つのサブキャリアであるか或いは３つのサブキャリアであるかは区別されない。具体的には、５つの低次ビットの状態と割り当てられたサブキャリア・リソースとの間のマッピング関係は以下の表２にリスト化されており、リソース・ブロックｎないしリソース・ブロックｎ＋４は、上位レイヤにより設定されたリソース・ブロック、又はサブキャリアを単位として使用することにより実行されるリソース割り当てのための予め設定されたリソース・ブロックである。別の例では、Ｋ＝３、Ｍ＝５、Ｌ＝５であり、リソース割り当てフィールドが、
【数４２】
2021518081.tif 000146
個のビットを含んでいる場合、
【数４３】
2021518081.tif 000147
個のビットは、システム帯域幅におけるナローバンドのインデックスを示すために使用され、５ビットは、ナローバンドのインデックスに対応するナローバンド内のリソース割り当てが、リソース・ブロックを単位として使用することにより、或いはサブキャリアを単位として使用することにより、実行されていることを示すために使用される。
【手続補正１０】
【補正対象書類名】明細書
【補正対象項目名】０１５１
【補正方法】変更
【補正の内容】
【０１５１】
端末デバイスのモードＡ又はモードＢは、接続モードにおけるカバレッジ・エンハンスメント（ｃｏｖｅｒａｇｅ  ｅｎｈａｎｃｅｍｅｎｔ，ＣＥ）レベル（ｌｅｖｅｌ）の分類であり、ＣＥレベル０／１／２／３はアイドル・モードにおけるカバレッジ・エンハンスメント・レベルであり、モードＡはＣＥレベル０／１に対応し、モードＢはＣＥレベル２／３に対応する。端末デバイスが、カバレッジ・エンハンスメント・レベル０、カバレッジ・エンハンスメント・レベル１、又はカバレッジ・エンハンスメント・モードＡである場合、ダウンリンク制御情報は第１フィールドを更に含み、第１フィールドのサイズは２ビットであり、第１フィールドは４つのビット状態を有する可能性があり：第１フィールドは、３つの異なる量のリソース・ユニットをそれぞれ示す３つのビット状態を有し、及び／又は第１フィールドは、リソース割り当てフィールドが、割り当てられたリソース・ブロックを示すために使用されることを示す１つのビット状態を有する。周波数ドメイン内のリソース・ユニット（Ｒｅｓｏｕｒｃｅ  Ｕｎｉｔ，ＲＵ）によって占有されるサブキャリアの量は１２未満であり、時間ドメイン内のリソース・ユニットによって占有されるリソースは１サブフレームより大きい。リソース・ユニットは、物理アップリンク共有チャネルからリソース・エレメントへのマッピングを記述するために使用される。１つのリソース・ユニットは、周波数ドメインにおけるＹ個の連続するサブキャリア、及び時間ドメインにおけるＸ個の連続する直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ，ＯＦＤＭ）シンボル又はシングル・キャリア周波数分割多元接続（Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ，ＳＣ−ＦＤＭＡ）シンボルとして定義され、Ｘ及びＹはそれぞれ正の整数である。本願のこの実施形態では、第１フィールドが、リソース・ユニットの量を示す３つのビット状態を有する場合、リソース割り当てフィールドはサブキャリア・リソース割り当てを示す。換言すれば、端末デバイスは、リソース割り当てフィールドのビット状態に基づいて、ネットワーク・デバイスによって端末デバイスに割り当てられたサブキャリア・リソースを決定することができる。
【手続補正１１】
【補正対象書類名】明細書
【補正対象項目名】０１５４
【補正方法】変更
【補正の内容】
【０１５４】
第１フィールドは２ビットを使用することによりＲＵの量を示す。第１フィールドの意味は次の表８にリスト化される。
表８
【表８】
2021518081.tif 000148
【手続補正１２】
【補正対象書類名】明細書
【補正対象項目名】０２４１
【補正方法】変更
【補正の内容】
【０２４１】
別の可能な設計では、装置が端末内のチップである場合に、チップは処理ユニット及び通信ユニットを含む。処理ユニットは、例えばプロセッサであってもよい。通信ユニットは、例えば、入/出力インターフェース、ピン、又は回路であってもよい。処理ユニットは、記憶ユニットに記憶されたコンピュータ実行可能命令を実行し、端末内のチップが本願の実施形態に従って情報伝送を実行できるようにすることが可能である。オプションとして、記憶ユニットは、レジスタ又はバッファのようなチップ内の記憶ユニットであってもよく、或いは記憶ユニットはリード・オンリ・メモリ（ｒｅａｄ−ｏｎｌｙ  ｍｅｍｏｒｙ，ＲＯＭ）、静的な情報及び命令を記憶することが可能な他のタイプの静的記憶デバイス、又はランダム・アクセス・メモリ（ｒａｎｄｏｍ  ａｃｃｅｓｓ  ｍｅｍｏｒｙ，ＲＡＭ）のような、端末内ではあるがチップ外にある記憶ユニットであってもよい。
【手続補正１３】
【補正対象書類名】明細書
【補正対象項目名】０２４２
【補正方法】変更
【補正の内容】
【０２４２】
上述の何れの箇所で言及されたプロセッサも、汎用中央演算処理装置（ＣＰＵ）、マイクロ・プロセッサ、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ，ＡＳＩＣ）、又は本願の実施形態に従って情報伝送のプログラム実行を制御するための１つ以上の集積回路である可能性がある。
【国際調査報告】
2021518081.tif 000149
2021518081.tif 000150
2021518081.tif 000151
2021518081.tif 000152